(57)【要約】【課題】ミリ波の周波数帯域を用いて、無線により送信を行うＡＰ（Ａｃｃｅｓｓ  Ｐｏｉｎｔ）を提供する【解決手段】複数のＡＰのうちの一台のマスタＡＰであるＡＰ４４２０−１において、ＡＰ４４２０−１の指示部４４０２は、通信相手であるＡＰとの間の通信品質を取得する。取得した通信品質が閾値未満となった場合に、前記複数の送信装置自身を含む複数のＡＰに協調動作をさせてデータを送信させる。取得した通信品質が閾値以上となった場合に、自身を含む複数のＡＰに協調動作を停止させる。【選択図】図４５
2017011679.tif 000002
【特許請求の範囲】
【請求項１】
ミリ波の周波数帯域を用いて、受信装置に対して、無線により送信を行う複数の送信装置において用いられる送信方法であって、
前記受信装置との間の通信品質を取得し、
取得した通信品質が閾値未満となった場合に、前記複数の送信装置に協調動作をさせてデータを送信させ、
取得した通信品質が閾値以上となった場合に、前記協調動作を停止させる
ことを特徴とする送信方法。
【請求項２】
前記協調動作において、全ての前記送信装置が同一のデータを送信する
ことを特徴とする請求項１に記載の送信方法。
【請求項３】
前記複数の送信装置のうちの一台の送信装置が、他の送信装置に対して、前記協調動作の開始及び停止を指示する
ことを特徴とする請求項１に記載の送信方法。
【請求項４】
ミリ波の周波数帯域を用いて、受信装置に対して、無線により送信を行う複数の送信装置のうちの一台の送信装置であって、
送信手段と、
受信手段と、
前記受信装置との間の通信品質を取得し、取得した通信品質が閾値未満となった場合に、自身を含む全ての前記送信装置に協調動作をさせてデータを送信させ、取得した通信品質が閾値以上となった場合に、前記協調動作を停止させる制御手段と
を備えることを特徴とする送信装置。
【請求項５】
ミリ波の周波数帯域を用いて、受信装置に対して、無線により送信を行う複数の送信装置と、前記受信装置とから構成される通信システムであって、
前記複数の送信装置のうちの一台の送信装置は、
送信手段と、
受信手段と、
前記受信装置との間の通信品質を取得し、取得した通信品質が閾値未満となった場合に、自身を含む全ての前記送信装置に協調動作をさせてデータを送信させ、取得した通信品質が閾値以上となった場合に、前記協調動作を停止させる制御手段と
を備えることを特徴とする通信システム。
【発明の詳細な説明】
【技術分野】
【０００１】
本発明は、無線により通信を行う技術に関する。
【背景技術】
【０００２】
無線による通信においては、様々な周波数帯域が用いられる。
無線ＬＡＮでは、例えば、IEEE802.11gによると、２．４〜２．５ＧＨｚ帯の周波数帯域が用いられ、最大伝送速度は、５４Ｍｂｐｓである。また、携帯電話では、ＬＴＥにより、例えば、２ＧＨｚ帯の周波数帯域が用いられ、最大伝送速度は、１１２．５Ｍｂｐｓである。
【先行技術文献】
【特許文献】
【０００３】
【特許文献１】特開２０１３−２５８７３６号公報
【特許文献２】特表２０１０−５３５４５０号公報
【特許文献３】特表２０１４−５３４６７８号公報
【発明の概要】
【発明が解決しようとする課題】
【０００４】
さらに大容量の伝送を実現するため、６ＧＨｚ以上の周波数、例えば、ミリ波と呼ばれる周波数帯域を用いた無線通信の導入が要望されている。
上記の要望に応えるため、本発明は、例えば、ミリ波の周波数帯域を用いて、無線により送信を行う複数の送信装置において用いられる送信方法、送信装置及び通信システムを提供することを目的とする。
【課題を解決するための手段】
【０００５】
上記の目的を達成するため、本発明の一態様は、例えば、ミリ波の周波数帯域を用いて、受信装置に対して、無線により送信を行う複数の送信装置において用いられる送信方法であって、前記受信装置との間の通信品質を取得し、取得した通信品質が閾値未満となった場合に、前記複数の送信装置に協調動作をさせてデータを送信させ、取得した通信品質が閾値以上となった場合に、前記協調動作を停止させることを特徴とする。
【発明の効果】
【０００６】
この態様によると、複数の送信装置において、ミリ波の周波数帯域を用いて、無線により送信を行うことができる。
【図面の簡単な説明】
【０００７】
【図１】実施の形態１としての無線通信システム１００の構成を示すブロック図である。
【図２】ＡＰ１２０の構成を示すブロック図である。
【図３】親局１１０の構成を示すブロック図である。
【図４】４つすべてのＡＰ１２１、ＡＰ１２２、ＡＰ１２３及びＡＰ１２４をマルチキャスト用に設定して送信する場合において、送信されるデータの例を示す。
【図５】ＡＰ１２１及びＡＰ１２２をマルチキャスト用に設定し、ＡＰ１２３及びＡＰ１２４をユニキャスト用に設定して送信する場合において、送信されるデータの例を示す。この場合、ＡＰ１２３及びＡＰ１２４において、同一のデータが送信される。
【図６】ＡＰ１２１及びＡＰ１２２をマルチキャスト用に設定し、ＡＰ１２３及びＡＰ１２４をユニキャスト用に設定して送信する場合において、送信されるデータの例を示す。この場合、ＡＰ１２３及びＡＰ１２４において、異なるデータが送信される。
【図７】ＡＰ１２１及びＡＰ１２２をマルチキャスト用に設定し、ＡＰ１２３及びＡＰ１２４をユニキャスト用に設定して受信する場合において、受信されるデータの例を示す。ＡＰ１２３及びＡＰ１２４において、同一のデータが受信される。
【図８】ＡＰ１２１及びＡＰ１２２をマルチキャスト用に設定し、ＡＰ１２３及びＡＰ１２４をユニキャスト用に設定して受信する場合において、受信されるデータの例を示す。この場合、ＡＰ１２３及びＡＰ１２４において、異なるデータが受信される。
【図９】（Ａ）ＱＰＳＫ変調における信号を構成する同相成分Ｉと直交成分ＱのＩＱ平面におけるマッピング方法の一例を示す。（Ｂ）位相変更後のマッピング方法の例を示す。
【図１０】位相変更部１００２による位相変更を示す。
【図１１】無線通信システム１００の親局１１０、ＡＰ１２１、ＡＰ１２２、ＡＰ１２３及びＡＰ１２４におけるパケットの送信の動作を示すシーケンス図（その１）である。図１２へ続く。
【図１２】無線通信システム１００の親局１１０、ＡＰ１２１、ＡＰ１２２、ＡＰ１２３及びＡＰ１２４におけるパケットの送信の動作を示すシーケンス図（その２）である。
【図１３】無線通信システム１００の親局１１０、ＡＰ１２１、ＡＰ１２２、ＡＰ１２３及びＡＰ１２４におけるパケットの受信の動作を示すシーケンス図である。
【図１４】変形例（１）としての無線通信システム１４００の構成を示すブロック図である。
【図１５】変形例（２）としての無線通信システム１５００における親局１５９８、ＡＰ１５９９−１、ＡＰ１５９９−２、ＡＰ１５９９−３及びＡＰ１５９９−４の構成を示すブロック図である。
【図１６】変形例（３）としての無線通信システム１６００における親局１６９８、ＡＰ１６９９−１、ＡＰ１６９９−２、ＡＰ１６９９−３及びＡＰ１６９９−４の構成を示すブロック図である。
【図１７】無線通信システム１００において、親局１１０が新たにＡＰを支配下とする場合の動作を示すフローチャートである。
【図１８】実施の形態２としての無線通信システム１８００の構成を示すブロック図である。
【図１９】マスタＡＰであるＡＰ１８２０−１の構成を示すブロック図である。
【図２０】マスタＡＰでないＡＰ２０００の構成を示すブロック図である。
【図２１】すべてのＡＰ１８２０−１、ＡＰ１８２０−２、ＡＰ１８２０−３及びＡＰ１８２０−４をマルチキャスト用に設定して送信する場合において、送信されるデータの例を示す。
【図２２】ＡＰ１８２０−１及びＡＰ１８２０−２をマルチキャスト用に設定し、ＡＰ１８２０−３及びＡＰ１８２０−４をユニキャスト用に設定して送信する場合において、送信されるデータの例を示す。この場合、ＡＰ１８２０−３及びＡＰ１８２０−４において、同一のデータが送信される。
【図２３】ＡＰ１８２０−１及びＡＰ１８２０−２をマルチキャスト用に設定し、ＡＰ１８２０−３及びＡＰ１８２０−４をユニキャスト用に設定して送信する場合において、送信されるデータの例を示す。この場合、ＡＰ１８２０−３及びＡＰ１８２０−４において、異なるデータが送信される。
【図２４】無線通信システム１８００において、マスタＡＰであるＡＰ１８２０−１が新たにＡＰを支配下とする場合の動作を示すフローチャートである。
【図２５】実施の形態３としての無線通信システム２５００の構成を示すブロック図である。
【図２６】ＡＰ２５２０の構成を示すブロック図である。
【図２７】親局２５１０の構成を示すブロック図である。
【図２８】すべてのＡＰ２５２０−１、ＡＰ２５２０−２、ＡＰ２５２０−３及びＡＰ２５２０−４をマルチキャスト用に設定して送信する場合において、送信されるデータの例を示す。
【図２９】すべてのＡＰ２５２０−１、ＡＰ２５２０−２、ＡＰ２５２０−３及びＡＰ２５２０−４をマルチキャスト用に設定して送信する場合において、送信されるデータの別の例を示す。
【図３０】ＡＰ２５２０−１及びＡＰ２５２０−２をマルチキャスト用に設定し、ＡＰ２５２０−３及びＡＰ２５２０−４をユニキャスト用に設定して送信する場合において、送信されるデータの例を示す。この場合、ＡＰ２５２０−３及びＡＰ２５２０−４において、同じデータが送信される。
【図３１】ＡＰ２５２０−１及びＡＰ２５２０−２をマルチキャスト用に設定し、ＡＰ２５２０−３及びＡＰ２５２０−４をユニキャスト用に設定して送信する場合において、送信されるデータの別の例を示す。この場合、ＡＰ２５２０−３及びＡＰ２５２０−４において、同じデータが送信される。
【図３２】ＡＰ２５２０−１及びＡＰ２５２０−２をマルチキャスト用に設定し、ＡＰ２５２０−３及びＡＰ２５２０−４をユニキャスト用に設定して送信する場合において、送信されるデータの例を示す。この場合、ＡＰ２５２０−３及びＡＰ２５２０−４において、異なるデータが送信される。
【図３３】ＡＰ２５２０−１及びＡＰ２５２０−２をマルチキャスト用に設定し、ＡＰ２５２０−３及びＡＰ２５２０−４をユニキャスト用に設定して送信する場合において、送信されるデータの別の例を示す。この場合、ＡＰ２５２０−３及びＡＰ２５２０−４において、異なるデータが送信される。
【図３４】実施の形態４としての無線通信システム３４００の構成を示すブロック図である。
【図３５】マスタＡＰであるＡＰ３４２０−１の構成を示すブロック図である。
【図３６】マスタＡＰでないＡＰ３６００の構成を示すブロック図である。
【図３７】親局３４１０の構成を示すブロック図である。
【図３８】すべてのＡＰ３４２０−１、ＡＰ３４２０−２、ＡＰ３４２０−３及びＡＰ３４２０−４をマルチキャスト用に設定して送信する場合において、送信されるデータの例を示す。
【図３９】すべてのＡＰ３４２０−１、ＡＰ３４２０−２、ＡＰ３４２０−３及びＡＰ３４２０−４をマルチキャスト用に設定して送信する場合において、送信されるデータの別の例を示す。
【図４０】ＡＰ３４２０−１及びＡＰ３４２０−２をマルチキャスト用に設定し、ＡＰ３４２０−３及びＡＰ３４２０−４をユニキャスト用に設定して送信する場合において、送信されるデータの例を示す。この場合、ＡＰ３４２０−３及びＡＰ３４２０−４において、同じデータが送信される。
【図４１】ＡＰ３４２０−１及びＡＰ３４２０−２をマルチキャスト用に設定し、ＡＰ３４２０−３及びＡＰ３４２０−４をユニキャスト用に設定して送信する場合において、送信されるデータの別の例を示す。この場合、ＡＰ３４２０−３及びＡＰ３４２０−４において、同じデータが送信される。
【図４２】ＡＰ３４２０−１及びＡＰ３４２０−２をマルチキャスト用に設定し、ＡＰ３４２０−３及びＡＰ３４２０−４をユニキャスト用に設定して送信する場合において、送信されるデータの例を示す。この場合、ＡＰ３４２０−３及びＡＰ３４２０−４において、異なるデータが送信される。
【図４３】ＡＰ３４２０−１及びＡＰ３４２０−２をマルチキャスト用に設定し、ＡＰ３４２０−３及びＡＰ３４２０−４をユニキャスト用に設定して送信する場合において、送信されるデータの別の例を示す。この場合、ＡＰ３４２０−３及びＡＰ３４２０−４において、異なるデータが送信される。
【図４４】実施の形態５としての無線通信システム４４００の構成を示すブロック図である。
【図４５】マスタＡＰであるＡＰ４４２０−１の構成を示すブロック図である。
【図４６】マスタでないＡＰ４６００の構成を示すブロック図である。
【図４７】晴天時に、すべてのＡＰ４４２０−１、ＡＰ４４２０−２、ＡＰ４４２０−３及びＡＰ４４２０−４をユニキャスト用に設定して送信する場合において、送信されるデータの例を示す。
【図４８】降雨時に、すべてのＡＰ４４２０−１、ＡＰ４４２０−２、ＡＰ４４２０−３及びＡＰ４４２０−４をユニキャスト用に設定して送信する場合において、送信されるデータの例を示す。
【図４９】マスタＡＰであるＡＰ４４２０−１の動作を示すフローチャートである。
【発明を実施するための形態】
【０００８】
１．本発明の基礎となった知見
例えば、Ｇｂｐｓというような単位で大容量伝送を実現する方法として、ミリ波を例とする周波数帯を用いた無線通信方式を導入する方法がある。ミリ波の周波数帯の電波は、直進性が強く、減衰が早いという特性を有する。このため、電波の届くセル範囲を広くすることが難しいという課題がある。
【０００９】
本発明の発明者は、ミリ波の周波数帯の電波を用いた広いセル範囲を持つ無線通信システムを実現することが難しいと考えている。そこで、本発明の発明者は、上記の課題を解決し、ミリ波の周波数帯の電波を用いた無線通信を実現できる新しい伝送方式を提案する。
また、本発明の発明者は、ミリ波の周波数帯の電波を用いて、マルチキャスト、又は、ユニキャストの通信を実現したいという要望もあると考えている。特に、マルチキャストにおいて、多くの端末を収容するための方式を考える必要がある。さらに、マルチキャストを実現しているときに、ユニキャストも同時に実現したいという要望があると考えている。
【００１０】
なお、ネットワーク内で、単一のアドレスを指定して特定の相手にデータを送信することをユニキャストと呼ぶ。また、複数の相手を指定してデータを送信することをマルチキャストと呼ぶ。
２．実施の形態１
本発明に係る一つの実施の形態としての無線通信システム１００について説明する。
【００１１】
２．１  無線通信システム１００
無線通信システム１００は、図１に示すように、親局１１０、ＡＰ（Ａｃｃｅｓｓ  Ｐｏｉｎｔ）１２１、ＡＰ１２２、ＡＰ１２３、ＡＰ１２４、及び、端末１３１、端末１３２、・・・、端末１３８から構成されている。
親局１１０は、直接、又は、通信回線を介して間接的に、通信装置（図示していない）と接続されている。ここで、通信装置は、一例として、データを放送するデータを放送する放送装置、データを送信する配信システムやサーバーなどである。通信装置は、制御信号及びデータを送信する。制御信号は、ユニキャスト送信方法に関する設定又はマルチキャスト送信方法に関する設定、及び、位相変更の方法の設定を含む（この点については、後で説明する）。さらに、通信装置は、複数の通信装置から構成されているとしてもよい。この場合、第１の通信装置は、制御信号を送信し、第２の通信装置は、データを送信してもよい。親局１１０は、ＡＰ１２１、ＡＰ１２２、ＡＰ１２３及びＡＰ１２４と、例えば、有線により接続されている。（無線で接続してもよい。）
親局１１０は、通信装置からの制御信号及びデータを受信する。親局１１０は、ＡＰ１２１、ＡＰ１２２、ＡＰ１２３及びＡＰ１２４に対して、それぞれ、制御信号及びデータを送信する。ＡＰ１２１、ＡＰ１２２、ＡＰ１２３及びＡＰ１２４は、親局１１０から得たデータを無線により送信する。
【００１２】
端末１３１、端末１３２、・・・、端末１３８は、それぞれ、６ＧＨｚ以上、例えば、ミリ波と呼ばれる周波数帯域、一例として、６０ＧＨｚの周波数帯域を用いる無線通信機能を備える携帯電話、スマートフォン、タブレット、パーソナルコンピュータ（ＰＣ）である。
端末１３１は、例えば、端末１３１がＡＰ１２１に近接する位置に存在する場合、ＡＰ１２１から無線によりデータを受信する。端末１３２、端末１３３、・・・、端末１３８も、それぞれ、端末１３１と同様に、近接するＡＰから無線によりデータを受信する。
【００１３】
また、端末１３１は、データを無線により送信する。端末１３１がＡＰ１２１に近接する位置に存在する場合、ＡＰ１２１は、端末１３１からデータを無線により受信する。ＡＰ１２１は、受信したデータを親局１１０に対して送信する。
端末１３２、端末１３３、・・・、端末１３８も、端末１３１と同様に、データを無線により送信する。各端末に近接する位置に存在するＡＰは、当該端末からデータを無線により受信する。当該ＡＰは、端末から受信したデータを親局１１０に対して送信する。
【００１４】
親局１１０は、各端末から、各ＡＰを介して、データを受信する。親局１１０は、受信したデータを通信装置に対して出力する。
２．２  ＡＰ１２０
ＡＰ１２１、ＡＰ１２２、ＡＰ１２３及びＡＰ１２４は、例えば、同一の構成（同一の機能）を有している。ここでは、ＡＰ１２１、ＡＰ１２２、ＡＰ１２３及びＡＰ１２４を代表して、ＡＰ１２０として、説明する。
【００１５】
ＡＰ１２０は、図２に示すように、符号化器２０２、インターリーバ２０４、マッピング部２０６、位相変更部２０８、無線部２１０、アンテナ２１２、アンテナ２１５及び受信装置２１７から構成されている。
ＡＰ１２０は、親局１１０から制御信号２１４を受け取る。制御信号２１４は、ユニキャスト送信方法に関する設定又はマルチキャスト送信方法に関する設定、及び、位相変更の方法の設定を含む。
【００１６】
ＡＰ１２０は、親局１１０から受け取った制御信号２１４に基づいて、ユニキャスト送信方法に関する設定を行う。また、ＡＰ１２０は、制御信号２１４に基づいて、位相変更の方法の設定を行う。なお、マルチキャスト送信と設定された場合に、他のＡＰと同一の周波数（周波数帯）を使用するように、設定される。
ＡＰ１２０は、ユニキャスト送信と設定した場合、受信装置２１７を動作させる。また、ＡＰ１２０は、マルチキャスト送信と設定した場合、受信装置２１７の動作を停止させてもよい。
【００１７】
ＡＰ１２０は、ユニキャスト送信の場合とマルチキャスト送信の場合とで、同一のチャネル（または、同一の周波数（周波数帯））を使用して、無線による送受信を行う。ここで、ＡＰ１２０は、一つの無線キャリアをいくつかのタイムスロットに分割し、各タイムスロットを通信のチャネルとして使用してもよい。また、ＡＰ１２０は、６０ＧＨｚの周波数帯域において、複数の異なる周波数を用い、それぞれの周波数を通信のチャネルとして使用してもよい。
【００１８】
（１）符号化器２０２
符号化器２０２は、親局１１０からデータ２０１を受け取る。また、符号化器２０２は、ＡＰ１２０が備えるコントローラから制御信号２１３を受け取る。制御信号２１３は、符号化方式の指定、誤り訂正方式の指定、符号化率、ブロック長等の情報を含む。符号化器２０２は、制御信号２１３により指定された方式を用いて、データ２０１に対して、例えば、畳み込み符号、ＬＤＰＣ符号、ターボ符号等の誤り訂正符号化を行う。符号化器２０２は、符号化後のデータ２０３を出力する。
【００１９】
（２）インターリーバ２０４
インターリーバ２０４は、符号化器２０２から、符号化後のデータ２０３を受け取る。また、インターリーバ２０４は、ＡＰ１２０が備えるコントローラから制御信号２１３を受け取る。制御信号２１３は、インタリーブの方法の指定を含む。インターリーバ２０４は、符号化後のデータ２０３に対して、制御信号２１３により指定されるインタリーブの方法により、インタリーブ、つまり、順番の並び替えを行う。インターリーバ２０４は、インタリーブ後のデータ２０５を出力する。
【００２０】
（３）マッピング部２０６
マッピング部２０６は、インターリーバ２０４から、インタリーブ後のデータ２０５を受け取る。また、マッピング部２０６は、ＡＰ１２０が備えるコントローラから制御信号２１３を受け取る。制御信号２１３は、変調方式の指定を含む。マッピング部２０６は、制御信号２１３に含まれる変調方式の指定に従って、インタリーブ後のデータ２０５に対して、ＱＰＳＫ（Ｑｕａｄｒａｔｕｒｅ  Ｐｈａｓｅ  Ｓｈｉｆｔ  Ｋｅｙｉｎｇ）、１６ＱＡＭ（１６  Ｑｕａｄｒａｔｕｒｅ  Ａｍｐｌｉｔｕｄｅ  Ｍｏｄｕｌａｔｉｏｎ）、６４ＱＡＭ（６４  Ｑｕａｄｒａｔｕｒｅ  Ａｍｐｌｉｔｕｄｅ  Ｍｏｄｕｌａｔｉｏｎ）等の変調を施し、変調後の信号２０７を生成する（変調方式は、これらに限ったものではない。）。マッピング部２０６は、変調後の信号２０７を出力する。
【００２１】
なお、マッピング部２０６は、位相変更の処理を含むマッピングを行ってもよい。
（４）位相変更部２０８
位相変更部２０８は、マッピング部２０６から変調後の信号２０７を受け取る。また、位相変更部２０８は、制御信号２１４を受け取る。制御信号２１４は、位相変更の方法の設定を含む。位相変更部２０８は、制御信号２１４に含まれる位相変更の方法の設定に従って、変調後の信号２０７に対して、位相変更を施し、位相変更後の信号２０９を生成する。位相変更部２０８は、位相変更後の信号２０９を出力する。
【００２２】
（５）無線部２１０及びアンテナ２１２
無線部２１０は、位相変更部２０８から、位相変更後の信号２０９を受け取る。また、無線部２１０は、ＡＰ１２０が備えるコントローラから制御信号２１３を受け取る。制御信号２１３は、周波数変換、増幅等の指定を含む。無線部２１０は、位相変更後の信号２０９に対して、周波数変換、増幅等の処理を施し、送信信号２１１を生成する。無線部２１０は、６ＧＨｚ以上の、例えば、ミリ波と呼ばれる周波数帯域を用いて、一例として、６０ＧＨｚの周波数帯域を用いて、生成した送信信号２１１をアンテナ２１２に対して出力する。
【００２３】
アンテナ２１２は、送信信号２１１を電波として出力する。
（６）アンテナ２１５及び受信装置２１７
アンテナ２１５は、各端末により電波として出力された信号２１６を受信する。
受信装置２１７は、６ＧＨｚ以上の、例えば、ミリ波と呼ばれる周波数帯域を用いて、一例として、６０ＧＨｚの周波数帯域を用いて、アンテナ２１５から信号２１６を受け取り、増幅、周波数変換等の処理を施し、データ２１８を生成する。受信装置２１７は、データ２１８を親局１１０に対して出力する。
【００２４】
なお、アンテナ２１２とアンテナ２１５とは、同一体であってもよい。便宜上、別々の表記をしている。
２．３  親局１１０
親局１１０は、図３に示すように、送信データ振り分け部３０２、受信データ振り分け部３０５及び指示部３０８から構成されている。
【００２５】
（１）指示部３０８
指示部３０８は、通信装置、並びに、ＡＰ１２１、ＡＰ１２２、ＡＰ１２３及びＡＰ１２４に接続されている。
指示部３０８は、例えば、通信装置から制御信号を受け取る。制御信号は、ユニキャスト送信に関する設定又はマルチキャスト送信に関する設定、及び、位相変更の方法の設定を含む。通信装置は、一例として、ＰＣ（Personal Computer）（または、コンピュータなど）を含み、ＰＣの利用者が制御信号をＰＣにより入力する。
【００２６】
また、制御信号は、ＡＰ毎に個別に設定されるとしてもよいし、すべてのＡＰについて、同一の制御信号が設定されるとしてもよい。
すべてのＡＰに対して、マルチキャスト送信と設定をしてもよいし、すべてのＡＰに対して、ユニキャスト送信と設定をしてもよい。一部のＡＰについて、マルチキャスト送信と設定をし、他のＡＰについて、ユニキャスト送信と設定をしてもよい。このように、ＡＰについて、マルチキャスト送信に関する設定とユニキャストに関する設定が混在してもよい。
【００２７】
マルチキャストに設定された複数のＡＰについては、位相変更前の変調信号は、同一の信号となる。言い換えると、同一のデータが送信される。
そして、各ＡＰに対して、位相変更の方法を指示する。
ユニキャストに設定された複数のＡＰについては、位相変更前の変調信号は、同一の信号であってもよいし、異なる信号であってもよい。言い換えると、同一のデータが送信される場合もあるし、異なるデータが送信される場合もある。
【００２８】
指示部３０８は、受け取った制御信号を、送信データ振り分け部３０２、受信データ振り分け部３０５、並びに、ＡＰ１２１、ＡＰ１２２、ＡＰ１２３及びＡＰ１２４に対して、出力する。
（２）送信データ振り分け部３０２
送信データ振り分け部３０２は、通信装置、指示部３０８、並びに、ＡＰ１２１、ＡＰ１２２、ＡＰ１２３及びＡＰ１２４に接続されている。
【００２９】
送信データ振り分け部３０２は、指示部３０８から制御信号を受け取る。送信データ振り分け部３０２は、受け取った制御信号をＡＰ１２１、ＡＰ１２２、ＡＰ１２３及びＡＰ１２４に対して出力する。
また、送信データ振り分け部３０２は、通信装置からデータを受け取る。送信データ振り分け部３０２は、受け取ったデータをＡＰ１２１向け、ＡＰ１２２向け、ＡＰ１２３向け及びＡＰ１２４向けに振り分ける。送信データ振り分け部３０２は、振り分けたデータを、それぞれ、ＡＰ１２１、ＡＰ１２２、ＡＰ１２３及びＡＰ１２４に対して出力する。
【００３０】
（３）受信データ振り分け部３０５
受信データ振り分け部３０５は、通信装置、指示部３０８、並びに、ＡＰ１２１、ＡＰ１２２、ＡＰ１２３及びＡＰ１２４に接続されている。
また、受信データ振り分け部３０５は、ＡＰ１２１、ＡＰ１２２、ＡＰ１２３及びＡＰ１２４から、それぞれ、データを受信する。受信データ振り分け部３０５は、受信したデータを通信装置に対して出力する。
【００３１】
２．４  送受信されるデータの例
親局１１０、ＡＰ１２１、ＡＰ１２２、ＡＰ１２３及びＡＰ１２４により、送受信されるデータの例について、以下に説明する。
（１）すべてのＡＰをマルチキャスト用の送信に設定し、データを送信する場合
すべてのＡＰ１２１、ＡＰ１２２、ＡＰ１２３及びＡＰ１２４をマルチキャスト用の送信に設定し、データを送信する場合において、送信されるデータの例について、図４を用いて説明する。
【００３２】
送信データ振り分け部３０２は、図４に示すように、パケット４０１、４０２、４０３、４０４、・・・をこの順序で受信する。ここで、パケット４０１、４０２、４０３、４０４、・・・は、すべて、マルチキャスト用のパケットである。パケット４０１、４０２、４０３、４０４、・・・は、マルチキャスト用の一つのデータから生成される。
すべてのＡＰがマルチキャスト用に設定されている場合、送信データ振り分け部３０２は、パケット４０１を受信すると、ＡＰ１２１、ＡＰ１２２、ＡＰ１２３及びＡＰ１２４に対して、同一のパケット４０１を出力する。ＡＰ１２１、ＡＰ１２２、ＡＰ１２３及びＡＰ１２４は、それぞれ、パケット４０６、４１１、４１６及び４２１を無線により出力する。ここで、パケット４０６、４１１、４１６及び４２１は、同一のパケット４０１に基づいて生成され、対応している。
【００３３】
次に、送信データ振り分け部３０２は、パケット４０２を受信すると、ＡＰ１２１、ＡＰ１２２、ＡＰ１２３及びＡＰ１２４に対して、同一のパケット４０２を出力する。ＡＰ１２１、ＡＰ１２２、ＡＰ１２３及びＡＰ１２４は、それぞれ、パケット４０７、４１２、４１７及び４２２を無線により、マルチキャストで出力する。ここで、パケット４０７、４１２、４１７及び４２２は、同一のパケット４０２に基づいて生成され、対応している。
【００３４】
次に、送信データ振り分け部３０２は、パケット４０３を受信すると、ＡＰ１２１、ＡＰ１２２、ＡＰ１２３及びＡＰ１２４に対して、同一のパケット４０３を出力する。ＡＰ１２１、ＡＰ１２２、ＡＰ１２３及びＡＰ１２４は、それぞれ、パケット４０８、４１３、４１８及び４２３を無線により、マルチキャストで出力する。ここで、パケット４０８、４１３、４１８及び４２３は、同一のパケット４０３に基づいて生成され、対応している。
【００３５】
次に、送信データ振り分け部３０２は、パケット４０４を受信すると、ＡＰ１２１、ＡＰ１２２、ＡＰ１２３及びＡＰ１２４に対して、同一のパケット４０４を出力する。ＡＰ１２１、ＡＰ１２２、ＡＰ１２３及びＡＰ１２４は、それぞれ、パケット４０９、４１４、４１９及び４２４を無線により、マルチキャストで出力する。ここで、パケット４０９、４１４、４１９及び４２４は、同一のパケット４０４に基づいて生成され、対応している。
【００３６】
このとき、ＡＰ１２１、ＡＰ１２２、ＡＰ１２３及びＡＰ１２４は、それぞれ、変調信号に対し、位相変更を行うことになることが特徴的な点となる。（ただし、ＡＰ１２１、ＡＰ１２２、ＡＰ１２３、Ｐ１２４のいずれかが、位相変更を行わないとしてもよい。）
（なお、位相変更の方法については、後で詳しく説明する。）
このようにすることで、マルチキャストの変調信号が届くセル範囲を広くすることができるとともに、位相変更を行うことで、変調信号の干渉により、受信が困難となる点の存在を少なくすることができるという利点を得ることができる。
【００３７】
（２）２個のＡＰをマルチキャスト用の送信と設定して、データを送信する場合
２個のＡＰ１２１及びＡＰ１２２をマルチキャスト用のデータ送信のＡＰと設定し、他の２個のＡＰ１２３及びＡＰ１２４をユニキャスト用のデータ送信のＡＰと設定し、データを送信する場合において、送信されるデータの例について、図５を用いて説明する。この場合、ＡＰ１２１及びＡＰ１２２において、同一のデータが送信されるとする（位相変更前のマッピング後の変調信号が同一である）。また、ＡＰ１２３及びＡＰ１２４において、同一のデータが送信されるとする（位相変更前のマッピング後の変調信号が同一である）。
【００３８】
送信データ振り分け部３０２は、図５に示すように、パケット５０１、５０２、５０３、５０４、５０５、５０６、・・・をこの順序で受信する。ここで、パケット５０１、５０３、５０４及び５０６、・・・は、マルチキャスト用のパケットである。また、パケット５０２及び５０５は、ユニキャスト用のパケットである。
ここで、パケット５０１、５０３、５０４及び５０６は、マルチキャスト用の一つのデータから生成される。また、パケット５０２及び５０５は、ユニキャスト用の一つのデータから生成される。
【００３９】
送信データ振り分け部３０２は、パケット５０１を受信すると、ＡＰ１２１及びＡＰ１２２に対して、同一のパケット５０１を出力する。ＡＰ１２１及びＡＰ１２２は、それぞれ、パケット５１１及び５２１を無線により、マルチキャスト送信として、出力する。ここで、パケット５１１、５２１は、同一のパケット５０１に基づいて生成され、対応している。
【００４０】
次に、送信データ振り分け部３０２は、パケット５０２を受信すると、ＡＰ１２３及びＡＰ１２４に対して、同一のパケット５０２を出力する。ＡＰ１２３及びＡＰ１２４は、それぞれ、パケット５３１及び５４１を無線により、ユニキャスト送信として、出力する。ここで、パケット５３１及び５４１は、同一のパケット５０２に基づいて生成され、対応している。
【００４１】
次に、送信データ振り分け部３０２は、パケット５０３を受信すると、ＡＰ１２１及びＡＰ１２２に対して、同一のパケット５０３を出力する。ＡＰ１２１及びＡＰ１２２は、それぞれ、パケット５１２及び５２２を無線により、マルチキャスト送信として、出力する。ここで、パケット５１２及び５１３は、同一のパケット５０３に基づいて生成され、対応している。
【００４２】
次に、送信データ振り分け部３０２は、パケット５０４を受信すると、ＡＰ１２１及びＡＰ１２２に対して、同一のパケット５０４を出力する。ＡＰ１２１及びＡＰ１２２は、それぞれ、パケット５１３及び５２３を無線により、マルチキャスト送信として、出力する。ここで、パケット５１３及び５２３は、同一のパケット５０４に基づいて生成され、対応している。
【００４３】
次に、送信データ振り分け部３０２は、パケット５０５を受信すると、ＡＰ１２３及びＡＰ１２４に対して、同一のパケット５０５を出力する。ＡＰ１２３及びＡＰ１２４は、それぞれ、パケット５３２及び５４２を無線により、ユニキャスト送信として、出力する。ここで、パケット５３２及び５４２は、同一のパケット５０５に基づいて生成され、対応している。
【００４４】
次に、送信データ振り分け部３０２は、パケット５０６を受信すると、ＡＰ１２１及びＡＰ１２２に対して、同一のパケット５０６を出力する。ＡＰ１２１及びＡＰ１２２は、それぞれ、パケット５１４及び５２４を無線により、マルチキャスト送信として、出力する。ここで、パケット５１４及び５２４は、同一のパケット５０６に基づいて生成され、対応している。
【００４５】
上記において、ユニキャスト送信により変調信号を送信する場合、ＡＰ１２３及びＡＰ１２４において送信されるパケットは、同一のデータに基づくとしている。このとき、ＡＰ１２３及びＡＰ１２４において、伝送パラメータは、同一である。ＡＰ１２３及びＡＰ１２４は、異なる位相変更を行うとしてもよい。（ただし、ＡＰ１２３、ＡＰ１２４のいずれかが、位相変更を行わないとしてもよい。）
このようにすることで、ユニキャストの変調信号が届くセル範囲を広くすることができるとともに、位相変更を行うことで、変調信号の干渉により、受信が困難となる点の存在を少なくすることができるという利点を得ることができる。
ＡＰ１２１、ＡＰ１２２は、それぞれ、変調信号に対し、位相変更を行うことになることが特徴的な点となる。（ただし、ＡＰ１２１、ＡＰ１２２のいずれかが、位相変更を行わないとしてもよい。）
（なお、位相変更の方法については、後で詳しく説明する。）
このようにすることで、マルチキャストの変調信号が届くセル範囲を広くすることができるとともに、位相変更を行うことで、変調信号の干渉により、受信が困難となる点の存在を少なくすることができるという利点を得ることができる。
【００４６】
（３）２個のＡＰをマルチキャスト送信用に設定して、データ送信する場合
２個のＡＰ１２１及びＡＰ１２２をマルチキャスト送信用に設定しデータを送信し、他の２個のＡＰ１２３及びＡＰ１２４をユニキャスト送信用に設定しデータを送信する場合において、送信されるデータの例について、図６を用いて説明する。図６の場合、図５と異なり、ＡＰ１２３及びＡＰ１２４において、異なるデータが送信されるとする。
【００４７】
送信データ振り分け部３０２は、図６に示すように、パケット６０１、６０２、６０３、６０４、６０５、６０６、６０７、６０８、６０９、６１０、・・・をこの順序で受信する。ここで、パケット６０１、６０３、６０４及び６０６は、マルチキャスト用のパケットである。また、パケット６０２、６０７及び６０９は、ＡＰ１２３により送信されるユニキャスト用のパケットである。パケット６０５、６０８及び６１０は、ＡＰ１２４により送信されるユニキャスト用のパケットである。
【００４８】
ここで、パケット６０１、６０３、６０４及び６０６は、マルチキャスト用の一つのデータから生成される。また、パケット６０２、６０７及び６０９は、ユニキャスト用の一つのデータから生成される。また、パケット６０５、６０８及び６１０は、ユニキャスト用の別のデータから生成される。
送信データ振り分け部３０２は、パケット６０１を受信すると、ＡＰ１２１及びＡＰ１２２に対して、同一のパケット６０１を出力する。ＡＰ１２１及びＡＰ１２２は、それぞれ、パケット６２１及び６２５を無線により、マルチキャスト送信として、出力する。ここで、パケット６２１及び６２５は、同一のパケット６０１に基づいて生成され、対応している。
【００４９】
次に、送信データ振り分け部３０２は、パケット６０２を受信すると、ＡＰ１２３に対して、パケット６０２を出力する。ＡＰ１２３は、パケット６３１を無線により、ユニキャスト送信として、出力する。
次に、送信データ振り分け部３０２は、パケット６０３を受信すると、ＡＰ１２１及びＡＰ１２２に対して、同一のパケット６０３を出力する。ＡＰ１２１及びＡＰ１２２は、それぞれ、パケット６２２及び６２６を無線により、マルチキャスト送信として、出力する。ここで、パケット６２２及び６２６は、同一のパケット６０３に基づいて生成され、対応している。
【００５０】
次に、送信データ振り分け部３０２は、パケット６０４を受信すると、ＡＰ１２１及びＡＰ１２２に対して、同一のパケット６０４を出力する。ＡＰ１２１及びＡＰ１２２は、それぞれ、パケット６２３及び６２７を無線により、マルチキャスト送信として、出力する。ここで、パケット６２３及び６２７は、同一のパケット６０４に基づいて生成され、対応している。
同一である。
【００５１】
次に、送信データ振り分け部３０２は、パケット６０５を受信すると、ＡＰ１２４に対して、パケット６０５を出力する。ＡＰ１２４は、パケット６４１を無線により、ユニキャスト送信として、出力する。
次に、送信データ振り分け部３０２は、パケット６０６を受信すると、ＡＰ１２１及びＡＰ１２２に対して、同一のパケット６０６を出力する。ＡＰ１２１及びＡＰ１２２は、それぞれ、パケット６２４及び６２８を無線により、マルチキャストで出力する。ここで、パケット６２４及び６２８は、同一のパケット６０６に基づいて生成され、対応している。
【００５２】
次に、送信データ振り分け部３０２は、パケット６０７を受信すると、ＡＰ１２３に対して、パケット６０７を出力する。ＡＰ１２３は、パケット６３２を無線により、ユニキャスト送信として、出力する。
次に、送信データ振り分け部３０２は、パケット６０８を受信すると、ＡＰ１２４に対して、パケット６０８を出力する。ＡＰ１２４は、パケット６４２を無線により、ユニキャスト送信として、出力する。
【００５３】
次に、送信データ振り分け部３０２は、パケット６０９を受信すると、ＡＰ１２３に対して、パケット６０９を出力する。ＡＰ１２３は、パケット６３３を無線により、ユニキャスト送信として、出力する。
次に、送信データ振り分け部３０２は、パケット６１０を受信すると、ＡＰ１２４に対して、パケット６１０を出力する。ＡＰ１２４は、パケット６４３を無線により、ユニキャスト送信として、出力する。
【００５４】
ＡＰ１２１、ＡＰ１２２は、それぞれ、変調信号に対し、位相変更を行うことになることが特徴的な点となる。（ただし、ＡＰ１２１、ＡＰ１２２のいずれかが、位相変更を行わないとしてもよい。）
（なお、位相変更の方法については、後で詳しく説明する。）
このようにすることで、マルチキャストの変調信号が届くセル範囲を広くすることができるとともに、位相変更を行うことで、変調信号の干渉により、受信が困難となる点の存在を少なくすることができるという利点を得ることができる。
【００５５】
また、ＡＰ１２３、ＡＰ１２４では、ユニキャスト通信を行うことができるという柔軟なシステムとなっている。
例えば、図４の送信状態、図５の送信状態、図６の送信状態に、時間に応じて切り替える（例えば、端末の存在状況によって切り替える）とすることで、柔軟なシステムを実現することができるという利点がある。
【００５６】
（４）２個のＡＰをマルチキャスト送信用に設定して、データを受信する場合
２個のＡＰ１２１及びＡＰ１２２をマルチキャスト送信用に設定し、他の２個のＡＰ１２３及びＡＰ１２４をユニキャスト送信用に設定し、データ受信する場合において、受信されるデータの例について、図７を用いて説明する。この場合、ＡＰ１２１及びＡＰ１２２において、データは、（マルチキャスト送信用のＡＰのため）受信されない。また、ＡＰ１２３及びＡＰ１２４において、同一のデータを含む信号が受信されるとする。
【００５７】
ＡＰ１２３の受信装置２１７は、パケット７１１、７１２、７１３、・・・を、この順序で受信して得られるものとする。また、ＡＰ１２４の受信装置２１７は、パケット７２１、７２２、７２３、・・・をこの順序で受信して得られるものとする。なお、ＡＰ１２３の受信装置２１７により受信するパケット７１２及びパケット７１３の間において、一つのパケットが得られなかったものとする。また、ＡＰ１２４の受信装置２１７により受信するパケット７２１及びパケット７２２の間において、一つのパケットが得られなかったものとする。
【００５８】
ＡＰ１２３の受信装置２１７がパケット７１１を受信すると、受信データ振り分け部３０５は、パケット７０１を受信する。パケット７１１とパケット７０２とは、対応している。
次に、ＡＰ１２４の受信装置２１７がパケット７２１を受信すると、受信データ振り分け部３０５は、パケット７０２を受信する。パケット７２１とパケット７０２とは、対応している。
【００５９】
次に、ＡＰ１２３の受信装置２１７がパケット７１２を受信すると、受信データ振り分け部３０５は、パケット７０３を受信する。パケット７１２とパケット７０３とは、対応している。
次に、ＡＰ１２４の受信装置２１７がパケット７２２を受信すると、受信データ振り分け部３０５は、パケット７０４を受信する。パケット７２２とパケット７０４とは、対応している。
【００６０】
次に、ＡＰ１２３の受信装置２１７がパケット７１３を受信すると、受信データ振り分け部３０５は、パケット７０５を受信する。パケット７１３とパケット７０５とは、対応している。
次に、ＡＰ１２４の受信装置２１７がパケット７２３を受信すると、受信データ振り分け部３０５は、パケット７０６を受信する。パケット７２３とパケット７０６とは、対応している。
【００６１】
なお、ＡＰ１２３とＡＰ１２４は、例えば、最大比合成を行い、その後、復調・復号を行い、パケットを得てもよい。
（５）２個のＡＰをマルチキャスト送信用に設定して、データを受信する場合
２個のＡＰ１２１及びＡＰ１２２をマルチキャスト送信用に設定し、他の２個のＡＰ１２３及びＡＰ１２４をユニキャスト送信用に設定し、データを受信する場合において、受信されるデータの例について、図８を用いて説明する。この場合、ＡＰ１２１及びＡＰ１２２において、データは、受信されない。また、ＡＰ１２３及びＡＰ１２４において、異なるデータが受信されるものとする。
【００６２】
ＡＰ１２３の受信装置２１７は、パケット８１１、８１２、８１３、８１４、・・・を、この順序でユニキャストにより受信する。また、ＡＰ１２４の受信装置２１７は、パケット８１６、８１７、８１８、８１９、・・・をこの順序でユニキャストとして受信する。
ここで、パケット８１１、８１２、８１３、８１４、・・・は、一つのユニキャスト用のデータから生成される。また、パケット８１６、８１７、８１８、８１９、・・・は、別のユニキャスト用のデータから生成される。
【００６３】
ＡＰ１２３の受信装置２１７がパケット８１１を受信すると、受信データ振り分け部３０５は、パケット８０１を受信する。パケット８１１とパケット８０１とは、対応している。
ＡＰ１２４の受信装置２１７がパケット８１６を受信すると、受信データ振り分け部３０５は、パケット８０２を受信する。パケット８１６とパケット８０２とは、対応している。
【００６４】
ＡＰ１２３の受信装置２１７がパケット８１２を受信すると、受信データ振り分け部３０５は、パケット８０３を受信する。パケット８１２とパケット８０３とは、対応している。
ＡＰ１２３の受信装置２１７がパケット８１３を受信すると、受信データ振り分け部３０５は、パケット８０４を受信する。パケット８１３とパケット８０４とは、対応している。
【００６５】
ＡＰ１２４の受信装置２１７がパケット８１７を受信すると、受信データ振り分け部３０５は、パケット８０５を受信する。パケット８１７とパケット８０５とは、対応している。
２．５  マッピング方法と位相変更
図９（Ａ）に、ＱＰＳＫ変調における信号を構成する同相成分Ｉと直交成分ＱのＩＱ平面におけるマッピング方法の一例を示す。
【００６６】
例えば、図９（Ａ）に示すように、入力データが「００」の場合、マッピング部２０６は、ベースバンド信号の同相成分Ｉ＝ｒ、ベースバンド信号の直交成分Ｑ＝ｒを出力する。同様に、入力データが「０１」の場合、マッピング部２０６は、ベースバンド信号の同相成分Ｉ＝―ｒ、ベースバンド信号の直交成分Ｑ＝ｒを出力する。入力データが「１０」の場合、マッピング部２０６は、ベースバンド信号の同相成分Ｉ＝ｒ、ベースバンド信号の直交成分Ｑ＝―ｒを出力する。同様に、入力データが「１１」の場合、マッピング部２０６は、ベースバンド信号の同相成分Ｉ＝―ｒ、ベースバンド信号の直交成分Ｑ＝―ｒを出力する。このように、図９（Ａ）に示す信号点９０１、９０２、９０３及び９０４が得られる。
【００６７】
また、位相変更後のマッピング方法の例を図９（Ｂ）に示す。
図９（Ａ）における信号点９０１、９０２、９０３及び９０４を、原点を中心にθ（ｕ）だけ回転させることにより（ｕはシンボル番号）、図９（Ｂ）における信号点９１１、９１２、９１３及び９１４を得ることができる。なお、位相変更値は、シンボル番号ｕの関数のため、θ（ｕ）とあらわす。
【００６８】
２．６  位相変更部
無線通信システム１００のＡＰ１２０は、図２に示す位相変更部２０８に代えて、図１０に示す位相変更部１００２を備えるとしてもよい。
位相変更部１００２は、変調後のベースバンド信号ｓ（ｔ）（１００１）を受け取る。
位相変更部１００２は、
ｚ（ｔ）＝ｙ（ｔ）×ｓ（ｔ）    （ｔは、時刻）
を算出する。
【００６９】
位相変更部１００２は、位相変更後の信号ｚ（ｔ）（１００５）を出力する。
ここで、ｙ（ｔ）を次のようにしてもよい。
【００７０】
【数１】
2017011679.tif 000003
なお、位相変更部１００２は、ｚ（ｔ）に代えて、
ｚ（ｆ）＝ｙ（ｆ）×ｓ（ｆ）    （ｆは、周波数）
を算出してもよい。
【００７１】
この場合、位相変更部１００２は、位相変更後の信号ｚ（ｆ）を出力する。
また、無線通信システム１００は、複数個の位相変更のパターンを保持しているとしてもよい。各ＡＰに一つの位相変更のパターンが割り当てられる。
例えば、無線通信システム１００は、周期Ｎ１、周期Ｎ２、周期Ｎ３、周期Ｎ４の４個の位相変更のパターンを保持している。周期Ｎ１の位相変更のパターン（位相変更値をｙ１（ｉ）とあらわすものとする。なお、ｙ１（ｉ）はシンボル番号ｉの関数とする。）を、ＡＰ１２１に割り当てる。周期Ｎ２の位相変更のパターン（位相変更値をｙ２（ｉ）とあらわすものとする。なお、ｙ２（ｉ）はシンボル番号ｉの関数とする。）を、ＡＰ１２２に割り当てる。周期Ｎ３の位相変更のパターン（位相変更値をｙ３（ｉ）とあらわすものとする。なお、ｙ３（ｉ）はシンボル番号ｉの関数とする。）を、ＡＰ１２３に割り当てる。周期Ｎ４の位相変更のパターン（位相変更値をｙ４（ｉ）とあらわすものとする。なお、ｙ４（ｉ）はシンボル番号ｉの関数とする。）を、ＡＰ１２４に割り当てる。
【００７２】
ＡＰ１２１の位相変更部１００２は、以下により、位相変更後の信号ｚ（ｉ）を算出する。
ｚ（ｉ）＝ｙ１（ｋ）  ×  ｓ（ｉ）
ここで、ｋ＝ｉ  ｍｏｄ  Ｎ１とし、Ｎ１は、２以上の整数である。また、ｉは、例えば、０以上の整数である。ｉ  ｍｏｄ  Ｎ１は、ｉをＮ１で割ったときの余りをあらわす。（ｍｏｄ：ｍｏｄｕｌｏ）
ＡＰ１２２の位相変更部１００２は、以下により、位相変更後の信号ｚ（ｉ）を算出する。
【００７３】
ｚ（ｉ）＝ｙ２（ｋ）  ×  ｓ（ｉ）
ここで、ｋ＝ｉ  ｍｏｄ  Ｎ２とし、Ｎ２は、２以上の整数である。また、ｉは、例えば、０以上の整数である。ｉ  ｍｏｄ  Ｎ２は、ｉをＮ２で割ったときの余りをあらわす。（ｍｏｄ：ｍｏｄｕｌｏ）
ＡＰ１２３の位相変更部１００２は、以下により、位相変更後の信号ｚ（ｉ）を算出する。
【００７４】
ｚ（ｉ）＝ｙ３（ｋ）  ×  ｓ（ｉ）
ここで、ｋ＝ｉ  ｍｏｄ  Ｎ３とし、Ｎ３は、２以上の整数である。また、ｉは、例えば、０以上の整数である。ｉ  ｍｏｄ  Ｎ３は、ｉをＮ３で割ったときの余りをあらわす。（ｍｏｄ：ｍｏｄｕｌｏ）
ＡＰ１２４の位相変更部１００２は、以下により、位相変更後の信号ｚ（ｉ）を算出する。
【００７５】
ｚ（ｉ）＝ｙ４（ｋ）  ×  ｓ（ｉ）
ここで、ｋ＝ｉ  ｍｏｄ  Ｎ４とし、Ｎ４は、２以上の整数である。また、ｉは、例えば、０以上の整数である。ｉ  ｍｏｄ  Ｎ４は、ｉをＮ４で割ったときの余りをあらわす。（ｍｏｄ：ｍｏｄｕｌｏ）
なお、位相変更のパターンは、可能な限り異なる方がよい。第１のＡＰと第２のＡＰとが近接している場合には、第１のＡＰに割り当てられる位相変更のパターンと、第２のＡＰに割り当てられる位相変更のパターンとは、異なるほうがよいこともある。
【００７６】
第１のＡＰに割り当てられる位相変更のパターンと、第２のＡＰに割り当てられる位相変更のパターンとは、同一であることもありうる。
また、ＡＰ１２１、ＡＰ１２２、ＡＰ１２３、ＡＰ１２４のいずれかが、位相変更を行わないとしてもよい。
２．７  無線通信システム１００における動作
ここでは、無線通信システム１００における動作について説明する。
【００７７】
（１）パケットの送信の動作
無線通信システム１００の親局１１０、ＡＰ１２１、ＡＰ１２２、ＡＰ１２３及びＡＰ１２４におけるパケットの送信の動作について、図１１〜図１２に示すシーケンス図を用いて、説明する。
通信装置は、パケットを生成し（ステップＳ１１０１）、生成したパケットを親局１１０に対して送信する（ステップＳ１１０２）。通信装置は、ステップＳ１１０１に戻って、パケットの生成及びパケットの送信を繰り返す。
【００７８】
送信データ振り分け部３０２は、通信装置からパケットを受信する（ステップＳ１１０２）。受信したパケットがマルチキャスト用かユニキャスト用かを判断する（ステップＳ１１０３）。ユニキャスト用である場合（ステップＳ１１０３で「ユニキャスト用」）、送信データ振り分け部３０２は、ステップＳ１２１６へ制御を移す。
マルチキャスト用である場合（ステップＳ１１０３で「マルチキャスト用」）、送信データ振り分け部３０２は、ＡＰ１２１がマルチキャスト用に設定されているか否かを判断する（ステップＳ１１０４）。ＡＰ１２１がマルチキャスト用に設定されている場合（ステップＳ１１０４で「マルチキャスト用」）、送信データ振り分け部３０２は、受信したパケットをＡＰ１２１に対して出力する（ステップＳ１１０５）。ＡＰ１２１は、パケットを受け取る（ステップＳ１１０５）。ＡＰ１２１は、符号化、インタリーブ、マッピング、位相変更等の処理を行う（ステップＳ１１０６）。次に、ＡＰ１２１は、無線により信号を出力する（ステップＳ１１０７）。
【００７９】
ＡＰ１２１がマルチキャスト用に設定されていない場合（ステップＳ１１０４で「Ｎｏ」）、送信データ振り分け部３０２は、ＡＰ１２２がマルチキャスト用に設定されているか否かを判断する（ステップＳ１１０８）。ＡＰ１２２がマルチキャスト用に設定されている場合（ステップＳ１１０８で「マルチキャスト用」）、送信データ振り分け部３０２は、受信したパケットをＡＰ１２２に対して出力する（ステップＳ１１０９）。ＡＰ１２２は、パケットを受け取る（ステップＳ１１０９）。ＡＰ１２２は、符号化、インタリーブ、マッピング、位相変更等の処理を行う（ステップＳ１１１０）。次に、ＡＰ１２２は、無線により信号を出力する（ステップＳ１１１１）。
【００８０】
ＡＰ１２２がマルチキャスト用に設定されていない場合（ステップＳ１１０８で「Ｎｏ」）、送信データ振り分け部３０２は、ＡＰ１２３がマルチキャスト用に設定されているか否かを判断する（ステップＳ１１１２）。ＡＰ１２３がマルチキャスト用に設定されている場合（ステップＳ１１１２で「マルチキャスト用」）、送信データ振り分け部３０２は、受信したパケットをＡＰ１２３に対して出力する（ステップＳ１１１３）。ＡＰ１２３は、パケットを受け取る（ステップＳ１１１３）。ＡＰ１２３は、符号化、インタリーブ、マッピング、位相変更等の処理を行い、無線により信号を出力する。
【００８１】
ＡＰ１２３がマルチキャスト用に設定されていない場合（ステップＳ１１１２で「Ｎｏ」）、送信データ振り分け部３０２は、ＡＰ１２４がマルチキャスト用に設定されているか否かを判断する（ステップＳ１１１４）。ＡＰ１２４がマルチキャスト用に設定されている場合（ステップＳ１１１４で「マルチキャスト用」）、送信データ振り分け部３０２は、受信したパケットをＡＰ１２４に対して出力する（ステップＳ１１１５）。ＡＰ１２４は、パケットを受け取る（ステップＳ１１１５）。ＡＰ１２４は、符号化、インタリーブ、マッピング、位相変更等の処理を行い、無線により信号を出力する。
【００８２】
ＡＰ１２４がマルチキャスト用に設定されていない場合（ステップＳ１１１４で「Ｎｏ」）、送信データ振り分け部３０２は、制御をステップＳ１１０２へ戻す。
受け取ったパケットがユニキャスト用である場合（ステップＳ１１０３で「ユニキャスト用」）、送信データ振り分け部３０２は、ＡＰ１２１がユニキャスト用に設定されているか否かを判断する（ステップＳ１２１６）。ＡＰ１２１がユニキャスト用に設定されている場合（ステップＳ１２１６で「ユニキャスト用」）、送信データ振り分け部３０２は、受信したパケットをＡＰ１２１に対して出力する（ステップＳ１２１７）。ＡＰ１２１は、パケットを受け取る（ステップＳ１２１７）。ＡＰ１２１は、符号化、インタリーブ、マッピング、位相変更等の処理を行う（ステップＳ１２１８）。次に、ＡＰ１２１は、無線により信号を出力する（ステップＳ１２１９）。
【００８３】
ＡＰ１２１がユニキャスト用に設定されていない場合（ステップＳ１２１６で「Ｎｏ」）、送信データ振り分け部３０２は、ＡＰ１２２がユニキャスト用に設定されているか否かを判断する（ステップＳ１２２０）。ＡＰ１２２がユニキャスト用に設定されている場合（ステップＳ１２２０で「ユニキャスト用」）、送信データ振り分け部３０２は、受信したパケットをＡＰ１２２に対して出力する（ステップＳ１２２１）。ＡＰ１２２は、パケットを受け取る（ステップＳ１２２１）。ＡＰ１２２は、符号化、インタリーブ、マッピング、位相変更等の処理を行う（ステップＳ１２２２）。次に、ＡＰ１２２は、無線により信号を出力する（ステップＳ１２２３）。
【００８４】
ＡＰ１２２がユニキャスト用に設定されていない場合（ステップＳ１２２０で「Ｎｏ」）、送信データ振り分け部３０２は、ＡＰ１２３がユニキャスト用に設定されているか否かを判断する（ステップＳ１２２４）。ＡＰ１２３がユニキャスト用に設定されている場合（ステップＳ１２２４で「ユニキャスト用」）、送信データ振り分け部３０２は、受信したパケットをＡＰ１２３に対して出力する（ステップＳ１２２５）。ＡＰ１２３は、パケットを受け取る（ステップＳ１２２５）。ＡＰ１２３は、符号化、インタリーブ、マッピング、位相変更等の処理を行い、無線により信号を出力する。
【００８５】
ＡＰ１２３がユニキャスト用に設定されていない場合（ステップＳ１２２４で「Ｎｏ」）、送信データ振り分け部３０２は、ＡＰ１２４がユニキャスト用に設定されているか否かを判断する（ステップＳ１２２６）。ＡＰ１２４がユニキャスト用に設定されている場合（ステップＳ１２２６で「ユニキャスト用」）、送信データ振り分け部３０２は、受信したパケットをＡＰ１２４に対して出力する（ステップＳ１２２７）。ＡＰ１２４は、パケットを受け取る（ステップＳ１２２７）。ＡＰ１２４は、符号化、インタリーブ、マッピング、位相変更等の処理を行い、無線により信号を出力する。
【００８６】
ＡＰ１２４がユニキャスト用に設定されていない場合（ステップＳ１２２６で「Ｎｏ」）、送信データ振り分け部３０２は、制御をステップＳ１１０２に戻す。
（２）パケットの受信の動作
無線通信システム１００の親局１１０、ＡＰ１２１、ＡＰ１２２、ＡＰ１２３及びＡＰ１２４におけるパケットの受信の動作について、図１３に示すシーケンス図を用いて、説明する。
【００８７】
ＡＰ１２１の受信装置２１７は、無線により信号を受信する（ステップＳ１３５１）。次に、受信装置２１７は、パケットを親局１１０に対して出力する（ステップＳ１３５２）。受信装置２１７は、ステップＳ１３５１に制御を戻して（ステップＳ１３５３）、無線の受信とパケットの出力とを繰り返す。
受信データ振り分け部３０５は、ＡＰ１２１の受信装置２１７からパケットを受信する（ステップＳ１３５２）。受信データ振り分け部３０５は、通信装置に対して、受信したパケットを出力する（ステップＳ１３５４）。
【００８８】
ＡＰ１２２の受信装置２１７は、無線により信号を受信する（ステップＳ１３５６）。次に、受信装置２１７は、パケットを親局１１０に対して出力する（ステップＳ１３５７）。受信装置２１７は、ステップＳ１３５６に制御を戻して（ステップＳ１３５８）、無線の受信とパケットの出力とを繰り返す。
受信データ振り分け部３０５は、ＡＰ１２２の受信装置２１７からパケットを受信する（ステップＳ１３５７）。受信データ振り分け部３０５は、通信装置に対して、受信したパケットを出力する（ステップＳ１３５９）。
【００８９】
ＡＰ１２３の受信装置２１７は、無線により信号を受信する（ステップＳ１３６１）。次に、受信装置２１７は、パケットを親局１１０に対して出力する（ステップＳ１３６２）。受信装置２１７は、ステップＳ１３６１に制御を戻して（ステップＳ１３６３）、無線の受信とパケットの出力とを繰り返す。
受信データ振り分け部３０５は、ＡＰ１２３の受信装置２１７からパケットを受信する（ステップＳ１３６２）。受信データ振り分け部３０５は、通信装置に対して、受信したパケットを出力する（ステップＳ１３６４）。
【００９０】
ＡＰ１２４の受信装置２１７は、無線により信号を受信する（ステップＳ１３６６）。次に、受信装置２１７は、パケットを親局１１０に対して出力する（ステップＳ１３６７）。受信装置２１７は、ステップＳ１３６６に制御を戻して（ステップＳ１３６８）、無線の受信とパケットの出力とを繰り返す。
受信データ振り分け部３０５は、ＡＰ１２４の受信装置２１７からパケットを受信する（ステップＳ１３６７）。受信データ振り分け部３０５は、通信装置に対して、受信したパケットを出力する（ステップＳ１３６９）。
【００９１】
２．８  変形例（１）
無線通信システム１００の変形例としての無線通信システム１４００について説明する。
無線通信システム１００においては、親局１１０は、それぞれ、ＡＰ１２１、ＡＰ１２２、ＡＰ１２３及びＡＰ１２４と有線により接続されている（無線であってもよい）。言い換えると、親局１１０と、ＡＰ１２１、ＡＰ１２２、ＡＰ１２３及びＡＰ１２４とは、有線（または、無線）によりパラレル（並列）に接続されている。しかし、この形態には、限定されない。
【００９２】
無線通信システム１４００は、無線通信システム１００と類似する構成を有している。ここでは、無線通信システム１００との相違点を中心に説明する。
無線通信システム１４００は、図１４に示すように、親局１４１０、ＡＰ１４２１、ＡＰ１４２２、ＡＰ１４２３、ＡＰ１４２４、及び、端末１４３１、端末１４３２、・・・、端末１４３８から構成されている。
【００９３】
無線通信システム１４００においては、親局１４１０は、有線（または、無線）によりＡＰ１４２１に接続されている。ＡＰ１４２１は、有線（または、無線）によりＡＰ１４２２に接続され、ＡＰ１４２２は、有線（または、無線）によりＡＰ１４２３に接続され、ＡＰ１４２３は、有線（または、無線）によりＡＰ１４２４に接続されている。言い換えると、親局１４１０と、ＡＰ１４２１、ＡＰ１４２２、ＡＰ１４２３及びＡＰ１４２４とは、有線（または、無線）によりシリアル（直列）に接続されている。
【００９４】
（親局１４１０から端末への方向のパケットの送信）
親局１４１０は、ＡＰ１４２１に対して、ＡＰ１４２１向けのパケット、ＡＰ１４２２向けのパケット、ＡＰ１４２３向けのパケット及びＡＰ１４２４向けのパケットを送信する。
ＡＰ１４２１は、親局１４１０から、ＡＰ１４２１向けのパケット、ＡＰ１４２２向けのパケット、ＡＰ１４２３向けのパケット及びＡＰ１４２４向けのパケットを受信する。
【００９５】
ＡＰ１４２１向けのパケットを受信すると、ＡＰ１４２１は、当該パケットに符号化等の処理を施して無線により出力する。
ＡＰ１４２１は、ＡＰ１４２２向けのパケット、ＡＰ１４２３向けのパケット及びＡＰ１４２４向けのパケットを得ると、ＡＰ１４２２向けのパケット、ＡＰ１４２３向けのパケット及びＡＰ１４２４向けのパケットをＡＰ１４２２に対して送信する。
【００９６】
ＡＰ１４２２は、ＡＰ１４２１から、ＡＰ１４２２向けのパケット、ＡＰ１４２３向けのパケット及びＡＰ１４２４向けのパケットを受信する。
ＡＰ１４２２向けのパケットを受信すると、ＡＰ１４２２は、当該パケットに符号化等の処理を施して無線により出力する。
ＡＰ１４２２は、ＡＰ１４２３向けのパケット及びＡＰ１４２４向けのパケットを得ると、受信したＡＰ１４２３向けのパケット及びＡＰ１４２４向けのパケットをＡＰ１４２３に対して送信する。
【００９７】
ＡＰ１４２３は、ＡＰ１４２２から、ＡＰ１４２３向けのパケット及びＡＰ１４２４向けのパケットを受信する。
ＡＰ１４２３向けのパケットを受信すると、ＡＰ１４２３は、当該パケットに符号化等の処理を施して無線により出力する。
ＡＰ１４２３は、ＡＰ１４２４向けのパケットを得ると、受信したＡＰ１４２４向けのパケットをＡＰ１４２３に対して送信する。
【００９８】
ＡＰ１４２４は、ＡＰ１４２３から、ＡＰ１４２４向けのパケットを受信する。
ＡＰ１４２４向けのパケットを受信すると、ＡＰ１４２４は、当該パケットに符号化等の処理を施して無線により出力する。
（端末から親局１４１０への方向のパケットの送信）
端末１４３１、端末１４３２、・・・、端末１４３８は、無線により、パケットを送信する。
【００９９】
ＡＰ１４２４は、いずれかの端末が送信したパケットを受信する。パケットを受信すると、ＡＰ１４２４は、受信したパケットをＡＰ１４２３に対して送信する。
ＡＰ１４２３は、いずれかの端末が送信したパケットを受信する。また、ＡＰ１４２３は、ＡＰ１４２４からパケット（ＡＰ１４２４が端末から無線により受信したパケット）を受信する。端末からのパケット及びＡＰ１４２４からのパケットを受信すると、ＡＰ１４２３は、端末からのパケット及びＡＰ１４２４からのパケットをＡＰ１４２２に対して送信する。
【０１００】
ＡＰ１４２２は、いずれかの端末が送信したパケットを受信する。また、ＡＰ１４２２は、ＡＰ１４２３からパケット（ＡＰ１４２４が端末から無線により受信したパケット及びＡＰ１４２３が端末から無線により受信したパケット）を受信する。端末からのパケット及びＡＰ１４２３からのパケットを受信すると、ＡＰ１４２３は、端末からのパケット及びＡＰ１４２３からのパケットをＡＰ１４２１に対して送信する。
【０１０１】
ＡＰ１４２１は、いずれかの端末が送信したパケットを受信する。また、ＡＰ１４２１は、ＡＰ１４２２からパケット（ＡＰ１４２４が端末から無線により受信したパケット、ＡＰ１４２３が端末から無線により受信したパケット及びＡＰ１４２２が端末から無線により受信したパケット）を受信する。端末からのパケット及びＡＰ１４２２からのパケットを受信すると、ＡＰ１４２１は、端末からのパケット及びＡＰ１４２２からのパケットを親局１４１０に対して送信する。
【０１０２】
２．９  変形例（２）
無線通信システム１００の変形例としての無線通信システム１５００について説明する。
無線通信システム１５００は、無線通信システム１００と類似した構成を有する。無線通信システム１５００は、図１５に示すように、無線通信システム１００の親局１１０、ＡＰ１２１、ＡＰ１２２、ＡＰ１２３及びＡＰ１２４に代えて、親局１５９８、ＡＰ１５９９−１、ＡＰ１５９９−２、ＡＰ１５９９−３及びＡＰ１５９９−４を有する。以下において、無線通信システム１００との相違点を中心に説明する。
【０１０３】
親局１５９８、ＡＰ１５９９−１、ＡＰ１５９９−２、ＡＰ１５９９−３及びＡＰ１５９９−４は、それぞれ、無線通信システム１００の親局１１０、ＡＰ１２１、ＡＰ１２２、ＡＰ１２３及びＡＰ１２４に相当する。
親局１５９８は、指示部１５０４、送信データ振り分け部１５０２、ＡＰ＃１用送信信号処理部１５０７−１、ＡＰ＃２用送信信号処理部１５０７−２、ＡＰ＃３用送信信号処理部１５０７−３、ＡＰ＃４用送信信号処理部１５０７−４及び図示していない受信データ振り分け部３０５から構成される。
【０１０４】
また、ＡＰ１５９９−１は、ＡＰ＃１送信処理部１５０９−１及びアンテナ１５１１−１を備える。ＡＰ１５９９−２は、ＡＰ＃２送信処理部１５０９−２及びアンテナ１５１１−２を備える。ＡＰ１５９９−３は、ＡＰ＃３送信処理部１５０９−３及びアンテナ１５１１−３を備える。ＡＰ１５９９−４は、ＡＰ＃４送信処理部１５０９−４及びアンテナ１５１１−４を備える。
【０１０５】
ＡＰ１５９９−１、ＡＰ１５９９−２、ＡＰ１５９９−３及びＡＰ１５９９−４は、それぞれ、少なくとも、誤り訂正符号化、インタリーブ、マッピング及び位相変更の処理を行わない。
ＡＰ＃１用送信信号処理部１５０７−１、ＡＰ＃２用送信信号処理部１５０７−２、ＡＰ＃３用送信信号処理部１５０７−３、ＡＰ＃４用送信信号処理部１５０７−４が、それぞれ、ＡＰ１５９９−１、ＡＰ１５９９−２、ＡＰ１５９９−３及びＡＰ１５９９−４のため、誤り訂正符号化、インタリーブ、マッピング及び位相変更の処理を行う。
【０１０６】
特に、ＡＰ＃１用送信信号処理部１５０７−１、ＡＰ＃２用送信信号処理部１５０７−２、ＡＰ＃３用送信信号処理部１５０７−３、ＡＰ＃４用送信信号処理部１５０７−４が、それぞれ、位相変更の処理を行うことが特徴である。
ＡＰ＃１送信処理部１５０９−１、ＡＰ＃２送信処理部１５０９−２、ＡＰ＃３送信処理部１５０９−３及びＡＰ＃４送信処理部１５０９−４は、それぞれ、周波数変換、電力増幅などの処理を行う。
【０１０７】
また、指示部１５０４による処理内容及び送信データ振り分け部１５０２による処理内容は、それぞれ、無線通信システム１００の指示部３０８による処理内容及び送信データ振り分け部３０２による処理内容と同様である。
なお、送信データ振り分け部１５０２による処理の例は、図４〜図６において説明した通りである。
【０１０８】
２．１０  変形例（３）
無線通信システム１００の変形例としての無線通信システム１６００について説明する。
無線通信システム１６００は、無線通信システム１００と類似した構成を有する。無線通信システム１６００は、図１６に示すように、無線通信システム１００の親局１１０、ＡＰ１２１、ＡＰ１２２、ＡＰ１２３及びＡＰ１２４に代えて、親局１６９８、ＡＰ１６９９−１、ＡＰ１６９９−２、ＡＰ１６９９−３及びＡＰ１６９９−４を有する。以下において、無線通信システム１００との相違点を中心に説明する。
【０１０９】
無線通信システム１００との主要な相違点は、受信処理（復調、復号）の機能を、親局１６９８と、ＡＰ１６９９−１、ＡＰ１６９９−２、ＡＰ１６９９−３及びＡＰ１６９９−４６７とで分担していることである。
親局１６９８、ＡＰ１６９９−１、ＡＰ１６９９−２、ＡＰ１６９９−３及びＡＰ１６９９−４は、それぞれ、無線通信システム１００の親局１１０、ＡＰ１２１、ＡＰ１２２、ＡＰ１２３及びＡＰ１２４に相当する。
【０１１０】
親局１６９８は、指示部１６１０、受信データ振り分け部１６０７、ＡＰ＃１用受信信号処理部１６０５−１、ＡＰ＃２用受信信号処理部１６０５−２、ＡＰ＃３用受信信号処理部１６０５−３、ＡＰ＃４用受信信号処理部１６０５−４及び図示していない送信データ振り分け部３０２から構成される。
また、ＡＰ１６９９−１は、ＡＰ＃１受信処理部１６０３−１及びアンテナ１６０１−１を備える。ＡＰ１６９９−２は、ＡＰ＃２受信処理部１６０３−２及びアンテナ１６０１−２を備える。ＡＰ１６９９−３は、ＡＰ＃３受信処理部１６０３−３及びアンテナ１６０１−３を備える。ＡＰ１６９９−４は、ＡＰ＃４受信処理部１６０３−４及びアンテナ１６０１−４を備える。
【０１１１】
ＡＰ＃１受信処理部１６０３−１、ＡＰ＃２受信処理部１６０３−２、ＡＰ＃３受信処理部１６０３−３及びＡＰ＃４受信処理部１６０３−４は、それぞれ、周波数変換などの処理を行う。
また、指示部１６１０による処理内容及び受信データ振り分け部１６０７による処理内容は、それぞれ、無線通信システム１００の指示部３０８による処理内容及び受信データ振り分け部３０５による処理内容と同様である。
【０１１２】
なお、受信データ振り分け部１６０７による処理の例は、図７及び図８において説明した通りである。
１．１１  親局がＡＰを支配下とする場合の動作
無線通信システム１００において、親局１１０が新たにＡＰを支配下とする場合の動作について、図１７に示すフローチャートを用いて説明する。
【０１１３】
ここでは、４台のＡＰ１２１、ＡＰ１２２、ＡＰ１２３及びＡＰ１２４が親局１１０の支配下にあるものとし、その後、新たなＡＰを追加する場合を想定する。この時点において、４台のＡＰ１２１、ＡＰ１２２、ＡＰ１２３及びＡＰ１２４に対して、位相変更パターン（及びＩＤ）は、すでに設定済みであるとする。
新たに親局１１０の支配下に入ろうとするＡＰは、親局１１０に対して、その支配下に入りたいという要望を通知する。親局１１０は、新たなＡＰは、要望を受け取る（ステップＳ１７０１）。
【０１１４】
親局１１０は、新たなＡＰを支配下とするか否かを判断する（ステップＳ１７０２）。新たなＡＰを支配下とすると判断する場合（ステップＳ１７０２で「Ｙｅｓ」）、親局１１０は、新たなＡＰにＩＤを付与する。このとき、ＩＤと位相変更パターンとは、関連付けされている。新たなＡＰは、付与されたＩＤから、位相変更パターンを設定する（ステップＳ１７０３）。これにより、新たにＡＰを支配下とする場合の動作を終了する。
【０１１５】
新たなＡＰを支配下としないと判断する場合（ステップＳ１７０２で「Ｎｏ」）、親局１１０は、新たなＡＰに対して、支配下としないことを通知する（ステップＳ１７０４）。これにより、新たにＡＰを支配下とする場合の動作を終了する。
なお、ステップＳ１７０３において、次のようにしてもよい。
親局１１０は、新たなＡＰが設定する位相変更パターンを示す情報を、新たなＡＰに送信する。新たなＡＰは、位相変更パターンを示す情報を受信し、受信した位相変更パターンを示す情報に基づいて、当該ＡＰにおける位相変更パターンを設定する。このとき、親局１１０は、新たなＡＰに対して、ＩＤを付与してもよいし、ＩＤを付与しなくてもよい。ここで、ＩＤを付与しておくと、親局１１０が、新たに支配下に入ったＡＰに対して、ユニキャスト用のＡＰ又はマルチキャスト用のＡＰの指定をする場合、「ＩＤ及びユニキャスト用又はマルチキャスト用」という情報を当該ＡＰに送信することにより、簡単にそのＡＰに対して、ＩＤ及びユニキャスト用又はマルチキャスト用の指定を行うことができるという利点がある。
【０１１６】
上記においては、４台のＡＰ１２１、ＡＰ１２２、ＡＰ１２３及びＡＰ１２４が親局１１０の支配下にあるものとし、その後、新たなＡＰを追加する場合について、説明した。しかし、このような場合には、限定されない。
初期状態において、親局１１０の支配下にあるＡＰが存在しないとしてもよい。この場合に、上記に説明したように、ＡＰを１台ずつ、親局１１０の支配下に入れるとしてもよい。
【０１１７】
なお、上記のステップＳ１７０２における判断において、支配下とするＡＰの台数の制限により、親局１１０は、新たなＡＰを支配下とするか否かを判断してもよい。親局１１０は、支配下とするＡＰの台数の最大値を記憶している。新たに支配下に入る１台のＡＰからの要望があるとき、現在、支配下となっているＡＰの台数に「１」を加算し、得られた値と最大値とを比較する。得られた値が最大値を超えない場合、又は、最大値に等しい場合、支配下に入ることを許可する。得られた値が最大値を超える場合、支配下に入ることを許可しない。
【０１１８】
なお、上記のステップＳ１７０２における判断において、新たなＡＰの存在する位置と、位相変更パターンとに応じて、親局１１０は、新たなＡＰを支配下とするか否かを判断してもよい。
このとき、例えば、新たなＡＰの存在する位置と、既に、支配下となっているＡＰの位置とが、離れているとき、親局１１０は、新たなＡＰが支配下となることを許可する。
【０１１９】
また、例えば、新たなＡＰの存在する位置と、既に、支配下となっているＡＰの位置とが近いとき、新たなＡＰに対して、割り当てるべき位相変更パターンがあれば、親局１１０は、新たなＡＰが支配下となることを許可する。
また、例えば、新たなＡＰの存在する位置と、既に、支配下となっているＡＰの位置とが近いとき、新たなＡＰに対して、割り当てるべき位相変更パターンがなければ、親局１１０は、新たなＡＰが支配下に入ることを許可しない。
【０１２０】
２．１１  まとめ
本態様によると、Ｇｂｐｓの大容量の伝送が実現できる。また、マルチキャストを実現する場合に、収容する端末数を増やすことができる。さらに、マルチキャストと同時にユニキャストの通信を実現することができ、システムに柔軟性を持たせることができる。
３．実施の形態２
本発明に係る別の実施の形態２としての無線通信システム１８００について説明する。
【０１２１】
３．１  無線通信システム１８００
無線通信システム１８００は、図１８に示すように、親局１８１０、ＡＰ１８２０−１、ＡＰ１８２０−２、ＡＰ１８２０−３、ＡＰ１８２０−４、及び、端末１８３０−１、端末１８３０−２、・・・、端末１８３０−８から構成されている。
親局１８１０は、直接、又は、通信回線を介して間接的に、通信装置（図示していない）と接続されている。ここで、通信装置は、一例として、データを放送する放送装置、データを送信する配信システムやサーバーなどである。通信装置は、制御信号及びデータを送信する。制御信号は、ユニキャストの送信に関する設定又はマルチキャストの送信に関する設定、及び、位相変更の方法の設定を含む。さらに、通信装置は、複数の通信装置から構成されているとしてもよい。この場合、第１の通信装置は、制御信号を送信し、第２の通信装置は、データを送信してもよい。親局１８１０は、ＡＰ１８２０−１、ＡＰ１８２０−２、ＡＰ１８２０−３及びＡＰ１８２０−４と有線（または、無線）により接続されている。さらに、ＡＰ１８２０−１は、ＡＰ１８２０−２、ＡＰ１８２０−３及びＡＰ１８２０−４と有線（または、無線）により接続されている。
【０１２２】
親局１８１０は、通信装置から制御信号及びデータを受信する。親局１８１０は、ＡＰ１８２０−１に対して、制御信号を送信する。また、親局１８１０は、ＡＰ１８２０−１、ＡＰ１８２０−２、ＡＰ１８２０−３及びＡＰ１８２０−４に対して、それぞれ、データを送信する。また、ＡＰ１８２０−１、ＡＰ１８２０−２、ＡＰ１８２０−３及びＡＰ１８２０−４は、親局１８１０から得たデータを無線により送信する。
【０１２３】
端末１８３０−１、端末１８３０−２、・・・、端末１８３０−８は、それぞれ、６ＧＨｚ以上の、例えば、ミリ波と呼ばれる周波数帯域、一例として、６０ＧＨｚの周波数帯域を用いる無線通信機能を備える携帯電話、スマートフォン、タブレット、パーソナルコンピュータ（ＰＣ）である。端末１８３０−１は、例えば、端末１８３０−１がＡＰ１８２０−１に近接する位置に存在する場合、ＡＰ１８２０−１から無線によりデータを受信する。端末１８３０−２、・・・、端末１８３０−８も、それぞれ、端末１８３０−１と同様に、近接するＡＰから無線によりデータを受信する。
【０１２４】
また、端末１８３０−１は、データを無線により送信する。端末１８３０−１がＡＰ１８２０−１に近接する位置に存在する場合、ＡＰ１８２０−１は、端末１８３０−１からデータを無線により受信する。ＡＰ１８２０−１は、受信したデータを親局１８１０に対して送信する。
端末１８３０−２、端末１８３０−３、・・・、端末１８３０−８も、端末１８３０−１と同様に、データを無線により送信する。各端末に近接する位置に存在するＡＰは、当該端末からデータを無線により受信する。当該ＡＰは、端末から受信したデータを親局１８１０に対して送信する。
【０１２５】
親局１８１０は、各端末が送信したデータを、ＡＰを介して得る。親局１８１０は、受信したデータを通信装置に対して出力する。
親局１８１０からＡＰ１８２０−１に対して送信される制御信号は、各ＡＰにおけるユニキャスト送信に関する設定又はマルチキャスト送信に関する設定、及び、各ＡＰにおける位相変更の方法の設定を含む。親局１８１０は、ＡＰ１８２０−２、ＡＰ１８２０−３及びＡＰ１８２０−４に対して、ユニキャスト送信に関する設定及びマルチキャスト送信に関する設定を行わない。また、親局１８１０は、ＡＰ１８２０−２、ＡＰ１８２０−３及びＡＰ１８２０−４に対して、各ＡＰにおける位相変更の方法の設定を行わない。
【０１２６】
ＡＰ１８２０−１は、ＡＰ１８２０−２、ＡＰ１８２０−３及びＡＰ１８２０−４に対して、ユニキャスト送信に関する設定又はマルチキャスト送信に関する設定を行う。また、ＡＰ１８２０−１は、ＡＰ１８２０−２、ＡＰ１８２０−３及びＡＰ１８２０−４に対して、位相変更の方法の設定を行う。
ＡＰ１８２０−１をマスタＡＰと呼ぶ。また、ＡＰ１８２０−２、ＡＰ１８２０−３及びＡＰ１８２０−４をマスタでないＡＰと呼ぶ。
【０１２７】
３．２  マスタＡＰとしてのＡＰ１８２０−１
マスタＡＰであるＡＰ１８２０−１は、図１９に示すように、符号化器２０２、インターリーバ２０４、マッピング部２０６、位相変更部２０８、無線部２１０、アンテナ２１２、アンテナ２１５、受信装置２１７及び指示部１９０２から構成されている。
ＡＰ１８２０−１は、親局１８１０から制御信号１９０１を受け取る。制御信号１９０１は、ユニキャスト送信に関する設定又はマルチキャスト送信に関する設定、及び、位相変更の方法の設定を含む。
【０１２８】
ＡＰ１８２０−１は、親局１８１０から受け取った制御信号１９０１に基づいて、ユニキャスト送信に関する設定又はマルチキャスト送信に関する設定を行う。また、ＡＰ１８２０−１は、制御信号１９０１に基づいて、位相変更の方法の設定を行う。なお、マルチキャスト送信に関する設定がされた場合に、他のＡＰと同一の周波数（周波数帯）を使用するように、設定される。
【０１２９】
ＡＰ１８２０−１は、ユニキャスト送信に関する設定を行う場合、受信装置２１７を動作させる。また、ＡＰ１８２０−１は、マルチキャスト送信に関する設定を行う場合、受信装置２１７の動作を停止させてもよい。
ＡＰ１８２０−１は、ユニキャストの場合とマルチキャストの場合とで、同一のチャネルを使用して、無線による送受信を行う。ここで、ＡＰ１８２０−１は、一つの無線キャリアをいくつかのタイムスロットに分割し、各タイムスロットを通信のチャネルとして使用してもよい。また、ＡＰ１８２０−１は、６０ＧＨｚの周波数帯域において、複数の異なる周波数を用い、それぞれの周波数を通信のチャネルとして使用してもよい。
【０１３０】
（１）符号化器２０２
符号化器２０２は、親局１８１０からデータ２０１を受け取る。また、符号化器２０２は、ＡＰ１８２０−１が備えるコントローラから制御信号２１３を受け取る。制御信号２１３は、符号化方式の指定、誤り訂正方式の指定、符号化率、ブロック長等の情報を含む。符号化器２０２は、制御信号２１３により指定された方式を用いて、データ２０１に対して、例えば、畳み込み符号、ＬＤＰＣ符号、ターボ符号等の誤り訂正符号化を行う。符号化器２０２は、符号化後のデータ２０３を出力する。
【０１３１】
（２）インターリーバ２０４
インターリーバ２０４は、符号化器２０２から、符号化後のデータ２０３を受け取る。また、インターリーバ２０４は、ＡＰ１８２０−１が備えるコントローラから制御信号２１３を受け取る。制御信号２１３は、インタリーブの方法の指定を含む。インターリーバ２０４は、符号化後のデータ２０３に対して、制御信号２１３により指定されるインタリーブの方法により、インタリーブ、つまり、順番の並び替えを行う。インターリーバ２０４は、インタリーブ後のデータ２０５を出力する。
【０１３２】
（３）マッピング部２０６
マッピング部２０６は、インターリーバ２０４から、インタリーブ後のデータ２０５を受け取る。また、マッピング部２０６は、ＡＰ１８２０−１が備えるコントローラから制御信号２１３を受け取る。制御信号２１３は、変調方式の指定を含む。マッピング部２０６は、制御信号２１３に含まれる変調方式の指定に従って、インタリーブ後のデータ２０５に対して、例えば、ＱＰＳＫ（Ｑｕａｄｒａｔｕｒｅ  Ｐｈａｓｅ  Ｓｈｉｆｔ  Ｋｅｙｉｎｇ）、１６ＱＡＭ（１６  Ｑｕａｄｒａｔｕｒｅ  Ａｍｐｌｉｔｕｄｅ  Ｍｏｄｕｌａｔｉｏｎ）、６４ＱＡＭ（６４  Ｑｕａｄｒａｔｕｒｅ  Ａｍｐｌｉｔｕｄｅ  Ｍｏｄｕｌａｔｉｏｎ）等の変調を施し、変調後の信号２０７を生成する。マッピング部２０６は、変調後の信号２０７を出力する。なお、変調方式は、他の変調方式であってもよい。
【０１３３】
なお、マッピング部２０６は、位相変更の処理を含むマッピングを行ってもよい。
（４）位相変更部２０８
位相変更部２０８は、マッピング部２０６から変調後の信号２０７を受け取る。また、位相変更部２０８は、制御信号１９０３＿０を受け取る。制御信号１９０３＿０は、位相変更の方法の設定を含む。位相変更部２０８は、制御信号１９０３＿０に含まれる位相変更の方法の設定に従って、変調後の信号２０７に対して、位相変更を施し、位相変更後の信号２０９を生成する。位相変更部２０８は、位相変更後の信号２０９を出力する。
【０１３４】
（５）無線部２１０及びアンテナ２１２
無線部２１０は、位相変更部２０８から、位相変更後の信号２０９を受け取る。また、無線部２１０は、ＡＰ１８２０−１が備えるコントローラから制御信号２１３を受け取る。制御信号２１３は、周波数変換、増幅等の指定を含む。無線部２１０は、位相変更後の信号２０９に対して、周波数変換、増幅等の処理を施し、送信信号２１１を生成する。無線部２１０は、６ＧＨｚ以上の、例えば、ミリ波と呼ばれる周波数帯域を用いて、一例として、６０ＧＨｚの周波数帯域を用いて、生成した送信信号２１１をアンテナ２１２に対して出力する。
【０１３５】
アンテナ２１２は、送信信号２１１を電波として出力する。
（６）アンテナ２１５及び受信装置２１７
アンテナ２１５は、各端末により電波として出力された信号２１６を受信する。
受信装置２１７は、６ＧＨｚ以上の、例えば、ミリ波と呼ばれる周波数帯域を用いて、一例として、６０ＧＨｚの周波数帯域を用いて、アンテナ２１５から信号２１６を受け取り、増幅、周波数変換等の処理を施し、データ２１８を生成する。受信装置２１７は、データ２１８を親局１８１０に対して出力する。
【０１３６】
なお、アンテナ２１２とアンテナ２１５とは、同一体であってもよい。便宜上、別々の表記をしている。
（７）指示部１９０２
指示部１９０２は、親局１８１０に接続されている。
指示部１９０２は、親局１８１０から制御信号１９０１を受け取る。制御信号１９０１は、ユニキャスト送信に関する設定又はマルチキャスト送信に関する設定、及び、位相変更の方法の設定を含む。
【０１３７】
また、制御信号１９０１により、ＡＰ毎に個別に設定してもよいし、また、同一制御信号１９０１により、すべてのＡＰに対して、設定を行ってもよい。
指示部１９０２は、ＡＰ１８２０−１を含むすべてのＡＰに対して、制御信号１９０３＿０、制御信号１９０３＿１、・・・、制御信号１９０３＿Ｎにより、マルチキャスト送信に関する設定、又は、ユニキャスト送信に関する設定を行う。
【０１３８】
ここで、指示部１９０２は、すべてのＡＰに対して、マルチキャスト送信に関する設定をしてもよいし、すべてのＡＰに対して、ユニキャスト送信に関する設定を行ってもよい。一部のＡＰについて、マルチキャスト送信に関する設定をし、他のＡＰについて、ユニキャスト送信に関する設定を行ってもよい。
マルチキャスト送信に関する設定が行われた複数のＡＰについては、位相変更前の変調信号は、同一の信号となる。言い換えると、同一のデータが送信される。
【０１３９】
また、指示部１９０２は、制御信号１９０３＿１、・・・、制御信号１９０３＿Ｎにより、各ＡＰに対して、位相変更の方法の指示を行う。
ユニキャスト送信に関する設定が行われた複数のＡＰについては、位相変更前の変調信号は、同一の信号であってもよいし、異なる信号であってもよい。言い換えると、同一のデータが送信される場合もあるし、異なるデータが送信される場合もある。
【０１４０】
このように、指示部１９０２は、受け取った制御信号１９０１から、各ＡＰ向けの制御信号１９０３＿０、制御信号１９０３＿１、・・・、制御信号１９０３＿Ｎを生成する。各制御信号は、マルチキャスト送信に関する設定又はユニキャスト送信に関する設定及び位相変更の方法の設定を含む。指示部１９０２は、制御信号１９０３＿０、制御信号１９０３＿１、・・・、制御信号１９０３＿Ｎを、自身、ＡＰ１８２０−２、ＡＰ１８２０−３及びＡＰ１８２０−４に対して、出力する。
【０１４１】
指示部１９０２は、ＡＰ１８２０−１に対して、ユニキャスト送信を指定した場合、受信装置２１７を動作させる。また、指示部１９０２は、ＡＰ１８２０−１に対して、マルチキャスト送信を指定した場合、受信装置２１７の動作を停止させてもよい。
３．３  マスタでないＡＰ２０００
ＡＰ１８２０−２、ＡＰ１８２０−３及びＡＰ１８２０−４は、マスタでないＡＰである。ここでは、ＡＰ１８２０−２、ＡＰ１８２０−３及びＡＰ１８２０−４を代表して、ＡＰ２０００として説明する。
【０１４２】
マスタでないＡＰ２０００は、図２０に示すように、符号化器２０２、インターリーバ２０４、マッピング部２０６、位相変更部２０８、無線部２１０、アンテナ２１２、アンテナ２１５及び受信装置２１７から構成されている。
ＡＰ２０００は、マスタＡＰであるＡＰ１８２０−１から、制御信号２００１＿０を受け取る。制御信号２００１＿０は、ユニキャスト送信に関する設定又はマルチキャスト送信に関する設定、及び、位相変更の方法の設定を含む。また、ＡＰ２０００は、マスタＡＰであるＡＰ１８２０−１から、データ２００２を受け取る。また、ＡＰ２０００は、ＡＰ連携を行う場合、マスタでない他のＡＰから、データ２００３を受け取る場合がある。また、ＡＰ２０００は、ユニキャスト送信として単独で動作する場合、親局１８１０から、データ２０１を受け取る場合がある。
【０１４３】
ＡＰ２０００は、制御信号２００１＿０に基づいて、ユニキャスト送信に関する設定又はマルチキャスト送信に関する設定を行う。また、ＡＰ２０００は、制御信号２００１＿０に基づいて、位相変更の方法の設定を行う。なお、マルチキャスト送信に設定された場合、他のＡＰと同一の周波数（周波数帯）を使用するように、設定される。
ＡＰ２０００は、ユニキャスト送信に設定した場合、受信装置２１７を動作させる。また、ＡＰ２０００は、マルチキャスト送信に設定をした場合、受信装置２１７の動作を停止させてもよい。
【０１４４】
ＡＰ２０００は、ユニキャスト送信の場合とマルチキャスト送信の場合とで、同一のチャネル（または、同一の周波数）を使用して、無線による送受信を行う。ここで、ＡＰ２０００は、一つの無線キャリアをいくつかのタイムスロットに分割し、各タイムスロットを通信のチャネルとして使用してもよい。また、ＡＰ２０００は、６０ＧＨｚの周波数帯域において、複数の異なる周波数を用い、それぞれの周波数を通信のチャネルとして使用してもよい。
【０１４５】
（１）符号化器２０２
符号化器２０２は、データ２００２、データ２００３、又は、データ２０１を受け取る。また、符号化器２０２は、ＡＰ２０００が備えるコントローラから制御信号２１３を受け取る。制御信号２１３は、符号化方式の指定、誤り訂正方式の指定、符号化率、ブロック長等の情報を含む。符号化器２０２は、制御信号２１３により指定された方式を用いて、データ２００２、データ２００３、又は、データ２０１に対して、例えば、畳み込み符号、ＬＤＰＣ符号、ターボ符号等の誤り訂正符号化を行う。符号化器２０２は、符号化後のデータ２０３を出力する。
【０１４６】
（２）インターリーバ２０４
インターリーバ２０４は、符号化器２０２から、符号化後のデータ２０３を受け取る。また、インターリーバ２０４は、ＡＰ２０００が備えるコントローラから制御信号２１３を受け取る。制御信号２１３は、インタリーブの方法の指定を含む。インターリーバ２０４は、符号化後のデータ２０３に対して、制御信号２１３により指定されるインタリーブの方法により、インタリーブ、つまり、順番の並び替えを行う。インターリーバ２０４は、インタリーブ後のデータ２０５を出力する。
【０１４７】
（３）マッピング部２０６
マッピング部２０６は、インターリーバ２０４から、インタリーブ後のデータ２０５を受け取る。また、マッピング部２０６は、ＡＰ２０００が備えるコントローラから制御信号２１３を受け取る。制御信号２１３は、変調方式の指定を含む。マッピング部２０６は、制御信号２１３に含まれる変調方式の指定に従って、インタリーブ後のデータ２０５に対して、例えば、ＱＰＳＫ（Ｑｕａｄｒａｔｕｒｅ  Ｐｈａｓｅ  Ｓｈｉｆｔ  Ｋｅｙｉｎｇ）、１６ＱＡＭ（１６  Ｑｕａｄｒａｔｕｒｅ  Ａｍｐｌｉｔｕｄｅ  Ｍｏｄｕｌａｔｉｏｎ）、６４ＱＡＭ（６４  Ｑｕａｄｒａｔｕｒｅ  Ａｍｐｌｉｔｕｄｅ  Ｍｏｄｕｌａｔｉｏｎ）等の変調を施し、変調後の信号２０７を生成する。マッピング部２０６は、変調後の信号２０７を出力する。なお、変調方式は、他の変調方式であってもよい。
【０１４８】
なお、マッピング部２０６は、位相変更の処理を含むマッピングを行ってもよい。
（４）位相変更部２０８
位相変更部２０８は、マッピング部２０６から変調後の信号２０７を受け取る。また、位相変更部２０８は、制御信号２００１＿０を受け取る。制御信号２００１＿０は、位相変更の方法の設定を含む。位相変更部２０８は、制御信号２００１＿０に含まれる位相変更の方法の設定に従って、変調後の信号２０７に対して、位相変更を施し、位相変更後の信号２０９を生成する。位相変更部２０８は、位相変更後の信号２０９を出力する。
【０１４９】
（５）無線部２１０及びアンテナ２１２
無線部２１０は、位相変更部２０８から、位相変更後の信号２０９を受け取る。また、無線部２１０は、ＡＰ２０００が備えるコントローラから制御信号２１３を受け取る。制御信号２１３は、周波数変換、増幅等の指定を含む。無線部２１０は、位相変更後のデータ２０９に対して、周波数変換、増幅等の処理を施し、送信データ２１１を生成する。無線部２１０は、６ＧＨｚ以上の、例えば、ミリ波と呼ばれる周波数帯域を用いて、一例として、６０ＧＨｚの周波数帯域を用いて、生成した送信信号２１１をアンテナ２１２に対して出力する。
【０１５０】
アンテナ２１２は、送信信号２１１を電波として出力する。
（６）アンテナ２１５及び受信装置２１７
アンテナ２１５は、各端末により電波として出力された信号２１６を受信する。
受信装置２１７は、６ＧＨｚ以上の、例えば、ミリ波と呼ばれる周波数帯域を用いて、一例として、６０ＧＨｚの周波数帯域を用いて、アンテナ２１５からデータ２１６を受け取り、増幅、周波数変換等の処理を施し、データ２１８を生成する。受信装置２１７は、データ２１８を親局１８１０に対して出力する。
【０１５１】
なお、アンテナ２１２とアンテナ２１５とは、同一体であってもよい。便宜上、別々の表記をしている。
３．４  送信されるデータの例
親局１８１０、ＡＰ１８２０−１、ＡＰ１８２０−２、ＡＰ１８２０−３及びＡＰ１８２０−４により、送信されるデータの例について、以下に説明する。
【０１５２】
（１）すべてのＡＰをマルチキャスト用に設定して送信する場合
すべてのＡＰ１８２０−１、ＡＰ１８２０−２、ＡＰ１８２０−３及びＡＰ１８２０−４をマルチキャスト用に設定して送信する場合において、送信されるデータの例について、図２１を用いて説明する。
親局１８１０は、図２１に示すように、パケット２１０１、２１０２、２１０３、２１０４、・・・をこの順序で受信する。ここで、パケット２１０１、２１０２、２１０３、２１０４、・・・は、すべて、マルチキャスト用のパケットである。また、パケット２１０１、２１０２、２１０３、２１０４、・・・は、マルチキャスト用の一つのデータから生成される。親局１８１０は、ＡＰ１８２０−１に対して、パケット２１０１、２１０２、２１０３、２１０４、・・・をこの順序で送信する。
【０１５３】
ＡＰ１８２０−１は、パケット２１０１、２１０２、２１０３、２１０４、・・・をこの順序で受信する。次に、ＡＰ１８２０−１は、ＡＰ１８２０−２、ＡＰ１８２０−３及びＡＰ１８２０−４に対して、パケット２１０１、２１０２、２１０３、２１０４、・・・をこの順序で送信する。
ＡＰ１８２０−１は、パケット２１０１、２１０２、２１０３、２１０４、・・・をこの順序で受信する。ＡＰ１８２０−１は、パケット２１０１、２１０２、２１０３、２１０４、・・・をこの順序で受信すると、パケット２１０６、２１０７、２１０８、２１０９、・・・をこの順序で、マルチキャスト送信として、無線により出力する。ここで、パケット２１０１、２１０２、２１０３、２１０４、・・・は、それぞれ、パケット２１０６、２１０７、２１０８、２１０９と対応している。
【０１５４】
ＡＰ１８２０−２は、パケット２１０１、２１０２、２１０３、２１０４、・・・をこの順序で受信すると、パケット２１１１、２１１２、２１１３、２１１４、・・・をこの順序で、マルチキャスト送信として、無線により出力する。ここで、パケット２１０１、２１０２、２１０３、２１０４、・・・は、それぞれ、パケット２１１１、２１１２、２１１３、２１１４と対応している。
【０１５５】
ＡＰ１８２０−３は、パケット２１０１、２１０２、２１０３、２１０４、・・・をこの順序で受信すると、パケット２１１６、２１１７、２１１８、２１１９、・・・をこの順序で、マルチキャスト送信として、無線により出力する。ここで、パケット２１０１、２１０２、２１０３、２１０４、・・・は、それぞれ、パケット２１１６、２１１７、２１１８、２１１９と対応している。
【０１５６】
ＡＰ１８２０−４は、パケット２１０１、２１０２、２１０３、２１０４、・・・をこの順序で受信すると、パケット２１２１、２１２２、２１２３、２１２４、・・・をこの順序で、マルチキャスト送信として、無線により出力する。ここで、パケット２１０１、２１０２、２１０３、２１０４、・・・は、それぞれ、パケット２１２１、２１２２、２１２３、２１２４と対応している。
【０１５７】
このとき、ＡＰ１８２０−１、ＡＰ１８２０−２、ＡＰ１８２０−３及びＡＰ１８２０−４は、それぞれ、変調信号に対し、位相変更を行うことになることが特徴的な点となる。（ただし、ＡＰ１８２０−１、ＡＰ１８２０−２、ＡＰ１８２０−３及びＡＰ１８２０−４のいずれかが、位相変更を行わないとしてもよい。）
このようにすることで、マルチキャストの変調信号が届くセル範囲を広くすることができるとともに、位相変更を行うことで、変調信号の干渉により、受信が困難となる点の存在を少なくすることができるという利点を得ることができる。
【０１５８】
（２）２個のＡＰをマルチキャスト用に設定して送信する場合
２個のＡＰ１８２０−１及びＡＰ１８２０−２をマルチキャスト送信用に設定しデータを送信し、他の２個のＡＰ１８２０−３及びＡＰ１８２０−４をユニキャスト用に設定しデータを送信する場合において、送信されるデータの例について、図２２を用いて説明する。この場合、ＡＰ１８２０−１及びＡＰ１８２０−２において、同一のデータが送信されるとする（位相変更前のマッピング後の変調信号が同一である）。また、ＡＰ１８２０−３及びＡＰ１８２０−４において、同一のデータが送信されるとする（位相変更前のマッピング後の変調信号が同一である）。
【０１５９】
親局１８１０は、図２２に示すように、パケット２２０１、２２０２、２２０３、２２０４、２２０５、２２０６、・・・をこの順序で受信する。ここで、パケット２２０１、２２０３、２２０４及び２２０６は、マルチキャスト用のパケットである。また、パケット２２０２及び２２０５は、ユニキャスト用のパケットである。また、パケット２２０１、２２０３、２２０４及び２２０６は、マルチキャスト用の一つのデータから生成される。また、パケット２２０２及び２２０５は、ユニキャスト用の一つのデータから生成される。
【０１６０】
親局１８１０は、パケット２２０１、２２０２、２２０３、２２０４、２２０５、２２０６、・・・をこの順序で受信すると、パケット２２０１、２２０２、２２０３、２２０４、２２０５、２２０６、・・・をＡＰ１８２０−１に対してこの順序で送信する。
ＡＰ１８２０−１は、パケット２２０１、２２０２、２２０３、２２０４、２２０５、２２０６、・・・を受信すると、マルチキャストのパケット２２０１、２２０３、２２０４、２２０６、・・・を、自身の符号化器２０２に対して出力し、マルチキャストのパケット２２０１、２２０３、２２０４、２２０６、・・・をＡＰ１８２０−２に対して送信する。ＡＰ１８２０−１は、ユニキャストのパケット２２０２、２２０５、・・・を、ＡＰ１８２０−３及びＡＰ１８２０−４に対して送信する。
【０１６１】
ＡＰ１８２０−１は、パケット２２０１、２２０３、２２０４及び２２０６を受信すると、パケット２２１１、２２１２、２２１３及び２２１４を無線により、マルチキャスト送信として、出力する。ここで、パケット２２０１、２２０３、２２０４及び２２０６は、それぞれ、パケット２２１１、２２１２、２２１３及び２２１４に対応している。
ＡＰ１８２０−２は、パケット２２０１、２２０３、２２０４及び２２０６を受信すると、パケット２２２１、２２２２、２２２３及び２２２４を無線により、マルチキャスト送信として、出力する。ここで、パケット２２０１、２２０３、２２０４及び２２０６は、それぞれ、パケット２２２１、２２２２、２２２３及び２２２４に対応している。
【０１６２】
ＡＰ１８２０−３は、パケット２２０２及び２２０５を受信すると、パケット２２３１及び２２３２を無線により、ユニキャスト送信として、出力する。ここで、パケット２２０２及び２２０５は、それぞれ、パケット２２３１及び２２３２に対応している。
ＡＰ１８２０−４は、パケット２２０２及び２２０５を受信すると、パケット２２４１及び２２４２を無線により、ユニキャスト送信として、出力する。ここで、パケット２２０２及び２２０５は、それぞれ、パケット２２４１及び２２４２に対応している。
【０１６３】
上記において、ユニキャスト送信により変調信号を送信する場合、ＡＰ１８２０−３は、及びＡＰ１８２０−４において送信されるパケットは、同一のデータに基づくとしている。このとき、ＡＰ１８２０−３及びＡＰ１８２０−４において、伝送パラメータは、同一である。ＡＰ１８２０−３及びＡＰ１８２０−４は、異なる位相変更を行うとしてもよい。（ただし、ＡＰ１８２０−３及びＡＰ１８２０−４のいずれかが、位相変更を行わないとしてもよい。）
このようにすることで、ユニキャストの変調信号が届くセル範囲を広くすることができるとともに、位相変更を行うことで、変調信号の干渉により、受信が困難となる点の存在を少なくすることができるという利点を得ることができる。
ＡＰ１８２０−１、ＡＰ１８２０−２は、それぞれ、変調信号に対し、位相変更を行うことになることが特徴的な点となる。（ただし、ＡＰ１８２０−１、ＡＰ１８２０−２のいずれかが、位相変更を行わないとしてもよい。）
（なお、位相変更の方法については、後で詳しく説明する。）
このようにすることで、マルチキャストの変調信号が届くセル範囲を広くすることができるとともに、位相変更を行うことで、変調信号の干渉により、受信が困難となる点の存在を少なくすることができるという利点を得ることができる。
【０１６４】
（３）２個のＡＰをマルチキャスト用に設定して送信する場合
２個のＡＰ１８２０−１及びＡＰ１８２０−２をマルチキャスト送信用に設定しデータを送信し、他の２個のＡＰ１８２０−３及びＡＰ１８２０−４をユニキャスト送信用に設定しデータを送信する場合において、送信されるデータの例について、図２３を用いて説明する。図２３の場合、ＡＰ１８２０−３及びＡＰ１８２０−４において、異なるデータが送信されるとする。
【０１６５】
親局１８１０は、図２３に示すように、パケット２３０１、２３０２、２３０３、２３０４、２３０５、２３０６、２３０７、２３０８、２３０９、２３１０、・・・をこの順序で受信する。ここで、パケット２３０１、２３０３、２３０４及び２３０６は、マルチキャスト用のパケットである。また、パケット２３０２、２３０７及び２３０９は、ＡＰ１８２０−３により送信されるユニキャスト用のパケットである。パケット２３０５、２３０８及び２３１０は、ＡＰ１８２０−４により送信されるユニキャスト用のパケットである。
【０１６６】
ここで、パケット２３０１、２３０３、２３０４及び２３０６は、マルチキャスト用の一つのデータから生成される。また、パケット２３０２、２３０７及び２３０９は、ユニキャスト用の一つのデータから生成される。また、パケット２３０５、２３０８及び２３１０は、ユニキャスト用の別のデータから生成される。
親局１８１０は、パケット２３０１、２３０２、２３０３、２３０４、２３０５、２３０６、２３０７、２３０８、２３０９、２３１０、・・・をこの順序で受信すると、マルチキャスト用のパケット２３０１、２３０３、２３０４及び２３０６を、ＡＰ１８２０−１及びＡＰ１８２０−２に対して送信する。
【０１６７】
ＡＰ１８２０−１は、パケット２３０１、２３０３、２３０４及び２３０６を受信すると、パケット２３２１、２３２２、２３２３及び２３２４を無線により、マルチキャスト送信として、出力する。パケット２３０１、２３０３、２３０４及び２３０６は、それぞれ、パケット２３２１、２３２２、２３２３及び２３２４に対応している。
ＡＰ１８２０−２は、パケット２３０１、２３０３、２３０４及び２３０６を受信すると、パケット２３２５、２３２６、２３２７及び２３２８を無線により、マルチキャスト送信として、出力する。パケット２３０１、２３０３、２３０４及び２３０６は、それぞれ、パケット２３２５、２３２６、２３２７及び２３２８に対応している。
【０１６８】
親局１８１０は、パケット２３０１、２３０２、２３０３、２３０４、２３０５、２３０６、２３０７、２３０８、２３０９、２３１０、・・・をこの順序で受信すると、ユニキャスト用のパケット２３０２、２３０７、２３２９を、ＡＰ１８２０−３に対して送信する。
ＡＰ１８２０−３は、パケット２３０２、２３０７、２３２９を受信すると、パケット２３３１、２３３２、２３３３を無線により、ユニキャスト送信として、出力する。パケット２３０２、２３０７、２３２９は、それぞれ、パケット２３３１、２３３２、２３３３に対応している。
【０１６９】
親局１８１０は、パケット２３０１、２３０２、２３０３、２３０４、２３０５、２３０６、２３０７、２３０８、２３０９、２３１０、・・・をこの順序で受信すると、１８１０は、ユニキャスト用のパケット２３０５、２３０８、２３１０を、ＡＰ１８２０−４に対して送信する。
ＡＰ１８２０−４は、パケット２３０５、２３０８、２３１０を受信すると、パケット２３４１、２３４２、２３４３を無線により、ユニキャスト送信として、出力する。パケット２３０５、２３０８、２３１０は、それぞれ、パケット２３４１、２３４２、２３４３に対応している。
【０１７０】
ＡＰ１８２０−１、ＡＰ１８２０−２は、それぞれ、変調信号に対し、位相変更を行うことになることが特徴的な点となる。（ただし、ＡＰ１８２０−１、ＡＰ１８２０−２のいずれかが、位相変更を行わないとしてもよい。）
このようにすることで、マルチキャストの変調信号が届くセル範囲を広くすることができるとともに、位相変更を行うことで、変調信号の干渉により、受信が困難となる点の存在を少なくすることができるという利点を得ることができる。
【０１７１】
また、ＡＰ１８２０−３、ＡＰ１８２０−４では、ユニキャスト通信を行うことができるという柔軟なシステムとなっている。
例えば、図２１の送信状態、図２２の送信状態、図２３の送信状態に、時間に応じて切り替える（例えば、端末の存在状況によって切り替える）とすることで、柔軟なシステムを実現することができるという利点がある。
【０１７２】
３．５  マスタＡＰがＡＰを新たに支配下とする場合の動作
無線通信システム１８００において、マスタＡＰであるＡＰ１８２０−１が新たにＡＰを支配下とする場合の動作について、図２４に示すフローチャートを用いて説明する。
ここでは、３台のＡＰ１８２０−２、ＡＰ１８２０−３及びＡＰ１８２０−４がマスタＡＰであるＡＰ１８２０−１の支配下にあるものとし、その後、新たなＡＰを追加する場合を想定する。この時点において、４台のＡＰ１８２０−１、ＡＰ１８２０−２、ＡＰ１８２０−３及びＡＰ１８２０−４に対して、位相変更パターン（及び（ＡＰとしての）ＩＤ（identification））は、すでに設定済みであるとする。
【０１７３】
新たにＡＰ１８２０−１の支配下に入ろうとするＡＰは、ＡＰ１８２０−１に対して、その支配下に入りたいという要望を通知する。ＡＰ１８２０−１は、新たなＡＰは、要望を受け取る（ステップＳ２４０１）。
ＡＰ１８２０−１は、新たなＡＰを支配下とするか否かを判断する（ステップＳ２４０２）。新たなＡＰを支配下とすると判断する場合（ステップＳ２４０２で「Ｙｅｓ」）、ＡＰ１８２０−１は、新たなＡＰにＩＤを付与する。このとき、ＩＤと位相変更パターンとは、関連付けされている。新たなＡＰは、付与されたＩＤから、位相変更パターンを設定する（ステップＳ２４０３）。これにより、新たにＡＰを支配下とする場合の動作を終了する。
【０１７４】
新たなＡＰを支配下としないと判断する場合（ステップＳ２４０２で「Ｎｏ」）、ＡＰ１８２０−１は、新たなＡＰに対して、支配下としないことを通知する（ステップＳ２４０４）。これにより、新たにＡＰを支配下とする場合の動作を終了する。
なお、ステップＳ２４０３において、次のようにしてもよい。
マスタＡＰであるＡＰ１８２０−１は、新たなＡＰが設定する位相変更パターンを示す情報を、新たなＡＰに送信する。新たなＡＰは、位相変更パターンを示す情報を受信し、受信した位相変更パターンを示す情報に基づいて、当該ＡＰにおける位相変更パターンを設定する。このとき、マスタＡＰであるＡＰ１８２０−１は、新たなＡＰに対して、ＩＤを付与してもよいし、ＩＤを付与しなくてもよい。ここで、ＩＤを付与しておくと、マスタＡＰであるＡＰ１８２０−１が、新たに支配下に入ったＡＰに対して、ユニキャスト送信用のＡＰ又はマルチキャスト送信用のＡＰの指定をする場合、「ＩＤ及びユニキャスト用又はマルチキャスト用」という情報を当該ＡＰに送信することにより、簡単にそのＡＰに対して、ＩＤ及びユニキャスト送信用又はマルチキャスト送信用の指定を行うことができるという利点がある。
【０１７５】
上記においては、３台のＡＰ１８２０−２、ＡＰ１８２０−３及びＡＰ１８２０−４がマスタＡＰであるＡＰ１８２０−１の支配下にあるものとし、その後、新たなＡＰを追加する場合について、説明した。しかし、このような場合には、限定されない。
初期状態において、マスタＡＰであるＡＰ１８２０−１の支配下にあるＡＰが存在しないとしてもよい。この場合に、上記に説明したように、ＡＰを１台ずつ、マスタＡＰであるＡＰ１８２０−１の支配下に入れるとしてもよい。
【０１７６】
なお、上記のステップＳ２４０２における判断において、支配下とするＡＰの台数の制限により、マスタＡＰであるＡＰ１８２０−１は、新たなＡＰを支配下とするか否かを判断してもよい。ＡＰ１８２０−１は、支配下とするＡＰの台数の最大値を記憶している。新たに支配下に入る１台のＡＰからの要望があるとき、現在、支配下となっているＡＰの台数に「１」を加算し、得られた値と最大値とを比較する。得られた値が最大値を超えない場合、又は、最大値に等しい場合、支配下に入ることを許可する。得られた値が最大値を超える場合、支配下に入ることを許可しない。
【０１７７】
なお、上記のステップＳ２４０２における判断において、新たなＡＰの存在する位置と、位相変更パターンとに応じて、ＡＰ１８２０−１は、新たなＡＰを支配下とするか否かを判断してもよい。
このとき、例えば、新たなＡＰの存在する位置と、既に、自身及び支配下となっているＡＰの位置とが、離れているとき、ＡＰ１８２０−１は、新たなＡＰが支配下となることを許可する。
【０１７８】
また、例えば、新たなＡＰの存在する位置と、既に、自身又は支配下となっているＡＰの位置とが近いとき、新たなＡＰに対して、割り当てるべき位相変更パターンがあれば、ＡＰ１８２０−１は、新たなＡＰが支配下となることを許可する。
また、例えば、新たなＡＰの存在する位置と、既に、自身又は支配下となっているＡＰの位置とが近いとき、新たなＡＰに対して、割り当てるべき位相変更パターンがなければ、ＡＰ１８２０−１は、新たなＡＰが支配下に入ることを許可しない。
【０１７９】
３．６  まとめ
本態様によると、Ｇｂｐｓの大容量の伝送が実現できる。また、マルチキャストを実現する場合に、収容する端末数を増やすことができる。さらに、マルチキャストと同時にユニキャストの通信を実現することができ、システムに柔軟性を持たせることができる。
４．実施の形態３
本発明に係る別の実施の形態３としての無線通信システム２５００について説明する。
【０１８０】
４．１  無線通信システム２５００
無線通信システム２５００は、図２５に示すように、親局２５１０、ＡＰ２５２０−１、ＡＰ２５２０−２、ＡＰ２５２０−３、ＡＰ２５２０−４、及び、端末２５３０−１、端末２５３０−２、・・・、端末２５３０−８から構成されている。
親局２５１０は、直接、又は、通信回線を介して間接的に、通信装置（図示していない）と接続されている。ここで、通信装置は、データを放送する放送装置、データを送信する配信システムやサーバーなどである。通信装置は、制御信号及びデータを送信する。制御信号は、ユニキャスト送信方法に関する設定又はマルチキャスト送信方法に関する設定、及び、重み付けの方法の設定を含む。さらに、通信装置は、複数の通信装置から構成されているとしてもよい。この場合、第１の通信装置は、制御信号を送信し、第２の通信装置は、データを送信してもよい。また、親局２５１０は、ＡＰ２５２０−１、ＡＰ２５２０−２、ＡＰ２５２０−３及びＡＰ２５２０−４と（無線で接続してもよい。）有線により接続されている。（無線で接続してもよい。）
親局２５１０は、通信装置からの制御信号及びデータを受信する。親局２５１０は、ＡＰ２５２０−１、ＡＰ２５２０−２、ＡＰ２５２０−３及びＡＰ２５２０−４に対して、それぞれ、制御信号及びデータを送信する。ＡＰ２５２０−１、ＡＰ２５２０−２、ＡＰ２５２０−３及びＡＰ２５２０−４は、親局２５１０から得たデータを無線により送信する。
【０１８１】
端末２５３０−１、端末２５３０−２、・・・、端末２５３０−８は、それぞれ、６ＧＨｚ以上の、例えば、ミリ波と呼ばれる周波数帯域、一例として、６０ＧＨｚの周波数帯域を用いる無線通信機能を備える携帯電話、スマートフォン、タブレット、パーソナルコンピュータ（ＰＣ）である。
端末２５３０−１は、例えば、端末２５３０−１がＡＰ２５２０−１に近接する位置に存在する場合、ＡＰ２５２０−１から無線によりデータを受信する。端末２５３０−２、・・・、端末２５３０−８も、それぞれ、端末２５３０−１と同様に、近接するＡＰから無線によりデータを受信する。
【０１８２】
また、端末２５３０−１は、データを無線により送信する。端末２５３０−１がＡＰ２５２０−１に近接する位置に存在する場合、ＡＰ２５２０−１は、端末２５３０−１からデータを無線により受信する。ＡＰ２５２０−１は、受信したデータを親局２５１０に対して送信する。
端末２５３０−２、端末２５３０−３、・・・、端末２５３０−８も、端末２５３０−１と同様に、データを無線により送信する。各端末に近接する位置に存在するＡＰは、当該端末からデータを無線により受信する。当該ＡＰは、端末から受信したデータを親局２５１０に対して送信する。
【０１８３】
親局２５１０は、各端末から、各ＡＰを介して、データを受信する。親局２５１０は、受信したデータを通信装置に対して出力する。
親局２５１０からＡＰ２５２０−１、ＡＰ２５２０−２、ＡＰ２５２０−３及びＡＰ２５２０−４に対して送信される制御信号は、各ＡＰにおけるユニキャスト送信に関する設定又はマルチキャスト送信に関する設定、及び、各ＡＰにおける重み付けの方法の設定を含む。
【０１８４】
４．２  ＡＰ２５２０
ＡＰ２５２０−１、ＡＰ２５２０−２、ＡＰ２５２０−３及びＡＰ２５２０−４は、例えば、同一の構成（同一の機能）を有している。ここでは、ＡＰ２５２０−１、ＡＰ２５２０−２、ＡＰ２５２０−３及びＡＰ２５２０−４を代表して、ＡＰ２５２０として、説明する。
【０１８５】
ＡＰ２５２０は、図２６に示すように、符号化器２０２、インターリーバ２０４、マッピング部２０６、重み付け部２６０１、無線部２１０、アンテナ２１２、アンテナ２１５及び受信装置２１７から構成されている。
ＡＰ２５２０は、親局２５１０から制御信号２１４を受け取る。制御信号２１４は、ユニキャスト送信方法に関する設定又はマルチキャスト送信方法に関する設定、及び、重み付けの方法の設定を含む。
【０１８６】
ＡＰ２５２０は、親局２５１０から受け取った制御信号２１４に基づいて、ユニキャスト送信方法に関する設定又はマルチキャスト送信に関する設定を行う。また、ＡＰ２５２０は、制御信号２１４に基づいて、重み付けの方法の設定を行う。なお、マルチキャスト送信と設定された場合に、他のＡＰと同一の周波数（周波数帯）を使用するように、設定される。
【０１８７】
ＡＰ２５２０は、ユニキャスト送信と設定した場合、受信装置２１７を動作させる。また、ＡＰ２５２０は、マルチキャスト送信と設定した場合、受信装置２１７の動作を停止させてもよい。
ＡＰ２５２０は、ユニキャスト送信の場合とマルチキャスト送信の場合とで、同一のチャネル（または、同一の周波数（周波数帯））を使用して、無線による送受信を行う。ここで、ＡＰ２５２０は、一つの無線キャリアをいくつかのタイムスロットに分割し、各タイムスロットを通信のチャネルとして使用してもよい。また、ＡＰ２５２０は、６０ＧＨｚの周波数帯域において、複数の異なる周波数を用い、それぞれの周波数を通信のチャネルとして使用してもよい。
【０１８８】
（１）符号化器２０２
符号化器２０２は、親局２５１０からデータ２０１を受け取る。また、符号化器２０２は、ＡＰ２５２０が備えるコントローラから制御信号２１３を受け取る。制御信号２１３は、符号化方式の指定、誤り訂正方式の指定、符号化率、ブロック長等の情報を含む。符号化器２０２は、制御信号２１３により指定された方式を用いて、データ２０１に対して、例えば、畳み込み符号、ＬＤＰＣ符号、ターボ符号等の誤り訂正符号化を行う。符号化器２０２は、符号化後のデータ２０３を出力する。
【０１８９】
（２）インターリーバ２０４
インターリーバ２０４は、符号化器２０２から、符号化後のデータ２０３を受け取る。また、インターリーバ２０４は、ＡＰ２５２０が備えるコントローラから制御信号２１３を受け取る。制御信号２１３は、インタリーブの方法の指定を含む。インターリーバ２０４は、符号化後のデータ２０３に対して、制御信号２１３により指定されるインタリーブの方法により、インタリーブ、つまり、順番の並び替えを行う。インターリーバ２０４は、インタリーブ後のデータ２０５を出力する。
【０１９０】
（３）マッピング部２０６
マッピング部２０６は、インターリーバ２０４から、インタリーブ後のデータ２０５を受け取る。また、マッピング部２０６は、ＡＰ２５２０が備えるコントローラから制御信号２１３を受け取る。制御信号２１３は、変調方式の指定を含む。マッピング部２０６は、制御信号２１３に含まれる変調方式の指定に従って、インタリーブ後のデータ２０５に対して、例えば、ＱＰＳＫ（Ｑｕａｄｒａｔｕｒｅ  Ｐｈａｓｅ  Ｓｈｉｆｔ  Ｋｅｙｉｎｇ）、１６ＱＡＭ（１６  Ｑｕａｄｒａｔｕｒｅ  Ａｍｐｌｉｔｕｄｅ  Ｍｏｄｕｌａｔｉｏｎ）、６４ＱＡＭ（６４  Ｑｕａｄｒａｔｕｒｅ  Ａｍｐｌｉｔｕｄｅ  Ｍｏｄｕｌａｔｉｏｎ）等の変調を施し、変調後の信号２０７を生成する。マッピング部２０６は、変調後の信号２０７を出力する。なお、変調方式として、他の変調方式を適用してもよい。
【０１９１】
なお、マッピング部２０６は、重み付けの処理を含むマッピングを行ってもよい。
（４）重み付け部２６０１
重み付け部２６０１は、マッピング部２０６から、変調後の信号２０７を受け取る。また、重み付け部２６０１は、制御信号２１４を受け取る。制御信号２１４は、重み付けの方法の設定を含む。重み付け部２６０１は、制御信号２１４に含まれる重み付けの方法の設定に従って、変調後の信号２０７に対して、重み付けを施し、重み付け後の信号２６０２を生成する。重み付け部２６０１は、重み付け後の信号２６０２を出力する。
【０１９２】
（５）無線部２１０及びアンテナ２１２
無線部２１０は、重み付け部２６０１から、重み付け後のデータ２６０２を受け取る。また、無線部２１０は、ＡＰ２５２０が備えるコントローラから制御信号２１３を受け取る。制御信号２１３は、周波数変換、増幅等の指定を含む。無線部２１０は、重み付け後の信号２６０２に対して、周波数変換、増幅等の処理を施し、送信信号２１１を生成する。無線部２１０は、６ＧＨｚ以上の、例えば、ミリ波と呼ばれる周波数帯域を用いて、一例として、６０ＧＨｚの周波数帯域を用いて、生成した送信信号２１１をアンテナ２１２に対して出力する。
【０１９３】
アンテナ２１２は、送信信号２１１を電波として出力する。
（６）アンテナ２１５及び受信装置２１７
アンテナ２１５は、各端末により電波として出力された信号２１６を受信する。
受信装置２１７は、６ＧＨｚ以上の、例えば、ミリ波と呼ばれる周波数帯域を用いて、一例として、６０ＧＨｚの周波数帯域を用いて、アンテナ２１５から信号２１６を受け取り、増幅、周波数変換等の処理を施し、データ２１８を生成する。受信装置２１７は、データ２１８を親局２５１０に対して出力する。
【０１９４】
なお、アンテナ２１２とアンテナ２１５とは、同一体であってもよい。便宜上、別々の表記をしている。
４．３  親局２５１０
親局２５１０は、図２７に示すように、送信データ振り分け部３０２、受信データ振り分け部３０５及び指示部３０８から構成されている。
【０１９５】
（１）指示部３０８
指示部３０８は、通信装置、並びに、ＡＰ２５２０−１、ＡＰ２５２０−２、ＡＰ２５２０−３及びＡＰ２５２０−４に接続されている。
指示部３０８は、制御信号３０７を受け取る。制御信号３０７は、ユニキャスト送信に関する設定又はマルチキャスト送信に関する設定、及び、重み付けの方法の設定を含む。通信装置は、一例として、ＰＣを含み、ＰＣの利用者が制御信号をＰＣにより入力する。
【０１９６】
また、制御信号３０７は、ＡＰ毎に個別に設定されるとしてもよいし、すべてのＡＰについて、同一の制御信号３０７が設定されるとしてもよい。
すべてのＡＰに対して、マルチキャスト送信と設定をしてもよいし、すべてのＡＰに対して、ユニキャスト送信と設定をしてもよい。一部のＡＰについて、マルチキャスト送信と設定をし、他のＡＰについて、ユニキャスト送信と設定をしてもよい。このように、ＡＰについて、マルチキャスト送信に関する設定とユニキャストに関する設定が混在してもよい。
【０１９７】
マルチキャストに設定された複数のＡＰについては、重み付け前の変調信号は、同一の信号となる。言い換えると、同一のデータが送信される。
また、指示部３０８は、各ＡＰに対して、重み付けの方法を指示する。
ユニキャストに設定された複数のＡＰについては、重み付け前の変調信号は、同一の信号であってもよいし、異なる信号であってもよい。言い換えると、同一のデータが送信される場合もあるし、異なるデータが送信される場合もある。
【０１９８】
指示部３０８は、受け取った制御信号３０７を、送信データ振り分け部３０２、受信データ振り分け部３０５、並びに、ＡＰ２５２０−１、ＡＰ２５２０−２、ＡＰ２５２０−３及びＡＰ２５２０−４に対して、出力する。
（２）送信データ振り分け部３０２
送信データ振り分け部３０２は、通信装置、指示部３０８、並びに、ＡＰ２５２０−１、ＡＰ２５２０−２、ＡＰ２５２０−３及びＡＰ２５２０−４に接続されている。
【０１９９】
送信データ振り分け部３０２は、指示部３０８から制御信号３１０を受け取る。送信データ振り分け部３０２は、受け取った制御信号３１０をＡＰ２５２０−１、ＡＰ２５２０−２、ＡＰ２５２０−３及びＡＰ２５２０−４に対して出力する。
また、送信データ振り分け部３０２は、通信装置からデータ３０１を受け取る。送信データ振り分け部３０２は、受け取ったデータをＡＰ２５２０−１向け、ＡＰ２５２０−２向け、ＡＰ２５２０−３向け及びＡＰ２５２０−４向けに振り分ける。送信データ振り分け部３０２は、振り分けたデータを、それぞれ、ＡＰ２５２０−１、ＡＰ２５２０−２、ＡＰ２５２０−３及びＡＰ２５２０−４に対して出力する。
【０２００】
（３）受信データ振り分け部３０５
受信データ振り分け部３０５は、通信装置、指示部３０８、並びに、ＡＰ２５２０−１、ＡＰ２５２０−２、ＡＰ２５２０−３及びＡＰ２５２０−４に接続されている。
また、受信データ振り分け部３０５は、ＡＰ２５２０−１、ＡＰ２５２０−２、ＡＰ２５２０−３及びＡＰ２５２０−４から、それぞれ、データ３０４−１、３０４−２、３０４−３及び３０４−４を受信する。受信データ振り分け部３０５は、受信したデータ３０４−１、３０４−２、３０４−３及び３０４−４を通信装置に対して出力する。
【０２０１】
４．４  送信されるデータの例
親局２５１０、ＡＰ２５２０−１、ＡＰ２５２０−２、ＡＰ２５２０−３及びＡＰ２５２０−４により、送信されるデータの例について、以下に説明する。
（１）すべてのＡＰをマルチキャスト用の送信に設定し、データを送信する場合
すべてのＡＰ２５２０−１、ＡＰ２５２０−２、ＡＰ２５２０−３及びＡＰ２５２０−４をマルチキャスト用の送信に設定し、データを送信する場合において、送信されるデータの例について、図２８及び図２９を用いて説明する。
【０２０２】
送信データ振り分け部３０２は、図２８に示すように、パケット２８１１、２８１２、２８１３、２８１４、・・・をこの順序で受信する。ここで、パケット２８１１、２８１２、２８１３、２８１４、・・・は、すべて、マルチキャスト用のパケットである。また、パケット２８１１、２８１２、２８１３、２８１４、・・・は、マルチキャスト用の一つのデータから生成される。
【０２０３】
送信データ振り分け部３０２は、パケット２８１１、２８１２、２８１３、２８１４、・・・をこの順序で、それぞれ、ＡＰ２５２０−１、ＡＰ２５２０−２、ＡＰ２５２０−３及びＡＰ２５２０−４に対して出力する。
（ａ）各ＡＰの処理１
図２５、図２８に示すように、ＡＰ２５２０−１では、ウェイトとして、Ａ１（０）、Ａ１（１）、Ａ１（２）、Ａ１（３）、・・・を用意しておく。同様に、ＡＰ２５２０−２では、ウェイトとして、Ａ２（０）、Ａ２（１）、Ａ２（２）、Ａ２（３）、・・・を用意しておき、ＡＰ２５２０−３では、ウェイトとして、Ａ３（０）、Ａ３（１）、Ａ３（２）、Ａ３（３）、・・・を用意しておき、ＡＰ２５２０−４では、ウェイトとして、Ａ４（０）、Ａ４（１）、Ａ４（２）、Ａ４（３）、・・・を用意しておく。
【０２０４】
（ｂ）各ＡＰの処理２
次に、各ＡＰの処理について、図２９を用いて説明する。
（ＡＰ２５２０−１の処理）
ＡＰ２５２０−１のマッピング部２０６は、図２９に示すように、マッピング後のベースバンド信号複素数（実数でもよい）２９１１「ｃ（０）」、２９１２「ｃ（１）」、２９１３「ｃ（２）」、２９１４「ｃ（３）」、・・・を生成するものとする。
なお、ｃ（０）は、パケット２８１１に関連するマッピング後のベースバンド信号であるものとする。そして、ｃ（１）は、パケット２８１２に関連するマッピング後のベースバンド信号であるものとし、ｃ（２）は、パケット２８１３に関連するマッピング後のベースバンド信号であるものとし、ｃ（３）は、パケット２８１４に関連するマッピング後のベースバンド信号であるもの、・・・、とする。
【０２０５】
マッピング後のベースバンド信号複素数２９１１「ｃ（０）」を生成すると、ＡＰ２５２０−１の重み付け部２６０１は、複素数Ａ１（０）、複素数Ａ１（１）、複素数Ａ１（２）及び複素数Ａ１（３）を用いて、
ｃ（０）×Ａ１（０）（２９３１）、
ｃ（０）×Ａ１（１）（２９３２）、
ｃ（０）×Ａ１（２）（２９３３）、及び、
ｃ（０）×Ａ１（３）（２９３４）を算出する。
【０２０６】
ＡＰ２５２０−１は、ｃ（０）×Ａ１（０）（２９３１）、ｃ（０）×Ａ１（１）（２９３２）、ｃ（０）×Ａ１（２）（２９３３）、及び、ｃ（０）×Ａ１（３）（２９３４）を無線により出力する。
マッピング後のベースバンド信号複素数２９１２「ｃ（１）」を生成すると、ＡＰ２５２０−１の重み付け部２６０１は、複素数Ａ１（０）、複素数Ａ１（１）、複素数Ａ１（２）及び複素数Ａ１（３）を用いて、
ｃ（１）×Ａ１（０）（２９３５）、
ｃ（１）×Ａ１（１）（２９３６）、
ｃ（１）×Ａ１（２）（２９３７）、及び、
ｃ（１）×Ａ１（３）（２９３８）を算出する。
【０２０７】
ＡＰ２５２０−１は、ｃ（１）×Ａ１（０）（２９３５）、ｃ（１）×Ａ１（１）（２９３６）、ｃ（１）×Ａ１（２）（２９３７）、及び、ｃ（１）×Ａ１（３）（２９３８）を無線により出力する。
マッピング後のベースバンド信号複素数２９１３「ｃ（２）」、２９１４「ｃ（３）」、・・・を生成した場合にも、ＡＰ２５２０−１は、上記と同様に動作する。
【０２０８】
（ＡＰ２５２０−２の処理）
ＡＰ２５２０−２のマッピング部２０６は、図２９に示すように、マッピング後のベースバンド信号複素数２９１１「ｃ（０）」、２９１２「ｃ（１）」、２９１３「ｃ（２）」、２９１４「ｃ（３）」、・・・を生成するものとする。
なお、ｃ（０）は、パケット２８１１に関連するマッピング後のベースバンド信号であるものとする。そして、ｃ（１）は、パケット２８１２に関連するマッピング後のベースバンド信号であるものとし、ｃ（２）は、パケット２８１３に関連するマッピング後のベースバンド信号であるものとし、ｃ（３）は、パケット２８１４に関連するマッピング後のベースバンド信号であるもの、・・・、とする。
【０２０９】
マッピング後のベースバンド信号複素数２９１１「ｃ（０）」を生成すると、ＡＰ２５２０−２の重み付け部２６０１は、複素数Ａ２（０）、複素数Ａ２（１）、複素数Ａ２（２）及び複素数Ａ２（３）を用いて、
ｃ（０）×Ａ２（０）（２９４１）、
ｃ（０）×Ａ２（１）（２９４２）、
ｃ（０）×Ａ２（２）（２９４３）、及び、
ｃ（０）×Ａ２（３）（２９４４）を算出する。
【０２１０】
ＡＰ２５２０−２は、ｃ（０）×Ａ２（０）（２９４１）、ｃ（０）×Ａ２（１）（２９４２）、ｃ（０）×Ａ２（２）（２９４３）、及び、ｃ（０）×Ａ２（３）（２９４４）を無線により出力する。
マッピング後のベースバンド信号複素数２９１２「ｃ（１）」を生成すると、ＡＰ２５２０−２の重み付け部２６０１は、複素数Ａ２（０）、複素数Ａ２（１）、複素数Ａ２（２）及び複素数Ａ２（３）を用いて、
ｃ（１）×Ａ２（０）（２９４５）、
ｃ（１）×Ａ２（１）（２９４６）、
ｃ（１）×Ａ２（２）（２９４７）、及び、
ｃ（１）×Ａ２（３）（２９４８）を算出する。
【０２１１】
ＡＰ２５２０−２は、ｃ（１）×Ａ２（０）（２９４５）、ｃ（１）×Ａ２（１）（２９４６）、ｃ（１）×Ａ２（２）（２９４７）、及び、ｃ（１）×Ａ２（３）（２９４８）を無線により出力する。
マッピング後のベースバンド信号複素数２９１３「ｃ（２）」、２９１４「ｃ（３）」、・・・を生成した場合にも、ＡＰ２５２０−２は、上記と同様に動作する。
【０２１２】
（ＡＰ２５２０−３及びＡＰ２５２０−４の処理）
ＡＰ２５２０−３及びＡＰ２５２０−４も、上記と同様に動作する。
なお、ＡＰ２５２０−３の重み付け部２６０１は、複素数Ａ３（０）、複素数Ａ３（１）、複素数Ａ３（２）及び複素数Ａ３（３）を用いて、重み付けを行う。
また、ＡＰ２５２０−４の重み付け部２６０１は、複素数Ａ４（０）、複素数Ａ４（１）、複素数Ａ４（２）及び複素数Ａ４（３）を用いて、重み付けを行う。
以上のように、各パケットは、異なる重み付けを行い、複数回送信するという特徴を持つことになるとともに、複数のＡＰから、各パケットは、複数回送信するという特徴も併せ持つ。
【０２１３】
複数のＡＰを用いて送信することにより、セルエリアを広くすることができるという効果を持つとともに、各パケットを異なる重み付けで、複数回送信することで、異なる指向性で、複数回パケットが送信されることになるので、セルエリア内で、より均一な受信品質を保つことが可能であるという効果をもつことになる。
重み付けの係数Ａ１（ｉ）、Ａ２（ｉ）、Ａ３（ｉ）、Ａ４（ｉ）については、例えば、以下のような性質をもつことが考えられる。
・パケットＡの変調信号をＮ回（Ｎは２以上の整数）送信するとする。このとき、第ｕ回目のパケットＡの変調信号を送信するのに使用する重み付け係数をＡ１（ｕ）。第ｖ回目のパケットＡの変調信号を送信するのに使用する重み付け係数をＡ１（ｖ）とする。なお、ｕ，ｖは１以上Ｎ以下の整数とし、ｕ≠ｖが成立するものとする。このとき、ｕ，ｖは１以上Ｎ以下の整数とし、ｕ≠ｖとし、これを満たす、すべてのｕ、すべてのｖにおいて、Ａ１（ｕ）≠Ａ１（ｖ）が成立する。
・同様に、パケットＡの変調信号をＮ回（Ｎは２以上の整数）送信するとする。このとき、第ｕ回目のパケットＡの変調信号を送信するのに使用する重み付け係数をＡｋ（ｕ）。第ｖ回目のパケットＡの変調信号を送信するのに使用する重み付け係数をＡｋ（ｖ）とする。なお、ｕ，ｖは１以上Ｎ以下の整数とし、ｕ≠ｖが成立するものとする。このとき、ｕ，ｖは１以上Ｎ以下の整数とし、ｕ≠ｖとし、これを満たす、すべてのｕ、すべてのｖにおいて、Ａｋ（ｕ）≠Ａｋ（ｖ）が成立する。（ｋは１以上の整数とする。）
・また、重み付け係数Ａｋ（ｉ）が周期をもってもよい。周期をＭ（Ｍは２以上の整数）とすると、以下が成立する。
【０２１４】
Ａｋ（ｉ）＝Ａｋ（ｉ  ｍｏｄ  Ｍ）
ｉ  ｍｏｄ  Ｍ  は、ｉをＭで割ったときの余りとする。
（２）ＡＰ２５２０−１及びＡＰ２５２０−２をマルチキャスト用の送信に設定し、ＡＰ２５２０−３及びＡＰ２５２０−４をユニキャスト用の送信に設定し、データを送信する場合
ＡＰ２５２０−１及びＡＰ２５２０−２をマルチキャスト用の送信に設定し、ＡＰ２５２０−３及びＡＰ２５２０−４をユニキャスト用の送信に設定し、データを送信する場合において、送信されるデータの例について、図３０及び図３１を用いて説明する。この場合、ＡＰ２５２０−１及びＡＰ２５２０−２において、同一のデータが送信されるとする（位相変更前のマッピング後の変調信号が同一である）。また、ＡＰ２５２０−３及びＡＰ２５２０−４において、同一のデータが送信されるとする（マッピング後の変調信号が同一である）。
【０２１５】
送信データ振り分け部３０２は、図３０に示すように、パケット３０１１、３０１２、３０１３、３０１４、・・・をこの順序で受信する。ここで、パケット３０１１、３０１３、３０１４、３０１６、・・・は、マルチキャスト用のパケットである。パケット３０１１、３０１３、３０１４、３０１６、・・・は、マルチキャスト用の一つのデータから生成される。また、パケット３０１２、３０１５、・・・は、ユニキャスト用のパケットである。パケット３０１２、３０１５、・・・は、ユニキャスト用の一つのデータから生成される。
【０２１６】
送信データ振り分け部３０２は、マルチキャスト用のパケット３０１１、３０１３、３０１４、３０１６、・・・をこの順序で、それぞれ、ＡＰ２５２０−１及びＡＰ２５２０−２に対して出力する。また、送信データ振り分け部３０２は、ユニキャスト用のパケット３０１２、３０１５、・・・をこの順序で、それぞれ、ＡＰ２５２０−３及びＡＰ２５２０−４に対して出力する。
【０２１７】
（ａ）各ＡＰの処理１
図２５、図３０に示すように、ＡＰ２５２０−１では、ウェイトとして、Ａ１（０）、Ａ１（１）、Ａ１（２）、Ａ１（３）、・・・を用意しておく。同様に、ＡＰ２５２０−２では、ウェイトとして、Ａ２（０）、Ａ２（１）、Ａ２（２）、Ａ２（３）、・・・を用意しておく。
【０２１８】
（ｂ）各ＡＰの処理２
次に、各ＡＰの処理の別の例について、図３１を用いて説明する。
（ＡＰ２５２０−１の処理）
ＡＰ２５２０−１のマッピング部２０６は、図３１に示すように、マッピング後のベースバンド信号複素数３１１１「ｃ（０）」、３１１２「ｃ（１）」、３１１３「ｃ（２）」、３１１４「ｃ（３）」、・・・を生成するものとする。
なお、ｃ（０）は、パケット３０１１に関連するマッピング後のベースバンド信号であるものとする。そして、ｃ（１）は、パケット３０１３に関連するマッピング後のベースバンド信号であるものとし、ｃ（２）は、パケット３０１４に関連するマッピング後のベースバンド信号であるものとし、ｃ（３）は、パケット３０１６に関連するマッピング後のベースバンド信号であるもの、・・・、とする。
【０２１９】
マッピング後のベースバンド信号複素数３１１１「ｃ（０）」を生成すると、ＡＰ２５２０−１の重み付け部２６０１は、複素数Ａ１（０）、複素数Ａ１（１）、複素数Ａ１（２）及び複素数Ａ１（３）を用いて、
ｃ（０）×Ａ１（０）（３１３１）、
ｃ（０）×Ａ１（１）（３１３２）、
ｃ（０）×Ａ１（２）（３１３３）、及び、
ｃ（０）×Ａ１（３）（３１３４）を算出する。
【０２２０】
ＡＰ２５２０−１は、ｃ（０）×Ａ１（０）（３１３１）、ｃ（０）×Ａ１（１）（３１３２）、ｃ（０）×Ａ１（２）（３１３３）、及び、ｃ（０）×Ａ１（３）（３１３４）を無線により出力する。
マッピング後のベースバンド信号複素数３１１２「ｃ（１）」を生成すると、ＡＰ２５２０−１の重み付け部２６０１は、複素数Ａ１（０）、複素数Ａ１（１）、複素数Ａ１（２）及び複素数Ａ１（３）を用いて、
ｃ（１）×Ａ１（０）（３１３５）、
ｃ（１）×Ａ１（１）（３１３６）、
ｃ（１）×Ａ１（２）（３１３７）、及び、
ｃ（１）×Ａ１（３）（３１３８）を算出する。
【０２２１】
ＡＰ２５２０−１は、ｃ（１）×Ａ１（０）（３１３５）、ｃ（１）×Ａ１（１）（３１３６）、ｃ（１）×Ａ１（２）（３１３７）、及び、ｃ（１）×Ａ１（３）（３１３８）を無線により出力する。
マッピング後のベースバンド信号複素数３１１３「ｃ（２）」、３１１４「ｃ（３）」、・・・を生成した場合にも、ＡＰ２５２０−１は、上記と同様に動作する。
【０２２２】
（ＡＰ２５２０−２の処理）
ＡＰ２５２０−２のマッピング部２０６は、図３１に示すように、マッピング後のベースバンド信号複素数３１１１「ｃ（０）」、３１１２「ｃ（１）」、３１１３「ｃ（２）」、３１１４「ｃ（３）」、・・・を生成するものとする。
なお、ｃ（０）は、パケット３０１１に関連するマッピング後のベースバンド信号であるものとする。そして、ｃ（１）は、パケット３０１３に関連するマッピング後のベースバンド信号であるものとし、ｃ（２）は、パケット３０１４に関連するマッピング後のベースバンド信号であるものとし、ｃ（３）は、パケット３０１６に関連するマッピング後のベースバンド信号であるもの、・・・、とする。
【０２２３】
マッピング後のベースバンド信号複素数３１１１「ｃ（０）」を生成すると、ＡＰ２５２０−２の重み付け部２６０１は、複素数Ａ２（０）、複素数Ａ２（１）、複素数Ａ２（２）及び複素数Ａ２（３）を用いて、
ｃ（０）×Ａ２（０）（３１４１）、
ｃ（０）×Ａ２（１）（３１４２）、
ｃ（０）×Ａ２（２）（３１４３）、及び、
ｃ（０）×Ａ２（３）（３１４４）を算出する。
【０２２４】
ＡＰ２５２０−２は、ｃ（０）×Ａ２（０）（３１４１）、ｃ（０）×Ａ２（１）（３１４２）、ｃ（０）×Ａ２（２）（３１４３）、及び、ｃ（０）×Ａ２（３）（３１４４）を無線により出力する。
マッピング後のベースバンド信号複素数３１１２「ｃ（１）」を生成すると、ＡＰ２５２０−２の重み付け部２６０１は、複素数Ａ２（０）、複素数Ａ２（１）、複素数Ａ２（２）及び複素数Ａ２（３）を用いて、
ｃ（１）×Ａ２（０）（３１４５）、
ｃ（１）×Ａ２（１）（３１４６）、
ｃ（１）×Ａ２（２）（３１４７）、及び、
ｃ（１）×Ａ２（３）（３１４８）を算出する。
【０２２５】
ＡＰ２５２０−２は、ｃ（１）×Ａ２（０）（３１４５）、ｃ（１）×Ａ２（１）（３１４６）、ｃ（１）×Ａ２（２）（３１４７）、及び、ｃ（１）×Ａ２（３）（３１４８）を無線により出力する。
マッピング後のベースバンド信号複素数３１１３「ｃ（２）」、３１１４「ｃ（３）」、・・・を生成した場合にも、ＡＰ２５２０−２は、上記と同様に動作する。
【０２２６】
（ＡＰ２５２０−３の処理）
ＡＰ２５２０−３のマッピング部２０６は、マッピング後のベースバンド信号複素数「ｄ（０）」、「ｄ（１）」、「ｄ（２）」、・・・を生成するものとする。
なお、ｄ（０）は、パケット３０５１に関連するマッピング後のベースバンド信号であるものとする。そして、ｄ（１）は、パケット３０５２に関連するマッピング後のベースバンド信号であるものとし、ｄ（２）は、パケット３０５３に関連するマッピング後のベースバンド信号であるもの、・・・、とする。
【０２２７】
マッピング後のベースバンド信号複素数「ｄ（０）」を生成すると、図３１に示すように、ＡＰ２５２０−３は、マッピング後のベースバンド信号複素数「ｄ（０）」（３１５１）を無線により出力する。
マッピング後のベースバンド信号複素数「ｄ（１）」を生成すると、図３１に示すように、ＡＰ２５２０−３は、マッピング後のベースバンド信号複素数「ｄ（１）」（３１５２）を無線により出力する。
【０２２８】
以下、同様に、ＡＰ２５２０−３は、図３１に示すように、マッピング後のベースバンド信号複素数「ｄ（２）」、「ｄ（３）」、「ｄ（４）」、・・・、「ｄ（７）」、・・・を生成し、生成した「ｄ（２）」、「ｄ（３）」、「ｄ（４）」、・・・、「ｄ（７）」、・・・を無線により出力する。
（ＡＰ２５２０−４の処理）
ＡＰ２５２０−４のマッピング部２０６は、マッピング後のベースバンド信号複素数「ｄ（０）」、「ｄ（１）」、「ｄ（２）」、・・・を生成するものとする。
なお、ｄ（０）は、パケット３０６１に関連するマッピング後のベースバンド信号であるものとする。そして、ｄ（１）は、パケット３０６２に関連するマッピング後のベースバンド信号であるものとし、ｄ（２）は、パケット３０６３に関連するマッピング後のベースバンド信号であるもの、・・・、とする。
【０２２９】
マッピング後のベースバンド信号複素数「ｄ（０）」を生成すると、図３１に示すように、ＡＰ２５２０−４は、マッピング後のベースバンド信号複素数「ｄ（０）」（３１６１）を無線により出力する。
マッピング後のベースバンド信号複素数「ｄ（１）」を生成すると、図３１に示すように、ＡＰ２５２０−４は、マッピング後のベースバンド信号複素数「ｄ（１）」（３１６２）を無線により出力する。
【０２３０】
以下、同様に、ＡＰ２５２０−４は、図３１に示すように、マッピング後のベースバンド信号複素数「ｄ（２）」、「ｄ（３）」、「ｄ（４）」、・・・、「ｄ（７）」、・・・を生成し、生成した「ｄ（２）」、「ｄ（３）」、「ｄ（４）」、・・・、「ｄ（７）」、・・・を無線により出力する。
以上のように、マルチキャスト用の各パケットは、異なる重み付けを行い、複数回送信するという特徴を持つことになるとともに、複数のＡＰから、マルチキャスト用の各パケットは、複数回送信するという特徴も併せ持つ。
【０２３１】
複数のＡＰを用いて送信することにより、セルエリアを広くすることができるという効果を持つとともに、マルチキャスト用の各パケットを異なる重み付けで、複数回送信することで、異なる指向性で、複数回パケットが送信されることになるので、セルエリア内で、より均一な受信品質を保つことが可能であるという効果をもつことになる。
また、ＡＰ２５２０−３、ＡＰ２５２０−４では、時間や周波数に対し、位相変更を行ったり、重み付けを変化させたりしてもよい。
これにより、ユニキャスト用のパケットの受信品質が向上するという効果を得ることができる。
【０２３２】
（３）ＡＰ２５２０−１及びＡＰ２５２０−２をマルチキャスト用に設定し、ＡＰ２５２０−３及びＡＰ２５２０−４をユニキャスト用に設定して送信する場合
ＡＰ２５２０−１及びＡＰ２５２０−２をマルチキャスト送信用に設定し、ＡＰ２５２０−３及びＡＰ２５２０−４をユニキャスト送信用に設定して送信する場合において、送信されるデータの例について、図３２及び図３３を用いて説明する。この場合、ＡＰ２５２０−３及びＡＰ２５２０−４において、異なるデータが送信される。
【０２３３】
送信データ振り分け部３０２は、図３２に示すように、パケット３２１１、３２１２、３２１３、３２１４、・・・をこの順序で受信する。ここで、パケット３２１１、３２１３、３２１４、３２１６、・・・は、マルチキャスト用のパケットである。パケット３２１１、３２１３、３２１４、３２１６、・・・は、マルチキャスト用の一つのデータから生成される。また、パケット３２１２、・・・は、第１のユニキャスト用のパケットである。パケット３２１２、・・・は、ユニキャスト用の第１のデータから生成される。また、パケット３２１５、・・・は、第２のユニキャスト用のパケットである。パケット３２１５、・・・は、ユニキャスト用の第２のデータから生成される。
【０２３４】
送信データ振り分け部３０２は、マルチキャスト用のパケット３２１１、３２１３、３２１４、３２１６、・・・をこの順序で、それぞれ、ＡＰ２５２０−１及びＡＰ２５２０−２に対して出力する。また、送信データ振り分け部３０２は、ユニキャスト用のパケット３２１２、・・・をこの順序で、ＡＰ２５２０−３に対して出力する。また、送信データ振り分け部３０２は、ユニキャスト用のパケット３２１５、・・・をこの順序で、ＡＰ２５２０−４に対して出力する。
【０２３５】
（ａ）各ＡＰの処理１
図２５、図３２に示すように、ＡＰ２５２０−１では、ウェイトとして、Ａ１（０）、Ａ１（１）、Ａ１（２）、Ａ１（３）、・・・を用意しておく。同様に、ＡＰ２５２０−２では、ウェイトとして、Ａ２（０）、Ａ２（１）、Ａ２（２）、Ａ２（３）、・・・を用意しておく。
【０２３６】
（ｂ）各ＡＰの処理２
次に、各ＡＰの処理の別の例について、図３３を用いて説明する。
（ＡＰ２５２０−１の処理）
ＡＰ２５２０−１のマッピング部２０６は、図３３に示すように、マッピング後のベースバンド信号複素数３３１１「ｃ（０）」、３３１２「ｃ（１）」、３３１３「ｃ（２）」、３３１４「ｃ（３）」、・・・を生成するものとする。
なお、ｃ（０）は、パケット３２１１に関連するマッピング後のベースバンド信号であるものとする。そして、ｃ（１）は、パケット３２１３に関連するマッピング後のベースバンド信号であるものとし、ｃ（２）は、パケット３２１４に関連するマッピング後のベースバンド信号であるものとし、ｃ（３）は、パケット３２１６に関連するマッピング後のベースバンド信号であるもの、・・・、とする。
【０２３７】
マッピング後のベースバンド信号複素数３３１１「ｃ（０）」を生成すると、ＡＰ２５２０−１の重み付け部２６０１は、複素数Ａ１（０）、複素数Ａ１（１）、複素数Ａ１（２）及び複素数Ａ１（３）を用いて、
ｃ（０）×Ａ１（０）（３３３１）、
ｃ（０）×Ａ１（１）（３３３２）、
ｃ（０）×Ａ１（２）（３３３３）、及び、
ｃ（０）×Ａ１（３）（３３３４）を算出する。
【０２３８】
ＡＰ２５２０−１は、ｃ（０）×Ａ１（０）（３３３１）、ｃ（０）×Ａ１（１）（３３３２）、ｃ（０）×Ａ１（２）（３３３３）、及び、ｃ（０）×Ａ１（３）（３３３４）を無線により出力する。
マッピング後のベースバンド信号複素数３３１２「ｃ（１）」を生成すると、ＡＰ２５２０−１の重み付け部２６０１は、複素数Ａ１（０）、複素数Ａ１（１）、複素数Ａ１（２）及び複素数Ａ１（３）を用いて、
ｃ（１）×Ａ１（０）（３３３５）、
ｃ（１）×Ａ１（１）（３３３６）、
ｃ（１）×Ａ１（２）（３３３７）、及び、
ｃ（１）×Ａ１（３）（３３３８）を算出する。
【０２３９】
ＡＰ２５２０−１は、ｃ（１）×Ａ１（０）（３３３５）、ｃ（１）×Ａ１（１）（３３３６）、ｃ（１）×Ａ１（２）（３３３７）、及び、ｃ（１）×Ａ１（３）（３３３８）を無線により出力する。
マッピング後のベースバンド信号複素数３３１３「ｃ（２）」、３３１４「ｃ（３）」、・・・を生成した場合にも、ＡＰ２５２０−１は、上記と同様に動作する。
【０２４０】
（ＡＰ２５２０−２の処理）
ＡＰ２５２０−２のマッピング部２０６は、図３３に示すように、マッピング後のベースバンド信号複素数３３１１「ｃ（０）」、３３１２「ｃ（１）」、３３１３「ｃ（２）」、３３１４「ｃ（３）」、・・・を生成するものとする。
なお、ｃ（０）は、パケット３２１１に関連するマッピング後のベースバンド信号であるものとする。そして、ｃ（１）は、パケット３２１３に関連するマッピング後のベースバンド信号であるものとし、ｃ（２）は、パケット３２１４に関連するマッピング後のベースバンド信号であるものとし、ｃ（３）は、パケット３２１６に関連するマッピング後のベースバンド信号であるもの、・・・、とする。
【０２４１】
マッピング後のベースバンド信号複素数３３１１「ｃ（０）」を生成すると、ＡＰ２５２０−２の重み付け部２６０１は、複素数Ａ２（０）、複素数Ａ２（１）、複素数Ａ２（２）及び複素数Ａ２（３）を用いて、
ｃ（０）×Ａ２（０）（３３４１）、
ｃ（０）×Ａ２（１）（３３４２）、
ｃ（０）×Ａ２（２）（３３４３）、及び、
ｃ（０）×Ａ２（３）（３３４４）を算出する。
【０２４２】
ＡＰ２５２０−２は、ｃ（０）×Ａ２（０）（３３４１）、ｃ（０）×Ａ２（１）（３３４２）、ｃ（０）×Ａ２（２）（３３４３）、及び、ｃ（０）×Ａ２（３）（３３４４）を無線により出力する。
マッピング後のベースバンド信号複素数３３１２「ｃ（１）」を生成すると、ＡＰ２５２０−２の重み付け部２６０１は、複素数Ａ２（０）、複素数Ａ２（１）、複素数Ａ２（２）及び複素数Ａ２（３）を用いて、
ｃ（１）×Ａ２（０）（３３４５）、
ｃ（１）×Ａ２（１）（３３４６）、
ｃ（１）×Ａ２（２）（３３４７）、及び、
ｃ（１）×Ａ２（３）（３３４８）を算出する。
【０２４３】
ＡＰ２５２０−２は、ｃ（１）×Ａ２（０）（３３４５）、ｃ（１）×Ａ２（１）（３３４６）、ｃ（１）×Ａ２（２）（３３４７）、及び、ｃ（１）×Ａ２（３）（３３４８）を無線により出力する。
マッピング後のベースバンド信号複素数３３１３「ｃ（２）」、３３１４「ｃ（３）」、・・・を生成した場合にも、ＡＰ２５２０−２は、上記と同様に動作する。
【０２４４】
（ＡＰ２５２０−３の処理）
ＡＰ２５２０−３のマッピング部２０６は、マッピング後のベースバンド信号複素数「ｄ（０）」、「ｄ（１）」、「ｄ（２）」、・・・を生成するものとする。
なお、ｄ（０）は、パケット３２５１に関連するマッピング後のベースバンド信号であるものとする。そして、ｄ（１）は、パケット３２５２に関連するマッピング後のベースバンド信号であるものとし、ｄ（２）は、パケット３２５３に関連するマッピング後のベースバンド信号であるもの、・・・、とする。
【０２４５】
マッピング後のベースバンド信号複素数「ｄ（０）」を生成すると、図３３に示すように、ＡＰ２５２０−３は、マッピング後のベースバンド信号複素数「ｄ（０）」（３３５１）を無線により出力する。
マッピング後のベースバンド信号複素数「ｄ（１）」を生成すると、図３３に示すように、ＡＰ２５２０−３は、マッピング後のベースバンド信号複素数「ｄ（１）」（３３５２）を無線により出力する。
【０２４６】
以下、同様に、ＡＰ２５２０−３は、図３３に示すように、マッピング後のベースバンド信号複素数「ｄ（２）」、「ｄ（３）」、「ｄ（４）」、・・・、「ｄ（７）」、・・・を生成し、生成した「ｄ（２）」、「ｄ（３）」、「ｄ（４）」、・・・、「ｄ（７）」、・・・を無線により出力する。
（ＡＰ２５２０−４の処理）
ＡＰ２５２０−４のマッピング部２０６は、マッピング後のベースバンド信号複素数「ｅ（０）」、「ｅ（１）」、「ｅ（２）」、・・・を生成するものとする。
なお、ｅ（０）は、パケット３２６１に関連するマッピング後のベースバンド信号であるものとする。そして、ｅ（１）は、パケット３２６２に関連するマッピング後のベースバンド信号であるものとし、ｅ（２）は、パケット３２６３に関連するマッピング後のベースバンド信号であるもの、・・・、とする。
【０２４７】
マッピング後のベースバンド信号複素数「ｅ（０）」を生成すると、図３３に示すように、ＡＰ２５２０−４は、マッピング後のベースバンド信号複素数「ｅ（０）」（３３６１）を無線により出力する。
マッピング後のベースバンド信号複素数「ｅ（１）」を生成すると、図３３に示すように、ＡＰ２５２０−４は、マッピング後のベースバンド信号複素数「ｅ（１）」（３３６２）を無線により出力する。
【０２４８】
以下、同様に、ＡＰ２５２０−４は、図３３に示すように、マッピング後のベースバンド信号複素数「ｅ（２）」、「ｅ（３）」、「ｅ（４）」、・・・、「ｅ（７）」、・・・を生成し、生成した「ｅ（２）」、「ｅ（３）」、「ｅ（４）」、・・・、「ｅ（７）」、・・・を無線により出力する。
以上のように、マルチキャスト用の各パケットは、異なる重み付けを行い、複数回送信するという特徴を持つことになるとともに、複数のＡＰから、マルチキャスト用の各パケットは、複数回送信するという特徴も併せ持つ。
【０２４９】
複数のＡＰを用いて送信することにより、セルエリアを広くすることができるという効果を持つとともに、マルチキャスト用の各パケットを異なる重み付けで、複数回送信することで、異なる指向性で、複数回パケットが送信されることになるので、セルエリア内で、より均一な受信品質を保つことが可能であるという効果をもつことになる。
また、ＡＰ２５２０−３、ＡＰ２５２０−４では、ユニキャストのパケットを伝送するという柔軟性をもつことになる。
例えば、図２８の送信状態、図３０の送信状態、図３２の送信状態に、時間に応じて切り替える（例えば、端末の存在状況によって切り替える）とすることで、柔軟なシステムを実現することができるという利点もある。
４．５  まとめ
本態様によると、Ｇｂｐｓの大容量の伝送が実現できる。また、マルチキャストを実現する場合に、収容する端末数を増やすことができる。さらに、マルチキャストと同時にユニキャストの通信を実現することができ、システムに柔軟性を持たせることができる。
【０２５０】
５．実施の形態４
本発明に係る別の実施の形態４としての無線通信システム３４００について説明する。
５．１  無線通信システム３４００
無線通信システム３４００は、図３４に示すように、親局３４１０、ＡＰ３４２０−１、ＡＰ３４２０−２、ＡＰ３４２０−３、ＡＰ３４２０−４、及び、端末３４３０−１、端末３４３０−２、・・・、端末３４３０−８から構成されている。
【０２５１】
親局３４１０は、直接、又は、通信回線を介して間接的に、通信装置（図示していない）と接続されている。ここで、通信装置は、一例として、データを放送する放送装置、データを送信する配信システムやサーバーなどである。通信装置は、制御信号及びデータを送信する。制御信号は、ユニキャスト送信方法に関する設定又はマルチキャスト送信方法に関する設定、及び、重み付けの方法の設定を含む。さらに、通信装置は、複数の通信装置から構成されているとしてもよい。この場合、第１の通信装置は、制御信号を送信し、第２の通信装置は、データを送信してもよい。親局３４１０は、ＡＰ３４２０−１、ＡＰ３４２０−２、ＡＰ３４２０−３及びＡＰ３４２０−４と有線により接続されている（無線で接続してもよい。）。さらに、ＡＰ３４２０−１は、ＡＰ３４２０−２、ＡＰ３４２０−３及びＡＰ３４２０−４と有線により接続されている（無線で接続してもよい。）。
【０２５２】
親局３４１０は、通信装置からの制御信号及びデータを受信する。親局３４１０は、ＡＰ３４２０−１に対して、制御信号を送信する。また、親局３４１０は、ＡＰ３４２０−１、ＡＰ３４２０−２、ＡＰ３４２０−３及びＡＰ３４２０−４に対して、それぞれ、データを送信する。また、ＡＰ３４２０−１、ＡＰ３４２０−２、ＡＰ３４２０−３及びＡＰ３４２０−４は、親局３４１０から受信したデータを無線により送信する。
【０２５３】
端末３４３０−１、端末３４３０−２、・・・、端末３４３０−８は、それぞれ、６ＧＨｚ以上の、例えば、ミリ波と呼ばれる周波数帯域、一例として、６０ＧＨｚの周波数帯域を用いる無線通信機能を備える携帯電話、スマートフォン、タブレット、パーソナルコンピュータ（ＰＣ）である。端末３４３０−１は、例えば、端末３４３０−１がＡＰ３４２０−１に近接する位置に存在する場合、ＡＰ３４２０−１から無線によりデータを受信する。端末３４３０−２、・・・、端末３４３０−８も、それぞれ、端末３４３０−１と同様に、近接するＡＰから無線によりデータを受信する。
【０２５４】
また、端末３４３０−１は、データを無線により送信する。端末３４３０−１がＡＰ３４２０−１に近接する位置に存在する場合、ＡＰ３４２０−１は、端末３４３０−１からデータを無線により受信する。ＡＰ３４２０−１は、受信したデータを親局３４１０に対して送信する。
端末３４３０−２、端末３４３０−３、・・・、端末３４３０−８も、端末３４３０−１と同様に、データを無線により送信する。各端末に近接する位置に存在するＡＰは、当該端末からデータを無線により受信する。当該ＡＰは、端末から受信したデータを親局３４１０に対して送信する。
【０２５５】
親局３４１０は、各端末から、各ＡＰを介して、データを受信する。親局３４１０は、受信したデータを通信装置に対して出力する。
親局３４１０からＡＰ３４２０−１に対して送信される制御信号は、各ＡＰにおけるユニキャストの設定又はマルチキャスト送信に関する設定、及び、各ＡＰにおける重み付けの方法の設定を含む。親局３４１０は、ＡＰ３４２０−２、ＡＰ３４２０−３及びＡＰ３４２０−４に対して、ユニキャスト送信に関する設定及びマルチキャスト送信に関する設定を行わない。また、親局３４１０は、ＡＰ３４２０−２、ＡＰ３４２０−３及びＡＰ３４２０−４に対して、各ＡＰにおける重み付けの方法の設定を行わない。
【０２５６】
ＡＰ３４２０−１は、ＡＰ３４２０−２、ＡＰ３４２０−２及びＡＰ３４２０−３に対して、ユニキャスト送信に関する設定又はマルチキャスト送信に関する設定を行う。また、ＡＰ３４２０−１は、ＡＰ３４２０−２、ＡＰ３４２０−２及びＡＰ３４２０−３に対して、重み付けの方法の設定を行う。
ＡＰ３４２０−１をマスタＡＰと呼ぶ。また、ＡＰ３４２０−２、ＡＰ３４２０−３及びＡＰ３４２０−４をマスタでないＡＰと呼ぶ。
【０２５７】
５．２  マスタＡＰとしてのＡＰ３４２０−１
マスタＡＰであるＡＰ３４２０−１は、図３５に示すように、符号化器２０２、インターリーバ２０４、マッピング部２０６、重み付け部３５１１、無線部２１０、アンテナ２１２、アンテナ２１５、受信装置２１７及び指示部３５０２から構成されている。
ＡＰ３４２０−１は、親局３４１０から制御信号３５０１を受け取る。制御信号３５０１は、ユニキャスト送信に関する設定又はマルチキャスト送信に関する設定、及び、重み付けの方法の設定を含む。
【０２５８】
ＡＰ３４２０−１は、親局３４１０から受け取った制御信号３５０１に基づいて、ユニキャスト送信に関する設定又はマルチキャスト送信に関する設定を行う。また、ＡＰ３４２０−１は、制御信号３５０１に基づいて、重み付けの方法の設定を行う。なお、マルチキャスト送信の設定がされた場合に、他のＡＰと同一の周波数（周波数帯）を使用するように、設定される。
【０２５９】
ＡＰ３４２０−１は、ユニキャスト送信の設定を行う場合、受信装置２１７を動作させる。また、ＡＰ３４２０−１は、マルチキャスト送信の設定を行う場合、受信装置２１７の動作を停止させてもよい。
ＡＰ３４２０−１は、ユニキャスト送信の場合とマルチキャスト送信の場合とで、同一のチャネルを使用して、無線による送受信を行う。ここで、ＡＰ３４２０−１は、一つの無線キャリアをいくつかのタイムスロットに分割し、各タイムスロットを通信のチャネルとして使用してもよい。また、ＡＰ３４２０−１は、６０ＧＨｚの周波数帯域において、複数の異なる周波数を用い、それぞれの周波数を通信のチャネルとして使用してもよい。
【０２６０】
（１）符号化器２０２
符号化器２０２は、親局３４１０からデータ２０１を受け取る。また、符号化器２０２は、ＡＰ３４２０−１が備えるコントローラから制御信号２１３を受け取る。制御信号２１３は、符号化方式の指定、誤り訂正方式の指定、符号化率、ブロック長等の情報を含む。符号化器２０２は、制御信号２１３により指定された方式を用いて、データ２０１に対して、例えば、畳み込み符号、ＬＤＰＣ符号、ターボ符号等の誤り訂正符号化を行う。符号化器２０２は、符号化後のデータ２０３を出力する。
【０２６１】
（２）インターリーバ２０４
インターリーバ２０４は、符号化器２０２から、符号化後のデータ２０３を受け取る。また、インターリーバ２０４は、ＡＰ３４２０−１が備えるコントローラから制御信号２１３を受け取る。制御信号２１３は、インタリーブの方法の指定を含む。インターリーバ２０４は、符号化後のデータ２０３に対して、制御信号２１３により指定されるインタリーブの方法により、インタリーブ、つまり、順番の並び替えを行う。インターリーバ２０４は、インタリーブ後のデータ２０５を出力する。
【０２６２】
（３）マッピング部２０６
マッピング部２０６は、インターリーバ２０４から、インタリーブ後のデータ２０５を受け取る。また、マッピング部２０６は、ＡＰ３４２０−１が備えるコントローラから制御信号２１３を受け取る。制御信号２１３は、変調方式の指定を含む。マッピング部２０６は、制御信号２１３に含まれる変調方式の指定に従って、インタリーブ後のデータ２０５に対して、例えば、ＱＰＳＫ（Ｑｕａｄｒａｔｕｒｅ  Ｐｈａｓｅ  Ｓｈｉｆｔ  Ｋｅｙｉｎｇ）、１６ＱＡＭ（１６  Ｑｕａｄｒａｔｕｒｅ  Ａｍｐｌｉｔｕｄｅ  Ｍｏｄｕｌａｔｉｏｎ）、６４ＱＡＭ（６４  Ｑｕａｄｒａｔｕｒｅ  Ａｍｐｌｉｔｕｄｅ  Ｍｏｄｕｌａｔｉｏｎ）等の変調を施し、変調後の信号２０７を生成する。マッピング部２０６は、変調後の信号２０７を出力する。なお、変調方式は、他の変調方式であってもよい。
【０２６３】
なお、マッピング部２０６は、重み付けの処理を含むマッピングを行ってもよい。
（４）重み付け部３５１１
重み付け部３５１１は、マッピング部２０６から、変調後の信号２０７を受け取る。また、重み付け部３５１１は、制御信号３５０３＿０を受け取る。制御信号３５０３＿０は、重み付けの方法の設定を含む。重み付け部３５１１は、制御信号３５０３＿０に含まれる重み付けの方法の設定に従って、変調後の信号２０７に対して、重み付けを施し、重み付け後の信号３５１２を生成する。重み付け部３５１１は、重み付け後の信号３５１２を出力する。
【０２６４】
（５）無線部２１０及びアンテナ２１２
無線部２１０は、重み付け部３５１１から、重み付け後の信号３５１２を受け取る。また、無線部２１０は、ＡＰ３４２０−１が備えるコントローラから制御信号２１３を受け取る。制御信号２１３は、周波数変換、増幅等の指定を含む。無線部２１０は、重み付け後の信号３５１２に対して、周波数変換、増幅等の処理を施し、送信信号２１１を生成する。無線部２１０は、６ＧＨｚ以上の、例えば、ミリ波と呼ばれる周波数帯域を用いて、一例として、６０ＧＨｚの周波数帯域を用いて、生成した送信信号２１１をアンテナ２１２に対して出力する。
【０２６５】
アンテナ２１２は、送信信号２１１を電波として出力する。
（６）アンテナ２１５及び受信装置２１７
アンテナ２１５は、各端末により電波として出力された信号２１６を受信する。
受信装置２１７は、６ＧＨｚ以上の、例えば、ミリ波と呼ばれる周波数帯域を用いて、一例として、６０ＧＨｚの周波数帯域を用いて、アンテナ２１５から信号２１６を受け取り、増幅、周波数変換等の処理を施し、データ２１８を生成する。受信装置２１７は、データ２１８を親局３４１０に対して出力する。
【０２６６】
なお、アンテナ２１２とアンテナ２１５とは、同一体であってもよい。便宜上、別々の表記をしている。
（７）指示部３５０２
指示部３５０２は、親局３４１０に接続されている。
指示部３５０２は、親局３４１０から制御信号３５０１を受け取る。制御信号３５０１は、ユニキャスト送信に関する設定又はマルチキャスト送信に関する設定、及び、重み付けの方法の設定を含む。
【０２６７】
また、制御信号３５０１は、ＡＰ毎に個別に設定されるとしてもよいし、すべてのＡＰについて、同一の制御信号３５０１が設定されるとしてもよい。
指示部３５０２は、ＡＰ３４２０−１を含むすべてのＡＰに対して、制御信号３５０３＿０、制御信号３５０３＿１、・・・、制御信号３５０３＿Ｎにより、マルチキャストの設定、又は、ユニキャストの設定をする。
【０２６８】
ここで、指示部３５０２は、すべてのＡＰに対して、マルチキャスト送信と設定をしてもよいし、すべてのＡＰに対して、ユニキャスト送信と設定をしてもよい。一部のＡＰについて、マルチキャスト送信と設定をし、他のＡＰについて、ユニキャスト送信と設定をしてもよい。このように、ＡＰについて、マルチキャスト送信と設定とユニキャスト送信と設定が混在してもよい。
【０２６９】
マルチキャストに設定された複数のＡＰについては、重み付け前の変調信号は、同一の信号となる。言い換えると、同一のデータが送信される。
また、指示部３５０２は、制御信号３５０３＿０、制御信号３５０３＿１、・・・、制御信号３５０３＿Ｎにより、各ＡＰに対して、重み付けの方法を指示する。
ユニキャスト送信に設定された複数のＡＰについては、重み付け前の変調信号は、同一の信号であってもよいし、異なる信号であってもよい。言い換えると、同一のデータが送信される場合もあるし、異なるデータが送信される場合もある。
【０２７０】
このように、指示部３５０２は、受け取った制御信号３５０１から、各ＡＰ向けの制御信号３５０３＿０、制御信号３５０３＿１、・・・、制御信号３５０３＿Ｎを生成する。各制御信号は、マルチキャスト送信に関する設定又はユニキャスト送信に関する設定及び重み付けの方法の設定を含む。指示部３５０２は、制御信号３５０３＿０、制御信号３５０３＿１、・・・、制御信号３５０３＿Ｎを、自身、ＡＰ３４２０−２、ＡＰ３４２０−３及びＡＰ３４２０−４に対して、出力する。
【０２７１】
指示部３５０２は、ＡＰ３４２０−１に対して、ユニキャスト送信を指定した場合、受信装置２１７を動作させる。また、指示部３５０２は、ＡＰ３４２０−１に対して、マルチキャスト送信を指定した場合、受信装置２１７の動作を停止させてもよい。
５．３  マスタでないＡＰ３６００
ＡＰ３４２０−２、ＡＰ３４２０−３及びＡＰ３４２０−４は、マスタでないＡＰである。ここでは、ＡＰ３４２０−２、ＡＰ３４２０−３及びＡＰ３４２０−４を代表して、ＡＰ３６００として説明する。
【０２７２】
マスタでないＡＰ３６００は、図３６に示すように、符号化器２０２、インターリーバ２０４、マッピング部２０６、重み付け部３６１１、無線部２１０、アンテナ２１２、アンテナ２１５及び受信装置２１７から構成されている。
ＡＰ３６００は、マスタであるＡＰ３４２０−１から制御信号３６０１＿０を受け取る。制御信号３６０１＿０は、ユニキャスト送信に関する設定又はマルチキャスト送信に関する設定、及び、重み付けの方法の設定を含む。また、ＡＰ３６００は、マスタであるＡＰ３４２０−１から、データ３６０２を受け取る。また、ＡＰ３６００は、ＡＰ連携を行う場合、マスタでない他のＡＰから、データ３６０３を受け取る場合がある。また、ＡＰ３６００は、ユニキャスト送信により単独で動作する場合、親局３４１０から、データ２０１を受け取る場合がある。
【０２７３】
ＡＰ３６００は、制御信号３６０１＿０に基づいて、ユニキャスト送信に関する設定又はマルチキャスト送信に関する設定を行う。また、ＡＰ３６００は、制御信号３６０１＿０に基づいて、重み付けの方法の設定を行う。なお、マルチキャスト送信と設定がされた場合に、他のＡＰと同一の周波数（周波数帯）を使用するように、設定される。
ＡＰ３６００は、ユニキャスト送信と設定を行う場合、受信装置２１７を動作させる。また、ＡＰ３６００は、マルチキャスト送信と設定を行う場合、受信装置２１７の動作を停止させてもよい。
【０２７４】
ＡＰ３６００は、ユニキャスト送信の場合とマルチキャスト送信の場合とで、同一のチャネル（または、同一の周波数（周波数帯））を使用して、無線による送受信を行う。ここで、ＡＰ３６００は、一つの無線キャリアをいくつかのタイムスロットに分割し、各タイムスロットを通信のチャネルとして使用してもよい。また、ＡＰ３６００は、６０ＧＨｚの周波数帯域において、複数の異なる周波数を用い、それぞれの周波数を通信のチャネルとして使用してもよい。
【０２７５】
（１）符号化器２０２
符号化器２０２は、データ３６０２、データ３６０３、又は、データ２０１を受け取る。また、符号化器２０２は、ＡＰ３６００が備えるコントローラから制御信号２１３を受け取る。制御信号２１３は、符号化方式の指定、誤り訂正方式の指定、符号化率、ブロック長等の情報を含む。符号化器２０２は、制御信号２１３により指定された方式を用いて、データ３６０２、データ３６０３、又は、データ２０１に対して、例えば、畳み込み符号、ＬＤＰＣ符号、ターボ符号等の誤り訂正符号化を行う。符号化器２０２は、符号化後のデータ２０３を出力する。
【０２７６】
（２）インターリーバ２０４
インターリーバ２０４は、符号化器２０２から、符号化後のデータ２０３を受け取る。また、インターリーバ２０４は、ＡＰ３６００が備えるコントローラから制御信号２１３を受け取る。制御信号２１３は、インタリーブの方法の指定を含む。インターリーバ２０４は、符号化後のデータ２０３に対して、制御信号２１３により指定されるインタリーブの方法により、インタリーブ、つまり、順番の並び替えを行う。インターリーバ２０４は、インタリーブ後のデータ２０５を出力する。
【０２７７】
（３）マッピング部２０６
マッピング部２０６は、インターリーバ２０４から、インタリーブ後のデータ２０５を受け取る。また、マッピング部２０６は、ＡＰ３６００が備えるコントローラから制御信号２１３を受け取る。制御信号２１３は、変調方式の指定を含む。マッピング部２０６は、制御信号２１３に含まれる変調方式の指定に従って、インタリーブ後のデータ２０５に対して、例えば、ＱＰＳＫ（Ｑｕａｄｒａｔｕｒｅ  Ｐｈａｓｅ  Ｓｈｉｆｔ  Ｋｅｙｉｎｇ）、１６ＱＡＭ（１６  Ｑｕａｄｒａｔｕｒｅ  Ａｍｐｌｉｔｕｄｅ  Ｍｏｄｕｌａｔｉｏｎ）、６４ＱＡＭ（６４  Ｑｕａｄｒａｔｕｒｅ  Ａｍｐｌｉｔｕｄｅ  Ｍｏｄｕｌａｔｉｏｎ）等の変調を施し、変調後の信号２０７を生成する。マッピング部２０６は、変調後の信号２０７を出力する。なお、変調方式として、他の変調方式を適用してもよい。
【０２７８】
なお、マッピング部２０６は、重み付けの処理を含むマッピングを行ってもよい。
（４）重み付け部３６１１
重み付け部３６１１は、マッピング部２０６から、変調後の信号２０７を受け取る。また、重み付け部３６１１は、制御信号３６０１＿０を受け取る。制御信号３６０１＿０は、重み付けの方法の設定を含む。重み付け部３６１１は、制御信号３６０１＿０に含まれる重み付けの方法の設定に従って、変調後の信号２０７に対して、重み付けを施し、重み付け後の信号３６１２を生成する。重み付け部３６１１は、重み付け後の信号３６１２を出力する。
【０２７９】
（５）無線部２１０及びアンテナ２１２
無線部２１０は、重み付け部３６１１から、重み付け後の信号３６１２を受け取る。また、無線部２１０は、ＡＰ３６００が備えるコントローラから制御信号２１３を受け取る。制御信号２１３は、周波数変換、増幅等の指定を含む。無線部２１０は、重み付け後の信号３６１２に対して、周波数変換、増幅等の処理を施し、送信信号２１１を生成する。無線部２１０は、６ＧＨｚ以上の、例えば、ミリ波と呼ばれる周波数帯域を用いて、一例として、６０ＧＨｚの周波数帯域を用いて、生成した送信信号２１１をアンテナ２１２に対して出力する。
【０２８０】
アンテナ２１２は、送信信号２１１を電波として出力する。
（６）アンテナ２１５及び受信装置２１７
アンテナ２１５は、各端末により電波として出力された信号２１６を受信する。
受信装置２１７は、６ＧＨｚ以上の、例えば、ミリ波と呼ばれる周波数帯域を用いて、一例として、６０ＧＨｚの周波数帯域を用いて、アンテナ２１５から信号２１６を受け取り、増幅、周波数変換等の処理を施し、データ２１８を生成する。受信装置２１７は、データ２１８を親局３４１０に対して出力する。
【０２８１】
なお、アンテナ２１２とアンテナ２１５とは、同一体であってもよい。便宜上、別々の表記をしている。
５．４  親局３４１０
親局３４１０は、図３７に示すように、送信データ振り分け部３０２、受信データ振り分け部３０５及び指示部３０８から構成されている。
【０２８２】
（１）指示部３０８
指示部３０８は、通信装置、並びに、ＡＰ３４２０−１、ＡＰ３４２０−２、ＡＰ３４２０−３及びＡＰ３４２０−４に接続されている。
指示部３０８は、制御信号３０７を受け取る。制御信号３０７は、ユニキャスト送信に関する設定又はマルチキャスト送信に関する設定、及び、重み付けの方法の設定を含む。通信装置は、一例として、ＰＣを含み、ＰＣの利用者が制御信号をＰＣにより入力する。
【０２８３】
また、制御信号３０７は、ＡＰ毎に個別に設定されるとしてもよいし、すべてのＡＰについて、同一の制御信号３０７が設定されるとしてもよい。
すべてのＡＰに対して、マルチキャスト送信と設定をしてもよいし、すべてのＡＰに対して、ユニキャスト送信と設定をしてもよい。一部のＡＰについて、マルチキャスト送信と設定をし、他のＡＰについて、ユニキャスト送信と設定をしてもよい。このように、ＡＰについて、マルチキャスト送信に関する設定とユニキャストに関する設定が混在してもよい。
【０２８４】
マルチキャストに設定された複数のＡＰについては、重み付け前の変調信号は、同一の信号となる。言い換えると、同一のデータが送信される。
また、各ＡＰに対して、重み付けの方法を指示する。
ユニキャストに設定された複数のＡＰについては、重み付け前の変調信号は、同一の信号であってもよいし、異なる信号であってもよい。言い換えると、同一のデータが送信される場合もあるし、異なるデータが送信される場合もある。
【０２８５】
指示部３０８は、受け取った制御信号を、送信データ振り分け部３０２、受信データ振り分け部３０５、並びに、ＡＰ３４２０−１、ＡＰ３４２０−２、ＡＰ３４２０−３及びＡＰ３４２０−４に対して、出力する。
（２）送信データ振り分け部３０２
送信データ振り分け部３０２は、通信装置、指示部３０８、並びに、ＡＰ３４２０−１、ＡＰ３４２０−２、ＡＰ３４２０−３及びＡＰ３４２０−４に接続されている。
【０２８６】
送信データ振り分け部３０２は、指示部３０８から制御信号を受け取る。送信データ振り分け部３０２は、受け取った制御信号をＡＰ３４２０−１、ＡＰ３４２０−２、ＡＰ３４２０−３及びＡＰ３４２０−４に対して出力する。
また、送信データ振り分け部３０２は、通信装置からデータを受け取る。送信データ振り分け部３０２は、受け取ったデータをＡＰ３４２０−１向け、ＡＰ３４２０−２向け、ＡＰ３４２０−３向け及びＡＰ３４２０−４向けに振り分ける。送信データ振り分け部３０２は、振り分けたデータを、それぞれ、ＡＰ３４２０−１、ＡＰ３４２０−２、ＡＰ３４２０−３及びＡＰ３４２０−４に対して出力する。
【０２８７】
（３）受信データ振り分け部３０５
受信データ振り分け部３０５は、通信装置、指示部３０８、並びに、ＡＰ３４２０−１、ＡＰ３４２０−２、ＡＰ３４２０−３及びＡＰ３４２０−４に接続されている。
また、受信データ振り分け部３０５は、ＡＰ３４２０−１、ＡＰ３４２０−２、ＡＰ３４２０−３及びＡＰ３４２０−４から、それぞれ、データを受信する。受信データ振り分け部３０５は、受信したデータを通信装置に対して出力する。
【０２８８】
５．５  送信されるデータの例
親局３４１０、ＡＰ３４２０−１、ＡＰ３４２０−２、ＡＰ３４２０−３及びＡＰ３４２０−４により、送信されるデータの例について、以下に説明する。
（１）すべてのＡＰをマルチキャスト用の送信に設定し、データを送信する場合
すべてのＡＰ３４２０−１、ＡＰ３４２０−２、ＡＰ３４２０−３及びＡＰ３４２０−４をマルチキャスト用の送信に設定し、データを送信する場合において、送信されるデータの例について、図３８及び図３９を用いて説明する。
【０２８９】
親局３４１０は、図３８に示すように、パケット３８１１、３８１２、３８１３、３８１４、・・・をこの順序で受信する。ここで、パケット３８１１、３８１２、３８１３、３８１４、・・・は、すべて、マルチキャスト用のパケットである。また、パケット３８１１、３８１２、３８１３、３８１４、・・・は、マルチキャスト用の一つのデータから生成される。親局３４１０は、ＡＰ３４２０−１に対して、パケット３８１１、３８１２、３８１３、３８１４、・・・をこの順序で送信する。
【０２９０】
ＡＰ３４２０−１は、パケット３８１１、３８１２、３８１３、３８１４、・・・をこの順序で受信する。次に、ＡＰ３４２０−１は、ＡＰ３４２０−２、ＡＰ３４２０−３及びＡＰ３４２０−４に対して、パケット３８１１、３８１２、３８１３、３８１４、・・・をこの順序で送信する。
（ａ）各ＡＰの処理１
図３４、図３８に示すように、ＡＰ３４２０−１では、ウェイトとして、Ａ１（０）、Ａ１（１）、Ａ１（２）、Ａ１（３）、・・・を用意しておく。同様に、ＡＰ３４２０−２では、ウェイトとして、Ａ２（０）、Ａ２（１）、Ａ２（２）、Ａ２（３）、・・・を用意しておき、ＡＰ３４２０−３では、ウェイトとして、Ａ３（０）、Ａ３（１）、Ａ３（２）、Ａ３（３）、・・・を用意しておき、ＡＰ３４２０−４では、ウェイトとして、Ａ４（０）、Ａ４（１）、Ａ４（２）、Ａ４（３）、・・・を用意しておく。
【０２９１】
（ｂ）各ＡＰの処理２
次に、各ＡＰの処理の別の例について、図３９を用いて説明する。
（ＡＰ３４２０−１の処理）
ＡＰ３４２０−１のマッピング部２０６は、図３９に示すように、マッピング後のベースバンド信号複素数３９１１「ｃ（０）」、３９１２「ｃ（１）」、３９１３「ｃ（２）」、３９１４「ｃ（３）」、・・・を生成するものとする。
なお、ｃ（０）は、パケット３８１１に関連するマッピング後のベースバンド信号であるものとする。そして、ｃ（１）は、パケット３８１２に関連するマッピング後のベースバンド信号であるものとし、ｃ（２）は、パケット３８１３に関連するマッピング後のベースバンド信号であるものとし、ｃ（３）は、パケット３８１４に関連するマッピング後のベースバンド信号であるもの、・・・、とする。
【０２９２】
マッピング後のベースバンド信号複素数３９１１「ｃ（０）」を生成すると、ＡＰ３４２０−１の重み付け部３５１１は、複素数Ａ１（０）、複素数Ａ１（１）、複素数Ａ１（２）及び複素数Ａ１（３）を用いて、
ｃ（０）×Ａ１（０）（３９３１）、
ｃ（０）×Ａ１（１）（３９３２）、
ｃ（０）×Ａ１（２）（３９３３）、及び、
ｃ（０）×Ａ１（３）（３９３４）を算出する。
【０２９３】
ＡＰ３４２０−１は、ｃ（０）×Ａ１（０）（３９３１）、ｃ（０）×Ａ１（１）（３９３２）、ｃ（０）×Ａ１（２）（３９３３）、及び、ｃ（０）×Ａ１（３）（３９３４）を無線により出力する。
マッピング後のベースバンド信号複素数３９１２「ｃ（１）」を生成すると、ＡＰ３４２０−１の重み付け部３５１１は、複素数Ａ１（０）、複素数Ａ１（１）、複素数Ａ１（２）及び複素数Ａ１（３）を用いて、
ｃ（１）×Ａ１（０）（３９３５）、
ｃ（１）×Ａ１（１）（３９３６）、
ｃ（１）×Ａ１（２）（３９３７）、及び、
ｃ（１）×Ａ１（３）（３９３８）を算出する。
【０２９４】
ＡＰ３４２０−１は、ｃ（１）×Ａ１（０）（３９３５）、ｃ（１）×Ａ１（１）（３９３６）、ｃ（１）×Ａ１（２）（３９３７）、及び、ｃ（１）×Ａ１（３）（３９３８）を無線により出力する。
マッピング後のベースバンド信号複素数３９１３「ｃ（２）」、３９１４「ｃ（３）」、・・・を生成した場合にも、ＡＰ３４２０−１は、上記と同様に動作する。
【０２９５】
（ＡＰ３４２０−２の処理）
ＡＰ３４２０−２のマッピング部２０６は、図３９に示すように、マッピング後のベースバンド信号複素数３９１１「ｃ（０）」、３９１２「ｃ（１）」、３９１３「ｃ（２）」、３９１４「ｃ（３）」、・・・を生成するものとする。
なお、ｃ（０）は、パケット３８１１に関連するマッピング後のベースバンド信号であるものとする。そして、ｃ（１）は、パケット３８１２に関連するマッピング後のベースバンド信号であるものとし、ｃ（２）は、パケット３８１３に関連するマッピング後のベースバンド信号であるものとし、ｃ（３）は、パケット３８１４に関連するマッピング後のベースバンド信号であるもの、・・・、とする。
【０２９６】
マッピング後のベースバンド信号複素数３９１１「ｃ（０）」を生成すると、ＡＰ３４２０−２の重み付け部３６１１は、複素数Ａ２（０）、複素数Ａ２（１）、複素数Ａ２（２）及び複素数Ａ２（３）を用いて、
ｃ（０）×Ａ２（０）（３９４１）、
ｃ（０）×Ａ２（１）（３９４２）、
ｃ（０）×Ａ２（２）（３９４３）、及び、
ｃ（０）×Ａ２（３）（３９４４）を算出する。
【０２９７】
ＡＰ３４２０−２は、ｃ（０）×Ａ２（０）（３９４１）、ｃ（０）×Ａ２（１）（３９４２）、ｃ（０）×Ａ２（２）（３９４３）、及び、ｃ（０）×Ａ２（３）（３９４４）を無線により出力する。
マッピング後のベースバンド信号複素数３９１２「ｃ（１）」を生成すると、ＡＰ３４２０−２の重み付け部３６１１は、複素数Ａ２（０）、複素数Ａ２（１）、複素数Ａ２（２）及び複素数Ａ２（３）を用いて、
ｃ（１）×Ａ２（０）（３９４５）、
ｃ（１）×Ａ２（１）（３９４６）、
ｃ（１）×Ａ２（２）（３９４７）、及び、
ｃ（１）×Ａ２（３）（３９４８）を算出する。
【０２９８】
ＡＰ３４２０−２は、ｃ（１）×Ａ２（０）（３９４５）、ｃ（１）×Ａ２（１）（３９４６）、ｃ（１）×Ａ２（２）（３９４７）、及び、ｃ（１）×Ａ２（３）（３９４８）を無線により出力する。
マッピング後のベースバンド信号複素数３９１３「ｃ（２）」、３９１４「ｃ（３）」、・・・を生成した場合にも、ＡＰ３４２０−２は、上記と同様に動作する。
【０２９９】
（ＡＰ３４２０−３及びＡＰ３４２０−４の処理）
ＡＰ３４２０−３及びＡＰ３４２０−４も、上記と同様に動作する。
なお、ＡＰ３４２０−３の重み付け部２６０１は、複素数Ａ３（０）、複素数Ａ３（１）、複素数Ａ３（２）及び複素数Ａ３（３）を用いて、重み付けを行う。
また、ＡＰ３４２０−４の重み付け部２６０１は、複素数Ａ４（０）、複素数Ａ４（１）、複素数Ａ４（２）及び複素数Ａ４（３）を用いて、重み付けを行う。
【０３００】
以上のように、各パケットは、異なる重み付けを行い、複数回送信するという特徴を持つことになるとともに、複数のＡＰから、各パケットは、複数回送信するという特徴も併せ持つ。
複数のＡＰを用いて送信することにより、セルエリアを広くすることができるという効果を持つとともに、各パケットを異なる重み付けで、複数回送信することで、異なる指向性で、複数回パケットが送信されることになるので、セルエリア内で、より均一な受信品質を保つことが可能であるという効果をもつことになる。
【０３０１】
重み付けの係数Ａ１（ｉ）、Ａ２（ｉ）、Ａ３（ｉ）、Ａ４（ｉ）については、例えば、以下のような性質をもつことが考えられる。
・パケットＡの変調信号をＮ回（Ｎは２以上の整数）送信するとする。このとき、第ｕ回目のパケットＡの変調信号を送信するのに使用する重み付け係数をＡ１（ｕ）。第ｖ回目のパケットＡの変調信号を送信するのに使用する重み付け係数をＡ１（ｖ）とする。なお、ｕ，ｖは１以上Ｎ以下の整数とし、ｕ≠ｖが成立するものとする。このとき、ｕ，ｖは１以上Ｎ以下の整数とし、ｕ≠ｖとし、これを満たす、すべてのｕ、すべてのｖにおいて、Ａ１（ｕ）≠Ａ１（ｖ）が成立する。
・同様に、パケットＡの変調信号をＮ回（Ｎは２以上の整数）送信するとする。このとき、第ｕ回目のパケットＡの変調信号を送信するのに使用する重み付け係数をＡｋ（ｕ）。第ｖ回目のパケットＡの変調信号を送信するのに使用する重み付け係数をＡｋ（ｖ）とする。なお、ｕ，ｖは１以上Ｎ以下の整数とし、ｕ≠ｖが成立するものとする。このとき、ｕ，ｖは１以上Ｎ以下の整数とし、ｕ≠ｖとし、これを満たす、すべてのｕ、すべてのｖにおいて、Ａｋ（ｕ）≠Ａｋ（ｖ）が成立する。（ｋは１以上の整数とする。）
・また、重み付け係数Ａｋ（ｉ）が周期をもってもよい。周期をＭ（Ｍは２以上の整数）とすると、以下が成立する。
【０３０２】
Ａｋ（ｉ）＝Ａｋ（ｉ  ｍｏｄ  Ｍ）
ｉ  ｍｏｄ  Ｍ  は、ｉをＭで割ったときの余りとする。
（２）ＡＰ３４２０−１及びＡＰ３４２０−２をマルチキャスト用の送信に設定し、ＡＰ３４２０−３及びＡＰ３４２０−４をユニキャスト用の送信に設定し、データを送信する場合
ＡＰ３４２０−１及びＡＰ３４２０−２をマルチキャスト用の送信に設定し、ＡＰ３４２０−３及びＡＰ３４２０−４をユニキャスト用の送信に設定して、データを送信する場合において、送信されるデータの例について、図４０及び図４１を用いて説明する。この場合、ＡＰ３４２０−３及びＡＰ３４２０−４において、同じデータが送信される。（マッピング後の変調信号が同一である）。
【０３０３】
親局３４１０は、図４０に示すように、パケット４０１１、４０１２、４０１３、４０１４、・・・をこの順序で受信する。ここで、パケット４０１１、４０１３、４０１４、４０１６、・・・は、マルチキャスト用のパケットである。パケット４０１１、４０１３、４０１４、４０１６、・・・は、マルチキャスト用の一つのデータから生成される。また、パケット４０１２、４０１５、・・・は、ユニキャスト用のパケットである。パケット４０１２、４０１５、・・・は、ユニキャスト用の一つのデータから生成される。
【０３０４】
親局３４１０は、マルチキャスト用のパケット４０１１、４０１３、４０１４、４０１６、・・・をこの順序で、ＡＰ３４２０−１に対して出力する。また、親局３４１０は、ユニキャスト用のパケット４０１２、４０１５、・・・をこの順序で、それぞれ、ＡＰ３４２０−３及びＡＰ３４２０−４に対して出力する。
ＡＰ３４２０−１は、マルチキャスト用のパケット４０１１、４０１３、４０１４、４０１６、・・・をこの順序で受信する。ＡＰ３４２０−１は、ＡＰ３４２０−２に対して、マルチキャスト用のパケット４０１１、４０１３、４０１４、４０１６、・・・をこの順序で送信する。
【０３０５】
（ａ）各ＡＰの処理１
図３４、図４０に示すように、ＡＰ３４２０−１では、ウェイトとして、Ａ１（０）、Ａ１（１）、Ａ１（２）、Ａ１（３）、・・・を用意しておく。同様に、ＡＰ３４２０−２では、ウェイトとして、Ａ２（０）、Ａ２（１）、Ａ２（２）、Ａ２（３）、・・・を用意しておく。
【０３０６】
（ｂ）各ＡＰの処理２
次に、各ＡＰの処理の別の例について、図４１を用いて説明する。
（ＡＰ３４２０−１の処理）
ＡＰ３４２０−１のマッピング部２０６は、図４１に示すように、マッピング後のベースバンド信号複素数４１１１「ｃ（０）」、４１１２「ｃ（１）」、４１１３「ｃ（２）」、４１１４「ｃ（３）」、・・・を生成するものとする。
なお、ｃ（０）は、パケット４０１１に関連するマッピング後のベースバンド信号であるものとする。そして、ｃ（１）は、パケット４０１３に関連するマッピング後のベースバンド信号であるものとし、ｃ（２）は、パケット４０１４に関連するマッピング後のベースバンド信号であるものとし、ｃ（３）は、パケット４０１６に関連するマッピング後のベースバンド信号であるもの、・・・、とする。
【０３０７】
マッピング後のベースバンド信号複素数４１１１「ｃ（０）」を生成すると、ＡＰ３４２０−１の重み付け部３５１１は、複素数Ａ１（０）、複素数Ａ１（１）、複素数Ａ１（２）及び複素数Ａ１（３）を用いて、
ｃ（０）×Ａ１（０）（４１３１）、
ｃ（０）×Ａ１（１）（４１３２）、
ｃ（０）×Ａ１（２）（４１３３）、及び、
ｃ（０）×Ａ１（３）（４１３４）を算出する。
【０３０８】
ＡＰ３４２０−１は、ｃ（０）×Ａ１（０）（４１３１）、ｃ（０）×Ａ１（１）（４１３２）、ｃ（０）×Ａ１（２）（４１３３）、及び、ｃ（０）×Ａ１（３）（４１３４）を無線により出力する。
マッピング後のベースバンド信号複素数４１１２「ｃ（１）」を生成すると、ＡＰ３４２０−１の重み付け部３５１１は、複素数Ａ１（０）、複素数Ａ１（１）、複素数Ａ１（２）及び複素数Ａ１（３）を用いて、
ｃ（１）×Ａ１（０）（４１３５）、
ｃ（１）×Ａ１（１）（４１３６）、
ｃ（１）×Ａ１（２）（４１３７）、及び、
ｃ（１）×Ａ１（３）（４１３８）を算出する。
【０３０９】
ＡＰ３４２０−１は、ｃ（１）×Ａ１（０）（４１３５）、ｃ（１）×Ａ１（１）（４１３６）、ｃ（１）×Ａ１（２）（４１３７）、及び、ｃ（１）×Ａ１（３）（４１３８）を無線により出力する。
マッピング後のベースバンド信号複素数４１１３「ｃ（２）」、４１１４「ｃ（３）」、・・・を生成した場合にも、ＡＰ３４２０−１は、上記と同様に動作する。
【０３１０】
（ＡＰ３４２０−２の処理）
ＡＰ３４２０−２のマッピング部２０６は、図４１に示すように、マッピング後のベースバンド信号複素数４１１１「ｃ（０）」、４１１２「ｃ（１）」、４１１３「ｃ（２）」、４１１４「ｃ（３）」、・・・を生成するものとする。
なお、ｃ（０）は、パケット４０１１に関連するマッピング後のベースバンド信号であるものとする。そして、ｃ（１）は、パケット４０１３に関連するマッピング後のベースバンド信号であるものとし、ｃ（２）は、パケット４０１４に関連するマッピング後のベースバンド信号であるものとし、ｃ（３）は、パケット４０１６に関連するマッピング後のベースバンド信号であるもの、・・・、とする。
【０３１１】
マッピング後のベースバンド信号複素数４１１１「ｃ（０）」を生成すると、ＡＰ３４２０−２の重み付け部３６１１は、複素数Ａ２（０）、複素数Ａ２（１）、複素数Ａ２（２）及び複素数Ａ２（３）を用いて、
ｃ（０）×Ａ２（０）（４１４１）、
ｃ（０）×Ａ２（１）（４１４２）、
ｃ（０）×Ａ２（２）（４１４３）、及び、
ｃ（０）×Ａ２（３）（４１４４）を算出する。
【０３１２】
ＡＰ３４２０−２は、ｃ（０）×Ａ２（０）（４１４１）、ｃ（０）×Ａ２（１）（４１４２）、ｃ（０）×Ａ２（２）（４１４３）、及び、ｃ（０）×Ａ２（３）（４１４４）を無線により出力する。
マッピング後のベースバンド信号複素数４１１２「ｃ（１）」を生成すると、ＡＰ３４２０−２の重み付け部３６１１は、複素数Ａ２（０）、複素数Ａ２（１）、複素数Ａ２（２）及び複素数Ａ２（３）を用いて、
ｃ（１）×Ａ２（０）（４１４５）、
ｃ（１）×Ａ２（１）（４１４６）、
ｃ（１）×Ａ２（２）（４１４７）、及び、
ｃ（１）×Ａ２（３）（４１４８）を算出する。
【０３１３】
ＡＰ３４２０−２は、ｃ（１）×Ａ２（０）（４１４５）、ｃ（１）×Ａ２（１）（４１４６）、ｃ（１）×Ａ２（２）（４１４７）、及び、ｃ（１）×Ａ２（３）（４１４８）を無線により出力する。
マッピング後のベースバンド信号複素数４１１３「ｃ（２）」、４１１４「ｃ（３）」、・・・を生成した場合にも、ＡＰ３４２０−２は、上記と同様に動作する。
【０３１４】
（ＡＰ３４２０−３の処理）
ＡＰ３４２０−３のマッピング部２０６は、マッピング後のベースバンド信号複素数「ｄ（０）」、「ｄ（１）」、「ｄ（２）」、「ｄ（３）」、・・・を生成するものとする。
なお、ｄ（０）は、パケット４０５１に関連するマッピング後のベースバンド信号であるものとする。そして、ｄ（１）は、パケット４０５２に関連するマッピング後のベースバンド信号であるものとし、ｄ（２）は、パケット４０５３に関連するマッピング後のベースバンド信号であるもの、・・・、とする。
【０３１５】
マッピング後のベースバンド信号複素数「ｄ（０）」を生成すると、ＡＰ３４２０−３は、生成したｄ（０）（４１５１）を無線により出力する。
マッピング後のベースバンド信号複素数「ｄ（１）」を生成すると、ＡＰ３４２０−３は、生成したｄ（１）（４１５２）を無線により出力する。
以下、同様に、マッピング後のベースバンド信号複素数「ｄ（２）」、「ｄ（３）」、・・・を生成すると、ＡＰ３４２０−３は、生成した「ｄ（２）」、「ｄ（３）」、・・・を無線により出力する。
【０３１６】
（ＡＰ３４２０−４の処理）
ＡＰ３４２０−４のマッピング部２０６は、マッピング後のベースバンド信号複素数「ｄ（０）」、「ｄ（１）」、「ｄ（２）」、「ｄ（３）」、・・・を生成するものとする。
なお、ｄ（０）は、パケット４０６１に関連するマッピング後のベースバンド信号であるものとする。そして、ｄ（１）は、パケット４０６２に関連するマッピング後のベースバンド信号であるものとし、ｄ（２）は、パケット４０６３に関連するマッピング後のベースバンド信号であるもの、・・・、とする。
【０３１７】
マッピング後のベースバンド信号複素数「ｄ（０）」を生成すると、ＡＰ３４２０−４は、生成したｄ（０）（４１６１）を無線により出力する。
マッピング後のベースバンド信号複素数「ｄ（１）」を生成すると、ＡＰ３４２０−４は、生成したｄ（１）（４１６２）を無線により出力する。
以下、同様に、マッピング後のベースバンド信号複素数「ｄ（２）」、「ｄ（３）」、・・・を生成すると、ＡＰ３４２０−４は、生成した「ｄ（２）」、「ｄ（３）」、・・・を無線により出力する。
【０３１８】
以上のように、マルチキャスト用の各パケットは、異なる重み付けを行い、複数回送信するという特徴を持つことになるとともに、複数のＡＰから、マルチキャスト用の各パケットは、複数回送信するという特徴も併せ持つ。
複数のＡＰを用いて送信することにより、セルエリアを広くすることができるという効果を持つとともに、マルチキャスト用の各パケットを異なる重み付けで、複数回送信することで、異なる指向性で、複数回パケットが送信されることになるので、セルエリア内で、より均一な受信品質を保つことが可能であるという効果をもつことになる。
【０３１９】
また、ＡＰ２５２０−３、ＡＰ２５２０−４では、時間や周波数に対し、位相変更を行ったり、重み付けを変化させたりしてもよい。
これにより、ユニキャスト用のパケットの受信品質が向上するという効果を得ることができる。
（３）ＡＰ３４２０−１及びＡＰ３４２０−２をマルチキャスト送信用に設定し、ＡＰ３４２０−３及びＡＰ３４２０−４をユニキャスト送信用に設定して送信する場合
ＡＰ３４２０−１及びＡＰ３４２０−２をマルチキャスト送信用に設定し、ＡＰ３４２０−３及びＡＰ３４２０−４をユニキャスト送信用に設定して送信する場合において、送信されるデータの例について、図４２及び図４３を用いて説明する。この場合、ＡＰ３４２０−３及びＡＰ３４２０−４において、異なるデータが送信される。
【０３２０】
親局３４１０は、図４２に示すように、パケット４２１１、４２１２、４２１３、４２１４、４２１５、４２１６、・・・をこの順序で受信する。ここで、パケット４２１１、４２１３、４２１４、４２１６、・・・は、マルチキャスト用のパケットである。パケット４２１１、４２１３、４２１４、４２１６、・・・は、マルチキャスト用の一つのデータから生成される。また、パケット４２１２、・・・は、第１のユニキャスト用のパケットである。パケット４２１２、・・・は、ユニキャスト用の第１のデータから生成される。また、パケット４２１５、・・・は、第２のユニキャスト用のパケットである。パケット４２１５、・・・は、ユニキャスト用の第２のデータから生成される。
【０３２１】
親局３４１０は、マルチキャスト用のパケット４２１１、４２１３、４２１４、４２１６、・・・をこの順序で、ＡＰ３４２０−１に対して出力する。また、親局３４１０は、ユニキャスト用のパケット４２１２、・・・をこの順序で、ＡＰ３４２０−３に対して出力する。さらに、親局３４１０は、ユニキャスト用のパケット４２１５、・・・をこの順序で、ＡＰ３４２０−４に対して出力する。
【０３２２】
ＡＰ３４２０−１は、マルチキャスト用のパケット４２１１、４２１３、４２１４、４２１６、・・・をこの順序で受信する。次に、ＡＰ３４２０−１は、ＡＰ３４２０−２に対して、マルチキャスト用のパケット４２１１、４２１３、４２１４、４２１６、・・・をこの順序で送信する。
（ａ）各ＡＰの処理１
図３４、図４２に示すように、ＡＰ３４２０−１では、ウェイトとして、Ａ１（０）、Ａ１（１）、Ａ１（２）、Ａ１（３）、・・・を用意しておく。同様に、ＡＰ３４２０−２では、ウェイトとして、Ａ２（０）、Ａ２（１）、Ａ２（２）、Ａ２（３）、・・・を用意しておく。
【０３２３】
（ｂ）各ＡＰの処理２
次に、各ＡＰの処理の別の例について、図４３を用いて説明する。
（ＡＰ３４２０−１の処理）
ＡＰ３４２０−１のマッピング部２０６は、図４３に示すように、マッピング後のベースバンド信号複素数４３１１「ｃ（０）」、４３１２「ｃ（１）」、４３１３「ｃ（２）」、４３１４「ｃ（３）」、・・・を生成するものとする。
なお、ｃ（０）は、パケット４２１１に関連するマッピング後のベースバンド信号であるものとする。そして、ｃ（１）は、パケット４２１３に関連するマッピング後のベースバンド信号であるものとし、ｃ（２）は、パケット４２１４に関連するマッピング後のベースバンド信号であるものとし、ｃ（３）は、パケット４２１６に関連するマッピング後のベースバンド信号であるもの、・・・、とする。
【０３２４】
マッピング後のベースバンド信号複素数４３１１「ｃ（０）」を生成すると、ＡＰ３４２０−１の重み付け部３５１１は、複素数Ａ１（０）、複素数Ａ１（１）、複素数Ａ１（２）及び複素数Ａ１（３）を用いて、
ｃ（０）×Ａ１（０）（４３３１）、
ｃ（０）×Ａ１（１）（４３３２）、
ｃ（０）×Ａ１（２）（４３３３）、及び、
ｃ（０）×Ａ１（３）（４３３４）を算出する。
【０３２５】
ＡＰ３４２０−１は、ｃ（０）×Ａ１（０）（４３３１）、ｃ（０）×Ａ１（１）（４３３２）、ｃ（０）×Ａ１（２）（４３３３）、及び、ｃ（０）×Ａ１（３）（４３３４）を無線により出力する。
マッピング後のベースバンド信号複素数４３１２「ｃ（１）」を生成すると、ＡＰ３４２０−１の重み付け部３５１１は、複素数Ａ１（０）、複素数Ａ１（１）、複素数Ａ１（２）及び複素数Ａ１（３）を用いて、
ｃ（１）×Ａ１（０）（４３３５）、
ｃ（１）×Ａ１（１）（４３３６）、
ｃ（１）×Ａ１（２）（４３３７）、及び、
ｃ（１）×Ａ１（３）（４３３８）を算出する。
【０３２６】
ＡＰ３４２０−１は、ｃ（１）×Ａ１（０）（４３３５）、ｃ（１）×Ａ１（１）（４３３６）、ｃ（１）×Ａ１（２）（４３３７）、及び、ｃ（１）×Ａ１（３）（４３３８）を無線により出力する。
マッピング後のベースバンド信号複素数４３１３「ｃ（２）」、４３１４「ｃ（３）」、・・・を生成した場合にも、ＡＰ３４２０−１は、上記と同様に動作する。
【０３２７】
（ＡＰ３４２０−２の処理）
ＡＰ３４２０−２のマッピング部２０６は、図４３に示すように、マッピング後のベースバンド信号複素数４３１１「ｃ（０）」、４３１２「ｃ（１）」、４３１３「ｃ（２）」、４３１４「ｃ（３）」、・・・を生成するものとする。
なお、ｃ（０）は、パケット４２１１に関連するマッピング後のベースバンド信号であるものとする。そして、ｃ（１）は、パケット４２１３に関連するマッピング後のベースバンド信号であるものとし、ｃ（２）は、パケット４２１４に関連するマッピング後のベースバンド信号であるものとし、ｃ（３）は、パケット４２１６に関連するマッピング後のベースバンド信号であるもの、・・・、とする。
【０３２８】
マッピング後のベースバンド信号複素数４３１１「ｃ（０）」を生成すると、ＡＰ３４２０−２の重み付け部３６１１は、複素数Ａ２（０）、複素数Ａ２（１）、複素数Ａ２（２）及び複素数Ａ２（３）を用いて、
ｃ（０）×Ａ２（０）（４３４１）、
ｃ（０）×Ａ２（１）（４３４２）、
ｃ（０）×Ａ２（２）（４３４３）、及び、
ｃ（０）×Ａ２（３）（４３４４）を算出する。
【０３２９】
ＡＰ３４２０−２は、ｃ（０）×Ａ２（０）（４３４１）、ｃ（０）×Ａ２（１）（４３４２）、ｃ（０）×Ａ２（２）（４３４３）、及び、ｃ（０）×Ａ２（３）（４３４４）を無線により出力する。
マッピング後のベースバンド信号複素数４３１２「ｃ（１）」を生成すると、ＡＰ３４２０−２の重み付け部３６１１は、複素数Ａ２（０）、複素数Ａ２（１）、複素数Ａ２（２）及び複素数Ａ２（３）を用いて、
ｃ（１）×Ａ２（０）（４３４５）、
ｃ（１）×Ａ２（１）（４３４６）、
ｃ（１）×Ａ２（２）（４３４７）、及び、
ｃ（１）×Ａ２（３）（４３４８）を算出する。
【０３３０】
ＡＰ３４２０−２は、ｃ（１）×Ａ２（０）（４３４５）、ｃ（１）×Ａ２（１）（４３４６）、ｃ（１）×Ａ２（２）（４３４７）、及び、ｃ（１）×Ａ２（３）（４３４８）を無線により出力する。
マッピング後のベースバンド信号複素数４３１３「ｃ（２）」、４３１４「ｃ（３）」、・・・を生成した場合にも、ＡＰ３４２０−２は、上記と同様に動作する。
【０３３１】
（ＡＰ３４２０−３の処理）
ＡＰ３４２０−３のマッピング部２０６は、マッピング後のベースバンド信号複素数「ｄ（０）」、「ｄ（１）」、「ｄ（２）」、「ｄ（３）」、・・・を生成するものとする。
なお、ｄ（０）は、パケット４２５１に関連するマッピング後のベースバンド信号であるものとする。そして、ｄ（１）は、パケット４２５２に関連するマッピング後のベースバンド信号であるものとし、ｄ（２）は、パケット４２５３に関連するマッピング後のベースバンド信号であるもの、・・・、とする。
【０３３２】
マッピング後のベースバンド信号複素数「ｄ（０）」を生成すると、ＡＰ３４２０−３は、生成したｄ（０）（４３５１）を無線により出力する。
マッピング後のベースバンド信号複素数「ｄ（１）」を生成すると、ＡＰ３４２０−３は、生成したｄ（１）（４３５２）を無線により出力する。
以下、同様に、マッピング後のベースバンド信号複素数「ｄ（２）」、「ｄ（３）」、・・・を生成すると、ＡＰ３４２０−３は、生成した「ｄ（２）」、「ｄ（３）」、・・・を無線により出力する。
【０３３３】
（ＡＰ３４２０−４の処理）
ＡＰ３４２０−４のマッピング部２０６は、マッピング後のベースバンド信号複素数「ｅ（０）」、「ｅ（１）」、「ｅ（２）」、「ｅ（３）」、・・・を生成するものとする。
なお、ｅ（０）は、パケット４２６１に関連するマッピング後のベースバンド信号であるものとする。そして、ｅ（１）は、パケット４２６２に関連するマッピング後のベースバンド信号であるものとし、ｅ（２）は、パケット４２６３に関連するマッピング後のベースバンド信号であるもの、・・・、とする。
【０３３４】
マッピング後のベースバンド信号複素数「ｅ（０）」を生成すると、ＡＰ３４２０−４は、生成したｅ（０）（４３６１）を無線により出力する。
マッピング後のベースバンド信号複素数「ｅ（１）」を生成すると、ＡＰ３４２０−４は、生成したｅ（１）（４３６２）を無線により出力する。
以下、同様に、マッピング後のベースバンド信号複素数「ｄ（２）」、「ｄ（３）」、・・・を生成すると、ＡＰ３４２０−３は、生成した「ｄ（２）」、「ｄ（３）」、・・・を無線により出力する。
以上のように、マルチキャスト用の各パケットは、異なる重み付けを行い、複数回送信するという特徴を持つことになるとともに、複数のＡＰから、マルチキャスト用の各パケットは、複数回送信するという特徴も併せ持つ。
【０３３５】
複数のＡＰを用いて送信することにより、セルエリアを広くすることができるという効果を持つとともに、マルチキャスト用の各パケットを異なる重み付けで、複数回送信することで、異なる指向性で、複数回パケットが送信されることになるので、セルエリア内で、より均一な受信品質を保つことが可能であるという効果をもつことになる。
また、ＡＰ３４２０−３、ＡＰ３４２０−４では、ユニキャストのパケットを伝送するという柔軟性をもつことになる。
例えば、図３８の送信状態、図４０の送信状態、図４２の送信状態に、時間に応じて切り替える（例えば、端末の存在状況によって切り替える）とすることで、柔軟なシステムを実現することができるという利点もある。
５．６  まとめ
本態様によると、Ｇｂｐｓの大容量の伝送が実現できる。また、マルチキャストを実現する場合に、収容する端末数を増やすことができる。さらに、マルチキャストと同時にユニキャストの通信を実現することができ、システムに柔軟性を持たせることができる。
【０３３６】
６．実施の形態５
本発明に係る別の実施の形態５としての無線通信システム４４００について説明する。
６．１  無線通信システム４４００
無線通信システム４４００は、図４４に示すように、親局４４１０−１、ＡＰ４４２０−１、ＡＰ４４２０−２、ＡＰ４４２０−３、ＡＰ４４２０−４、親局４４１０−２、ＡＰ４４２０−１１、ＡＰ４４２０−１２、ＡＰ４４２０−１３及びＡＰ４４２０−１４から構成されている。
【０３３７】
ＡＰ４４２０−１、ＡＰ４４２０−２、ＡＰ４４２０−３及びＡＰ４４２０−４は、例えば、ビル４４５１の屋上に設置され、親局４４１０−１は、例えば、ビル４４５１の内部に設置されている。また、ＡＰ４４２０−１１、ＡＰ４４２０−１２、ＡＰ４４２０−１３及びＡＰ４４２０−１４は、例えば、ビル４４５２の屋上に設置され、親局４４１０−２は、例えば、ビル４４５２の内部に設置されている。なお、設置の方法は、これに限ったものではない。
【０３３８】
ＡＰ４４２０−１、ＡＰ４４２０−２、ＡＰ４４２０−３及びＡＰ４４２０−４と、ＡＰ４４２０−１１、ＡＰ４４２０−１２、ＡＰ４４２０−１３及びＡＰ４４２０−１４との間には、他の建物等の障害物は、存在しない場合を一つのユースケースとする。（ただし、このようなユースケースに限ったものではない。）
無線通信システム４４００においては、ビル４４５１とビル４４５２の間において、ＡＰ４４２０−１、ＡＰ４４２０−２、ＡＰ４４２０−３及びＡＰ４４２０−４と、ＡＰ４４２０−１１、ＡＰ４４２０−１２、ＡＰ４４２０−１３及びＡＰ４４２０−１４とにより、無線通信を行う。
【０３３９】
親局４４１０−１は、直接、又は、通信回線を介して間接的に、ＡＰが送信するデータを保持している通信装置（図示していない）（通信装置Ａ）と接続されている。ここで、通信装置Ａは、一例として、携帯電話、スマートフォン、タブレット、パーソナルコンピュータである。また、通信装置Ａは、一例として、データを放送する放送装置、データを送信する配信システムやサーバーなどであるとしてもよい。ここで、通信装置Ａは、親局やＡＰを制御するための制御信号及び「ＡＰが送信するためのデータ」を送信する。制御信号は、ユニキャストの設定を含んでいてもよい。さらに、通信装置Ａは、複数の通信装置から構成されているとしてもよい。この場合、第１の通信装置は、制御信号を送信し、第２の通信装置は、データを送信してもよい。また、通信装置Ａは、ビル４４５１の内部において、使用されているとしてもよい。なお、通信装置Ａは、ビル４４５１及びビル４４５２の外部において、使用されているとしてもよい。親局４４１０−１は、ＡＰ４４２０−１、ＡＰ４４２０−２、ＡＰ４４２０−３及びＡＰ４４２０−４と有線（または、無線）により接続されており、通信装置Ａから得たデータをＡＰ４４２０−１、ＡＰ４４２０−２、ＡＰ４４２０−３及びＡＰ４４２０−４は送信する。
【０３４０】
制御信号は、各ＡＰがユニキャストの送信を行う際の設定パラメータ、及び、各ＡＰが位相変更を行う場合の位相変更の方法のパラメータの情報を含む。
ＡＰ４４２０−１をマスタＡＰと呼ぶ。また、ＡＰ４４２０−２、ＡＰ４４２０−３及びＡＰ４４２０−４をマスタでないＡＰと呼ぶ。
親局４４１０−２は、直接、又は、通信回線を介して間接的に、別の通信装置（通信装置Ｂ）と接続されている。ここで、通信装置Ｂは、一例として、携帯電話、スマートフォン、タブレット、パーソナルコンピュータなども考えられるが、上述と同様にビルなどの建物や、屋外に設置されている通信装置なども考えられる。通信装置Ｂは、ビル４４５２の内部において、使用されていることもあるが、通信装置Ｂは、ビル４４５１及びビル４４５２の外部において、使用されているとしてもよい。また、親局４４１０−２は、ＡＰ４４２０−１１、ＡＰ４４２０−１２、ＡＰ４４２０−１３及びＡＰ４４２０−１４と有線（または、無線）により接続されており、通信装置Ｂから得たデータをＡＰ４４２０−１、ＡＰ４４２０−２、ＡＰ４４２０−３及びＡＰ４４２０−４は送信する。
【０３４１】
ＡＰ４４２０−１１もマスタＡＰである。また、ＡＰ４４２０−１２、ＡＰ４４２０−１３及びＡＰ４４２０−１４は、マスタでないＡＰである。
６．２  マスタＡＰとしてのＡＰ４４２０−１
マスタＡＰであるＡＰ４４２０−１は、図４５に示すように、符号化器２０２、インターリーバ２０４、マッピング部２０６、位相変更部２０８、無線部２１０、アンテナ２１２、アンテナ２１５、受信装置２１７及び指示部４４０２から構成されている。
【０３４２】
なお、ＡＰ４４２０−１１もマスタＡＰであるので、ＡＰ４４２０−１１は、マスタＡＰとしてのＡＰ４４２０−１と同一の構成を有する。
ＡＰ４４２０−１は、親局４４１０−１から制御信号４４０１を受け取る。制御信号４４０１は、各ＡＰがユニキャストでの送信を行うかの設定、及び、位相変更を行う際の位相変更のパラメータの設定を含む。
【０３４３】
ＡＰ４４２０−１は、親局４４１０−１から受け取った制御信号４４０１に基づいて、ユニキャストの送信に関する設定を行う。また、ＡＰ４４２０−１は、制御信号４４０１に基づいて、位相変更の方法のパラメータの設定を行う。
ＡＰ４４２０−１は、ユニキャストの送信を行う場合、受信装置２１７を動作させる。
（１）符号化器２０２
符号化器２０２は、親局４４１０−１からデータ２０１を受け取る。また、符号化器２０２は、ＡＰ４４２０−１が備えるコントローラから制御信号２１３を受け取る。制御信号２１３は、符号化方式の指定、誤り訂正方式の指定、符号化率、ブロック長等の情報を含む。符号化器２０２は、制御信号２１３により指定された方式を用いて、データ２０１に対して、例えば、畳み込み符号、ＬＤＰＣ符号、ターボ符号等の誤り訂正符号化を行う。符号化器２０２は、符号化後のデータ２０３を出力する。
【０３４４】
（２）インターリーバ２０４
インターリーバ２０４は、符号化器２０２から、符号化後のデータ２０３を受け取る。また、インターリーバ２０４は、ＡＰ４４２０−１が備えるコントローラから制御信号２１３を受け取る。制御信号２１３は、インタリーブの方法の指定を含む。インターリーバ２０４は、符号化後のデータ２０３に対して、制御信号２１３により指定されるインタリーブの方法により、インタリーブ、つまり、順番の並び替えを行う。インターリーバ２０４は、インタリーブ後のデータ２０５を出力する。
【０３４５】
（３）マッピング部２０６
マッピング部２０６は、インターリーバ２０４から、インタリーブ後のデータ２０５を受け取る。また、マッピング部２０６は、ＡＰ４４２０−１が備えるコントローラから制御信号２１３を受け取る。制御信号２１３は、変調方式の指定を含む。マッピング部２０６は、制御信号２１３に含まれる変調方式の指定に従って、インタリーブ後のデータ２０５に対して、例えば、ＱＰＳＫ（Ｑｕａｄｒａｔｕｒｅ  Ｐｈａｓｅ  Ｓｈｉｆｔ  Ｋｅｙｉｎｇ）、１６ＱＡＭ（１６  Ｑｕａｄｒａｔｕｒｅ  Ａｍｐｌｉｔｕｄｅ  Ｍｏｄｕｌａｔｉｏｎ）、６４ＱＡＭ（６４  Ｑｕａｄｒａｔｕｒｅ  Ａｍｐｌｉｔｕｄｅ  Ｍｏｄｕｌａｔｉｏｎ）等の変調を施し、変調後の信号２０７を生成する。マッピング部２０６は、変調後の信号２０７を出力する。なお、変調方式として、他の変調方式を適用してもよい。
【０３４６】
なお、マッピング部２０６は、位相変更の処理を含むマッピングを行ってもよい。
（４）位相変更部２０８
位相変更部２０８は、マッピング部２０６から変調後の信号２０７を受け取る。また、位相変更部２０８は、制御信号４４０３＿０を受け取る。制御信号４４０３＿０は、位相変更の方法の設定を含む。位相変更部２０８は、制御信号４４０３＿０に含まれる位相変更の方法の設定に従って、変調後の信号２０７に対して、位相変更を施し、位相変更後の信号２０９を生成する。位相変更部２０８は、位相変更後の信号２０９を出力する。
【０３４７】
（５）無線部２１０及びアンテナ２１２
無線部２１０は、位相変更部２０８から、位相変更後の信号２０９を受け取る。また、無線部２１０は、ＡＰ４４２０−１が備えるコントローラから制御信号２１３を受け取る。制御信号２１３は、周波数変換、増幅等の指定を含む。無線部２１０は、位相変更後の信号２０９に対して、周波数変換、増幅等の処理を施し、送信信号２１１を生成する。無線部２１０は、６ＧＨｚ以上の、例えば、ミリ波と呼ばれる周波数帯域を用いて、一例として、６０ＧＨｚの周波数帯域を用いて、生成した送信信号２１１をアンテナ２１２に対して出力する。
【０３４８】
アンテナ２１２は、送信信号２１１を電波として出力する。
（６）アンテナ２１５及び受信装置２１７
アンテナ２１５は、各端末により電波として出力された信号２１６を受信する。
受信装置２１７は、６ＧＨｚ以上の、例えば、ミリ波と呼ばれる周波数帯域を用いて、一例として、６０ＧＨｚの周波数帯域を用いて、６０ＧＨｚの周波数帯域を用いて、アンテナ２１５から信号２１６を受け取り、増幅、周波数変換等の処理を施し、データ２１８を生成する。受信装置２１７は、データ２１８を親局４４１０−１に対して出力する。
【０３４９】
なお、アンテナ２１２とアンテナ２１５とは、同一体であってもよい。便宜上、別々の表記をしている。
（７）指示部４４０２
指示部４４０２は、親局４４１０−１に接続されている。
指示部４４０２は、親局４４１０−１から制御信号４４０１を受け取る。制御信号４４０１は、ユニキャストに関する設定、及び、位相変更の方法の設定情報を含む。
【０３５０】
指示部４４０２は、ＡＰ４４２０−１を含むすべてのＡＰに対して、制御信号４４０１に基づいて、ユニキャスト送信に関する設定情報を与える。
また、指示部４４０２は、各ＡＰに対して、位相変更の方法に関して指示を行う。
指示部４４０２は、受け取った制御信号４４０１から、各ＡＰ向けの制御信号４４０３＿０、制御信号４４０３＿１、・・・、制御信号４４０３＿Ｎを生成する。各制御信号は、ユニキャスト送信に関する情報及び位相変更に関する情報を含むものとする。指示部４４０２は、制御信号４４０３＿０、制御信号４４０３＿１、・・・、制御信号４４０３＿Ｎを、自身、ＡＰ４４２０−２、ＡＰ４４２０−３及びＡＰ４４２０−４に対して、出力する。
【０３５１】
指示部４４０２は、ＡＰ４４２０−１に対して、ユニキャスト送信を行うとした場合、受信装置２１７を動作させる。
６．３  マスタでないＡＰ４６００
ＡＰ４４２０−２、ＡＰ４４２０−３及びＡＰ４４２０−４は、マスタでないＡＰである。また、ＡＰ４４２０−１２、ＡＰ４４２０−１３及びＡＰ４４２０−１４も、マスタでないＡＰである。
【０３５２】
以降では、ＡＰ４４２０−２、ＡＰ４４２０−３、ＡＰ４４２０−４の動作について説明する。その際、ＡＰ４４２０−２、ＡＰ４４２０−３、ＡＰ４４２０−４を代表して、ＡＰ４６００として説明する。
マスタでないＡＰ４６００は、図４６に示すように、符号化器２０２、インターリーバ２０４、マッピング部２０６、位相変更部２０８、無線部２１０、アンテナ２１２、アンテナ２１５及び受信装置２１７から構成されている。
【０３５３】
ＡＰ４６００は、マスタＡＰであるＡＰ４４２０−１から、制御信号４６０１＿０を受け取る。制御信号４６０１＿０は、ユニキャスト送信に関する情報及び位相変更に関する情報を含むものとする。また、ＡＰ４６００は、マスタＡＰであるＡＰ４４２０−１から、データ４６０２（ＡＰ連携を行わない）を受け取る。また、ＡＰ４６００は、ＡＰ連携を行う場合、他のＡＰから、データ４６０３を受け取る場合がある。また、ＡＰ４６００は、親局４４１０−１から、データ２０１を受け取る場合があり、他のＡＰのために、このデータをわたす場合もある。
【０３５４】
ＡＰ４６００は、制御信号４６０１＿０に基づいて、ユニキャスト送信に関する設定を行う。また、ＡＰ４６００は、制御信号４６０１＿０に基づいて、位相変更の方法の設定を行う。
ＡＰ４６００は、ユニキャストの設定を行う場合、受信装置２１７を動作させる。
（１）符号化器２０２
符号化器２０２は、親局４４１０−１からデータ４６０２、４６０３又は２０１を受け取る。また、符号化器２０２は、ＡＰ４６００が備えるコントローラから制御信号２１３を受け取る。制御信号２１３は、符号化方式の指定、誤り訂正方式の指定、符号化率、ブロック長等の情報を含む。符号化器２０２は、制御信号２１３により指定された方式を用いて、データ４６０２、４６０３又は２０１に対して、例えば、畳み込み符号、ＬＤＰＣ符号、ターボ符号等の誤り訂正符号化を行う。符号化器２０２は、符号化後のデータ２０３を出力する。
【０３５５】
（２）インターリーバ２０４
インターリーバ２０４は、符号化器２０２から、符号化後のデータ２０３を受け取る。また、インターリーバ２０４は、ＡＰ４６００が備えるコントローラから制御信号２１３を受け取る。制御信号２１３は、インタリーブの方法の指定を含む。インターリーバ２０４は、符号化後のデータ２０３に対して、制御信号２１３により指定されるインタリーブの方法により、インタリーブ、つまり、順番の並び替えを行う。インターリーバ２０４は、インタリーブ後のデータ２０５を出力する。
【０３５６】
（３）マッピング部２０６
マッピング部２０６は、インターリーバ２０４から、インタリーブ後のデータ２０５を受け取る。また、マッピング部２０６は、ＡＰ４６００が備えるコントローラから制御信号２１３を受け取る。制御信号２１３は、変調方式の指定を含む。マッピング部２０６は、制御信号２１３に含まれる変調方式の指定に従って、インタリーブ後のデータ２０５に対して、例えば、ＱＰＳＫ（Ｑｕａｄｒａｔｕｒｅ  Ｐｈａｓｅ  Ｓｈｉｆｔ  Ｋｅｙｉｎｇ）、１６ＱＡＭ（１６  Ｑｕａｄｒａｔｕｒｅ  Ａｍｐｌｉｔｕｄｅ  Ｍｏｄｕｌａｔｉｏｎ）、６４ＱＡＭ（６４  Ｑｕａｄｒａｔｕｒｅ  Ａｍｐｌｉｔｕｄｅ  Ｍｏｄｕｌａｔｉｏｎ）等の変調を施し、変調後の信号２０７を生成する。マッピング部２０６は、変調後の信号２０７を出力する。なお、変調方式として、他の変調方式を適用してもよい。
【０３５７】
なお、マッピング部２０６は、位相変更の処理を含むマッピングを行ってもよい。
（４）位相変更部２０８
位相変更部２０８は、マッピング部２０６から変調後の信号２０７を受け取る。また、位相変更部２０８は、制御信号４６０１＿０を受け取る。制御信号４６０１＿０は、位相変更の方法の設定を含む。位相変更部２０８は、制御信号４６０１＿０に含まれる位相変更の方法の設定に従って、変調後の信号２０７に対して、位相変更を施し、位相変更後の信号２０９を生成する。位相変更部２０８は、位相変更後の信号２０９を出力する。
【０３５８】
（５）無線部２１０及びアンテナ２１２
無線部２１０は、位相変更部２０８から、位相変更後の信号２０９を受け取る。また、無線部２１０は、ＡＰ４６００が備えるコントローラから制御信号２１３を受け取る。制御信号２１３は、周波数変換、増幅等の指定を含む。無線部２１０は、位相変更後の信号２０９に対して、周波数変換、増幅等の処理を施し、送信信号２１１を生成する。無線部２１０は、６ＧＨｚ以上の、例えば、ミリ波と呼ばれる周波数帯域を用いて、一例として、６０ＧＨｚの周波数帯域を用いて、生成した送信信号２１１をアンテナ２１２に対して出力する。
【０３５９】
アンテナ２１２は、送信信号２１１を電波として出力する。
（６）アンテナ２１５及び受信装置２１７
アンテナ２１５は、各端末により電波として出力された信号２１６を受信する。
受信装置２１７は、６ＧＨｚ以上の、例えば、ミリ波と呼ばれる周波数帯域を用いて、一例として、６０ＧＨｚの周波数帯域を用いて、アンテナ２１５から信号２１６を受け取り、増幅、周波数変換等の処理を施し、データ２１８を生成する。受信装置２１７は、データ２１８を親局４４１０−１又は親局４４１０−２に対して出力する。
【０３６０】
なお、アンテナ２１２とアンテナ２１５とは、同一体であってもよい。便宜上、別々の表記をしている。
６．４  送信されるデータの例
親局４４１０−１、ＡＰ４４２０−１、ＡＰ４４２０−２、ＡＰ４４２０−３及びＡＰ４４２０−４により、送信されるデータの例について、以下に説明する。
【０３６１】
ここでは、すべてのＡＰをユニキャスト用に設定して送信すると想定する。
（１）晴天であるとき
すべてのＡＰ４４２０−１、ＡＰ４４２０−２、ＡＰ４４２０−３及びＡＰ４４２０−４をユニキャスト用に設定して送信する場合、晴天であるとき、送信されるデータの例について、図４７を用いて説明する。
【０３６２】
（送信側）
親局４４１０−１は、図４７に示すように、パケット４７０１、４７０２、４７０３、・・・、４７０６、・・・（通信装置からのパケット）をこの順序で受信する。ここで、パケット４７０１、４７０２、４７０３、・・・、４７０６、・・・は、すべて、ユニキャスト用のパケットである。また、パケット４７０１、４７０５、・・・は、ユニキャスト用の第１のデータから生成され、パケット４７０２、４７０６、・・・は、ユニキャスト用の第２のデータから生成される。パケット４７０３、・・・は、ユニキャスト用の第３のデータから生成され、パケット４７０４、・・・は、ユニキャスト用の第４のデータから生成される。
【０３６３】
親局４４１０−１は、ＡＰ４４２０−１に対して、パケット４７０１、４７０２、４７０３、・・・、４７０６、・・・をこの順序で送信する。ＡＰ４４２０−１は、パケット４７０１、４７０２、４７０３、・・・、４７０６、・・・をこの順序で受信する。
ＡＰ４４２０−１は、ユニキャスト用の第１のデータから生成されたパケット４７０１、４７０５、・・・をこの順序で、自身により、処理する。また、ＡＰ４４２０−１は、ＡＰ４４２０−２に対して、ユニキャスト用の第２のデータから生成されたパケット４７０２、４７０６、・・・をこの順序で送信する。また、ＡＰ４４２０−１は、ＡＰ４４２０−３に対して、ユニキャスト用の第３のデータから生成されたパケット４７０３、・・・をこの順序で送信する。また、ＡＰ４４２０−１は、ＡＰ４４２０−４に対して、ユニキャスト用の第４のデータから生成されたパケット４７０４、・・・をこの順序で送信する。
【０３６４】
ＡＰ４４２０−１は、自身向けのパケット４７０１、４７０５、・・・をこの順序で受信する。パケット４７０１、４７０５、・・・をこの順序で受信すると、ＡＰ４４２０−１は、パケット４７１１、４７１２、４７１３、４７１４、・・・をこの順序で、ユニキャストで無線により出力する。ここで、パケット４７０１、４７０５、・・・は、それぞれ、パケット４７１１、４７１２、４７１３、４７１４に対応している。
【０３６５】
パケット４７０２、４７０６、・・・をこの順序で受信すると、ＡＰ４４２０−２は、パケット４７２１、４７２２、４７２３、４７２４、・・・をこの順序で、ユニキャストで無線により出力する。ここで、パケット４７０２、４７０６、・・・は、それぞれ、パケット４７２１、４７２２、４７２３、４７２４に対応している。
パケット４７０３、・・・をこの順序で受信すると、ＡＰ４４２０−３は、パケット４７３１、４７３２、４７３３、４７３４、・・・をこの順序で、ユニキャストで無線により出力する。ここで、パケット４７０３、・・・は、それぞれ、パケット４７３１、４７３２、４７３３、４７３４に対応している。
【０３６６】
パケット４７０４、・・・をこの順序で受信すると、ＡＰ４４２０−４は、パケット４７４１、４７４２、４７４３、４７４４、・・・をこの順序で、ユニキャストで無線により出力する。ここで、パケット４７０４、・・・は、それぞれ、パケット４７４１、４７４２、４７４３、４７４４に対応している。
（受信側）
例えば、図４４のＡＰ４４２０−１、４４２０−２、４４２０−３、４４２０−４、４４２０−１１、４４２０−１２、４４２０−１３、４４２０−１４は、例えば、ビームフォーミングなどを行い、指向性の強いアンテナを具備しているものとする。この場合、ＡＰ４４２０−１とＡＰ４４２０−１１が通信を行い、ＡＰ４４２０−２とＡＰ４４２０−１２が通信を行い、ＡＰ４４２０−３とＡＰ４４２０−１３が通信を行い、ＡＰ４４２０−４とＡＰ４４２０−１４が通信を行うものとする。
【０３６７】
このとき、ＡＰ４４２０−１１の受信装置２１７は、ＡＰ４４２０−１が送信したパケットを受信することになり、ＡＰ４４２０−１２の受信装置２１７は、ＡＰ４４２０−２が送信したパケットを受信することになり、ＡＰ４４２０−１３の受信装置２１７は、ＡＰ４４２０−３が送信したパケットを受信することになり、ＡＰ４４２０−１４の受信装置２１７は、ＡＰ４４２０−４が送信したパケットを受信することになる。
【０３６８】
４４２０−１１、４４２０−１２、４４２０−１３、４４２０−１４が、ＡＰ４４２０−１が送信した変調信号とＡＰ４４２０−２が送信した変調信号とＡＰ４４２０−３が送信した変調信号とＡＰ４４２０−４が送信した変調信号を同時に受信する場合、４４２０−１１が受信した受信信号と４４２０−１２が受信した受信信号と４４２０−１３が受信した受信信号と４４２０−１４が受信した受信信号に対し、分離処理を行い、それぞれのパケットを分離し、各パケットを得ることになる。
別の例として、親局４４１０−１が、パケットＵ１−＃Ｘ（Ｘ＝１、２、３、・・・）のみを得ている場合も考えられる。このとき、例えば、ＡＰ４４２０−１が、パケットＵ１−＃Ｘを送信し、他のＡＰは動作を停止しているという場合が考えられる。このようにすることで、動作するＡＰの数を減らしているため、システムにおける消費電力を低減することができるという効果を得ることができる。そして、降雨のときは、図４８のような送信を行うことになるとする（図４８の動作については、後で詳しく説明する。）。この場合の利点について説明する。
【０３６９】
特に、ミリ波帯の周波数を用いて変調信号を送信した場合、降雨による信号（電波）の大幅な減衰が発生する。この減衰が発生した中で、通信相手の受信電界強度の低下を維持するためには、通信装置が高い平均送信電力で、変調信号を送信する必要がある。しかし、各通信機器が送信することができる平均送信電力には規制値が存在することが多く、降雨減衰の影響を軽減できるレベルの平均送信電力まで、送信電力をあげて、通信装置が、変調信号を送信することができるとは限らない。
【０３７０】
このような課題に対して、図４８で示したように、複数の通信機器で、同一のデータを含む変調信号を送信することで、通信相手は、高い受信電界強度を得ることができるとともに、各通信装置では、送信することができる平均送信電力には規制値を順守することができるという効果を得ることができる。
また、前述のように、晴天時は、「ＡＰ４４２０−１が、パケットＵ１−＃Ｘを送信し、他のＡＰは動作を停止している」というように動作をさせることで、晴天時は、システムにおける消費電力を低減することができるという効果を得ることもできる。
【０３７１】
したがって、晴天時と降雨時で、親局・ＡＰの動作が異なるようにすることで、通信品質の確保、消費電力の制御を適宜、柔軟に変更することができるという利点のあるシステムを構築することが可能である。
（２）降雨のとき
すべてのＡＰ４４２０−１、ＡＰ４４２０−２、ＡＰ４４２０−３及びＡＰ４４２０−４をユニキャスト用に設定して送信する場合、降雨のとき、送信されるデータの例について、図４８を用いて説明する。
【０３７２】
（送信側）
親局４４１０−１は、図４８に示すように、パケット４８０１、４８０２、４８０３、・・・、４８０６、・・・をこの順序で受信する。ここで、パケット４８０１、４８０２、４８０３、・・・、４８０６、・・・は、すべて、ユニキャスト用のパケットである。また、パケット４８０１、４８０２、４８０３、・・・、４８０６、・・・は、ユニキャスト用の一つのデータから生成される。
【０３７３】
親局４４１０−１は、ＡＰ４４２０−１に対して、それぞれ、パケット４８０１、４８０２、４８０３、・・・、４８０６、・・・をこの順序で送信する。
ＡＰ４４２０−１は、パケット４８０１、４８０２、４８０３、・・・、４８０６、・・・をこの順序で受信し、パケット４８０１、４８０２、４８０３、・・・、４８０６、・・・をこの順序で処理する。また、ＡＰ４４２０−１は、ＡＰ４４２０−２、ＡＰ４４２０−３及びＡＰ４４２０−４に対して、それぞれ、パケット４８０１、４８０２、４８０３、・・・、４８０６、・・・をこの順序で送信する。
【０３７４】
ＡＰ４４２０−１は、パケット４８０１、４８０２、４８０３、・・・、４８０６、・・・をこの順序で受信する。パケット４８０１、４８０２、４８０３、・・・、４８０６、・・・をこの順序で受信すると、ＡＰ４４２０−１は、パケット４８１１、４８１２、４８１３、４８１４、・・・をこの順序で、ユニキャストで無線により出力する。ここで、パケット４８０１、４８０２、４８０３、・・・、４８０６、・・・は、それぞれ、パケット４８１１、４８１２、４８１３、４８１４に対応している。
【０３７５】
ＡＰ４４２０−２は、パケット４８０１、４８０２、４８０３、・・・、４８０６、・・・をこの順序で受信する。パケット４８０１、４８０２、４８０３、・・・、４８０６、・・・をこの順序で受信すると、ＡＰ４４２０−２は、マスタＡＰであるＡＰ４４２０−１の制御により、パケット４８２１、４８２２、４８２３、４８２４、・・・をこの順序で、ユニキャストで無線により出力する。ここで、パケット４８０１、４８０２、４８０３、・・・、４８０６、・・・は、それぞれ、パケット４８２１、４８２２、４８２３、４８２４に対応している。
【０３７６】
ＡＰ４４２０−３は、パケット４８０１、４８０２、４８０３、・・・、４８０６、・・・をこの順序で受信する。パケット４８０１、４８０２、４８０３、・・・、４８０６、・・・をこの順序で受信すると、ＡＰ４４２０−３は、マスタＡＰであるＡＰ４４２０−１の制御により、パケット４８３１、４８３２、４８３３、４８３４、・・・をこの順序で、ユニキャストで無線により出力する。ここで、パケット４８０１、４８０２、４８０３、・・・、４８０６、・・・は、それぞれ、パケット４８３１、４８３２、４８３３、４８３４に対応している。
【０３７７】
ＡＰ４４２０−４は、パケット４８０１、４８０２、４８０３、・・・、４８０６、・・・をこの順序で受信する。パケット４８０１、４８０２、４８０３、・・・、４８０６、・・・をこの順序で受信すると、ＡＰ４４２０−４は、マスタＡＰであるＡＰ４４２０−１の制御により、パケット４８４１、４８４２、４８４３、４８４４、・・・をこの順序で、ユニキャストで無線により出力する。ここで、パケット４８０１、４８０２、４８０３、・・・、４８０６、・・・は、それぞれ、パケット４８４１、４８４２、４８４３、４８４４に対応している。
【０３７８】
このときの特徴としては、他の実施の形態で説明したように、ＡＰ４４２０−１、ＡＰ４４２０−２、ＡＰ４４２０−３、ＡＰ４４２０−４は、同一時刻に同一のパケットを送信している。（同一時刻のマッピング後の変調信号は同一である。）したがって、ＡＰ４４２０−１では位相変更を施すことになり、ＡＰ４４２０−２でも位相変更を施すことになり、ＡＰ４４２０−３でも位相変更を施すことになり、ＡＰ４４２０−４でも位相変更を施すことになる（ただし、ＡＰ４４２０−１、ＡＰ４４２０−２、ＡＰ４４２０−３、ＡＰ４４２０−４のいずれかのＡＰが位相変更を施さないとしてもよい）。
なお、図４８では、一例として、４つＡＰが存在し、４つＡＰが、パケットＵ１−＃Ｘ（Ｘ＝１、２、３、・・・）を送信する例を説明したがこれに限ったものではなく、例えば、Ｎ個（Ｎは２以上の整数）のＡＰが存在し、Ｍ個（ＭはＮ以下の整数であり、かつ、Ｍは２以上の整数である）のＡＰが、パケットＵ１−＃Ｘ（Ｘ＝１、２、３、・・・）を送信するとしてもよい。
以上から、以下のような構成を考えることができる。
【０３７９】
Ｎ個（Ｎは２以上の整数）のＡＰが存在する。
そして、晴天時（降雨による電波の減衰が小さいとき。（雨は降っているが、電波の減衰が小さいときは、「晴天時」として扱う。））、Ｌ個（Ｌは１以上の整数、かつ、Ｎ−１以下の整数）のＡＰがパケットＵ１−＃Ｘ（Ｘ＝１、２、３、・・・）を送信する。
そして、降雨時（降雨による電波の減衰が大きいとき。）Ｍ個（ＭはＮ以下の整数であり、かつ、Ｍは２以上の整数であり、かつ、ＭはＬより大きい整数）のＡＰが、パケットＵ１−＃Ｘ（Ｘ＝１、２、３、・・・）を送信するとしてもよい。
【０３８０】
このように送信することで、前にも述べたように、降雨時の伝搬の減衰による、通信相手の受信品質の低下を抑制することができ、これにより、通信品質の確保、消費電力の制御を適宜、柔軟に変更することができるという利点のあるシステムを構築することが可能である。なお、晴天時、パケットＵ１−＃Ｘを送信していないＡＰが他のパケットを送信してもよく（他のパケットを送信しなくてもよい）、同様に、降雨時にパケットＵ１−＃Ｘを送信していないＡＰが他のパケットを送信してもよい（他のパケットを送信しなくてもよい）。
【０３８１】
本発明は、ミリ波の周波数帯域を用いて、受信装置に対して、無線により送信を行うＮ台の送信装置と、前記受信装置とから構成される通信システムであるとしてもよい。ここで、前記Ｎ台の送信装置のうちの一台の送信装置は、送信手段と、受信手段と、前記受信装置との間の通信品質を取得し、取得した通信品質が閾値以上の場合に、前記Ｎ台の送信装置のうち、自身を含み、Ｎより小さいＬ台の前記送信装置にデータを送信させ、取得した通信品質が閾値未満となった場合に、前記Ｎ台の送信装置のうち、自身を含み、Ｎより小さくＬより大きいＭ台の前記送信装置に協調動作をさせてデータを送信させ、取得した通信品質が閾値以上となった場合に、前記協調動作を停止させる制御手段とを備えるとしてもよい。
（受信側）
ＡＰ４４２０−１１の受信装置２１７は、パケット４８１１に対応する変調信号、パケット４８２１に対応する変調信号、パケット４８３１に対応する変調信号及びパケット４８４１に対応する変調信号を同時に受信する。次に、ＡＰ４４２０−１１の受信装置２１７は、パケット４８１２に対応する変調信号、パケット４８２２に対応する変調信号、パケット４８３２に対応する変調信号及びパケット４８４２に対応する変調信号を同時に受信する。次に、ＡＰ４４２０−１１の受信装置２１７は、パケット４８１３に対応する変調信号、パケット４８２３に対応する変調信号、パケット４８３３に対応する変調信号及びパケット４８４３に対応する変調信号を同時に受信する。次に、ＡＰ４４２０−１１の受信装置２１７は、パケット４８１４に対応する変調信号、パケット４８２４に対応する変調信号、パケット４８３４に対応する変調信号及びパケット４８４４に対応する変調信号を同時に受信する。以下、同様である。
【０３８２】
したがって、合成された受信信号を復調・復号することで、パケット４８０１、４８０２、４８０３、４８０４、４８０５、・・・を得ることができる。
６．５  マスタＡＰであるＡＰ４４２０−１の動作
マスタＡＰであるＡＰ４４２０−１の動作について、図４９に示すフローチャートを用いて説明する。
【０３８３】
マスタＡＰであるＡＰ４４２０−１の指示部４４０２は、通信相手であるＡＰ４４２０−１１との間の通信品質を取得する（ステップＳ４９０１）。次に、指示部４４０２は、取得した通信品質が閾値以上か否かを判断する（ステップＳ４９０２）。
取得した通信品質が閾値未満となった場合に（ステップＳ４９０２で「閾値未満」）、指示部４４０２は、例えば、ＡＰ４４２０−２、ＡＰ４４２０−３及びＡＰ４４２０−４に対して、協調動作をさせて、同一のデータを送信させる（ステップＳ４９０３）。次に、ステップＳ４９０１に戻って処理を繰り返す。
【０３８４】
取得した通信品質が閾値以上となった場合に（ステップＳ４９０２で「閾値以上」）、指示部４４０２は、例えば、ＡＰ４４２０−２、ＡＰ４４２０−３及びＡＰ４４２０−４に対して、協調動作を停止させる（同一データの送信を停止する。）（ステップＳ４９０４）。指示部４４０２は、例えば、ＡＰ４４２０−２、ＡＰ４４２０−３及びＡＰ４４２０−４に対して、独立した動作を再開させる。独立した動作は、協調動作を開始する前の動作である（ステップＳ４９０５）。次に、ステップＳ４９０１に戻って処理を繰り返す。
【０３８５】
６．６  各ＡＰによるトレーニング信号の送信
ＡＰ４４２０−１は、晴天時、及び、降雨時の両方の場合において、それぞれ、例えば、トレーニング信号を送信する。そして、通信相手がトレーニング信号を受信し、その受信結果をＡＰ４４２０−１に送信する。ＡＰ４４２０−１は、その受信結果を得ることで、受信側のＡＰとの間の通信品質を取得する。ＡＰ４４２０−１は、取得した通信品質を用いて、上述した協調動作をするか、協調動作を停止するかの判断を行う。そして、ＡＰ４４２０−１は、ＡＰ４４２０−２、４４２０−３、４４２０−４に対し、「協調動作をするか、協調動作を停止するか」の結果を送信する。（このとき、ＡＰ４４２０−１は、親局を経由し、「協調動作をするか、協調動作を停止するか」の結果を送信してもよいし、直接、「協調動作をするか、協調動作を停止するか」の結果をＡＰ４４２０−２、４４２０−３、４４２０−４に対し、送信してもよい。）また、ＡＰ４４２０−１は、「協調動作を行う」と判断した場合、使用する位相変更値の方法、変調方式、符号化方法に関する情報をＡＰ４４２０−２、４４２０−３、４４２０−４に送信する。（このとき、ＡＰ４４２０−１は、親局を経由して、使用する位相変更値の方法、変調方式、符号化方法に関する情報をＡＰ４４２０−２、４４２０−３、４４２０−４に送信してもよい。）
なお、本実施の形態の場合、「マルチキャスト」と設定するモードが存在しなくてもよい。（例えば、ビル（建物）の設置されている通信装置とビル（建物）に設置されて率通信装置に対して、本実施の形態を適用した場合、マルチキャストを行う必要がないケースもありうる。）
なお、上述の説明で、マスタＡＰとマスタでないＡＰにより、協調動作する場合を例に説明したが、他の実施の形態でも説明したように、図１や図２５などで示したように、マスタＡＰの機能の一部を親局がもつ場合の協調動作により、図４７のようなフレーム構成と図４８のようなフレーム構成を、晴天時と降雨時に切り替えるとしても、上述と同様に実施することは可能である。また、晴天時と降雨時に協調動作を切り替える送信システムの構成は、これらに限ったものではなく、このとき、上述で説明したような「晴天時と降雨時に協調動作を切り替える」機能自身が重要となる。
【０３８６】
６．４  まとめ
本態様によると、Ｇｂｐｓの大容量の伝送が実現できる。また、降雨の場合であっても、無線による通信を確保することができる。さらに、降雨から晴天に戻った場合に、マスタＡＰは、協調動作を停止する。このため、晴天時に協調動作を行うことによる無駄な電力の消費を防ぐことができる。
【０３８７】
なお、上記の実施の形態においては、４台のＡＰが協調動作を行うとしている。しかし、これには、限定されない。２台以上のＡＰが協調動作を行うとしてもよい。
≪補足≫
当然であるが、本明細書において説明した実施の形態、その他の内容を複数組み合わせて、実施してもよい。
【０３８８】
また、各実施の形態、その他の内容については、あくまでも例であり、例えば、「変調方式、誤り（消失）訂正符号化方式（使用する誤り訂正符号、符号長、符号化率等）、制御情報など」を例示していても、別の「変調方式、誤り（消失）訂正符号化方式（使用する誤り訂正符号、符号長、符号化率等）、制御情報など」を適用した場合でも同様の構成で実施することが可能である。
【０３８９】
変調方式については、本明細書で記載している変調方式以外の変調方式を使用しても、本明細書において説明した実施の形態、その他の内容を実施することが可能である。例えば、ＡＰＳＫ（Amplitude Phase Shift Keying）（例えば、16APSK, 64APSK, 128APSK, 256APSK, 1024APSK, 4096APSKなど）、ＰＡＭ（Pulse Amplitude Modulation）（例えば、4PAM, 8PAM, 16PAM, 64PAM, 128PAM, 256PAM, 1024PAM, 4096PAMなど）、ＰＳＫ（Phase Shift Keying）（例えば、BPSK, QPSK, 8PSK, 16PSK, 64PSK, 128PSK, 256PSK, 1024PSK, 4096PSKなど）、ＱＡＭ（Quadrature Amplitude Modulation）（例えば、4QAM, 8QAM, 16QAM, 64QAM, 128QAM, 256QAM, 1024QAM, 4096QAMなど）などを適用してもよいし、各変調方式において、均一マッピング、非均一マッピングとしてもよい。
【０３９０】
また、無線通信方式における伝送方法としては、送信装置が一つのアンテナ、受信装置が一つ以上のアンテナで信号を受信する伝送方法（ＳＩＳＯ（Single-Input Single-Output）伝送方法、ＳＩＭＯ（SIngle-Input Multiple-Output）伝送方法）であってもよいし、また、送信装置が複数ストリームを送信し、受信装置が１つ以上のアンテナで変調信号を受信する方式（ＭＩＭＯ（Multiple-Input Multiple-Output）伝送方式、ＭＩＳＯ（Multiple-Input Single-Output）伝送方式）を用いてもよい。また、時空間（space-time）ブロック符号、時空間（space-time）トレリス符号を用いてもよい（このとき、ＯＦＤＭなどのマルチキャリア方式を用いているとき、シンボルを時間軸方向に並べてもよいし、周波数軸方向に並べてもよいし、周波数―時間軸方向に並べてもよい。）。
【０３９１】
また、本明細書で「複素数」と記載している場合、「複素数で定義している」ということになり、虚数成分がゼロとなり、実数となる場合もある。
本発明は上記の実施の形態で説明した内容に限定されず、本発明の目的とそれに関連又は付随する目的を達成するためのいかなる形態においても実施可能であり、例えば、以下であってもよい。
【０３９２】
（１）本開示の一つの局面によると、ＡＰは、同じデータを伝送する複数のパケットに、それぞれ異なる重み付けを行い、送信する。また、複数のＡＰが、同じデータを伝送する複数のパケットに、それぞれ異なる重み付けを行い、送信する。この構成により、同じデータを伝送する複数のパケットがそれぞれ異なる指向性で送信されることになるので、セルエリア内でより均一な受信品質を保つことが可能となる。
【０３９３】
ここで、同じデータを伝送する複数のパケットは連続して送信されていなくてもよい。また、複数のアンテナは、複数のＡＰではなく１台のＡＰにより備えられていてもよい。このようにした場合であっても、上記と同じ効果を奏することは明らかである。
（２）上記の各実施の形態で説明した通信局側の通信装置の動作の手順をプログラムに記載し、当該プログラムを予めＲＯＭ（Read Only Memory）に格納しておき、ＣＰＵ（Central Processing Unit）がＲＯＭに記憶された当該プログラムを読み出して実行するようにしてもよい。また、通信局側の通信装置の動作の手順を記載したプログラムをコンピュータで読み取り可能な記憶媒体に格納し、記憶媒体に格納されたプログラムをコンピュータのＲＡＭ（Random Access Memory）に記憶して、コンピュータのＣＰＵがＲＡＭに記憶された当該プログラムを読み出して実行するようにしてもよい。
【０３９４】
（３）上記の各実施の形態などの各構成は、典型的には集積回路であるＬＳＩ（Large Scale Integration）として実現されてもよい。これらは、個別に１チップ化されてもよいし、各実施の形態の全ての構成または一部の構成を含むように１チップ化されてもよい。
ここでは、ＬＳＩとしたが、集積度の違いにより、ＩＣ（Integrated Circuit）、システムＬＳＩ、スーパーＬＳＩ、ウルトラＬＳＩと呼称されることもある。
【０３９５】
また、集積回路化の手法はＬＳＩに限られるものではなく、専用回路または汎用プロセッサで実現しても良い。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用しても良い。
さらに、半導体技術の進歩又は派生する別技術によりＬＳＩに置き換わる集積回路化の技術が登場すれば、当然、その技術を用いて機能ブロックの集積化を行っても良い。バイオ技術の適応等が可能性としてあり得る。
【０３９６】
本明細書において、送信装置を具備しているのは、例えば、放送局、基地局、アクセスポイント、端末、携帯電話（ｍｏｂｉｌｅ  ｐｈｏｎｅ）等の通信・放送機器であることが考えられ、このとき、受信装置を具備しているのは、テレビ、ラジオ、端末、パーソナルコンピュータ、携帯電話、アクセスポイント、基地局等の通信機器であることが考えられる。また、本発明における送信装置、受信装置は、通信機能を有している機器であって、その機器が、テレビ、ラジオ、パーソナルコンピュータ、携帯電話等のアプリケーションを実行するための装置に何らかのインターフェースを解して接続できるような形態であることも考えられる。
【０３９７】
また、本実施の形態では、データシンボル以外のシンボル、例えば、パイロットシンボル（プリアンブル、ユニークワード、ポストアンブル、リファレンスシンボル等）、制御情報用のシンボルなどが、フレームにどのように配置されていてもよい。そして、ここでは、パイロットシンボル、制御情報用のシンボルと名付けているが、どのような名付け方を行ってもよく、機能自身が重要となっている。
【０３９８】
パイロットシンボルは、例えば、送受信機において、ＰＳＫ変調を用いて変調した既知のシンボル（または、受信機が同期をとることによって、受信機は、送信機が送信したシンボルを知ることができてもよい。）であればよく、受信機は、このシンボルを用いて、周波数同期、時間同期、（各変調信号の）チャネル推定（ＣＳＩ（Ｃｈａｎｎｅｌ  Ｓｔａｔｅ  Ｉｎｆｏｒｍａｔｉｏｎ）の推定）、信号の検出等を行うことになる。
【０３９９】
また、制御情報用のシンボルは、（アプリケーション等の）データ以外の通信を実現するための、通信相手に伝送する必要がある情報（例えば、通信に用いている変調方式・誤り（消失）訂正符号化方式・誤り（消失）訂正符号化方式の符号化率、上位レイヤーでの設定情報等）を伝送するためのシンボルである。
送信装置  受信装置に対し、送信方法（ＭＩＭＯ、ＳＩＳＯ、時空間ブロック符号、インタリーブ方式）、変調方式、誤り訂正符号化方式、パケットレベルの誤り（消失）訂正方式を通知する必要があるが、実施の形態によってはこの点についての記載を省略している。なお、送信装置が送信するフレームに、これらの情報を伝送するシンボルが存在することになり、受信装置はこれを得ることで、動作を変更することになる。
なお、本発明は各実施の形態に限定されず、種々変更して実施することが可能である。例えば、各実施の形態では、通信装置として行う場合について説明しているが、これに限られるものではなく、この通信方法をソフトウェアとして行うことも可能である。
【産業上の利用可能性】
【０４００】
本発明の送信方法は、複数の送信装置において、ミリ波の周波数帯域を用いて、無線により送信を行うことができ、無線により通信を行う技術として有用である。
【符号の説明】
【０４０１】
１１０    親局
１２１〜１２４    ＡＰ
１３１〜１３８    端末
２０２    符号化器
２０４    インターリーバ
２０６    マッピング部
２０８    位相変更部
２１０    無線部
２１２    アンテナ
２１５    アンテナ
２１７    受信装置
３０２    送信データ振り分け部
３０５    受信データ振り分け部
３０８    指示部
１００、１４００、１５００、１６００    無線通信システム
１８００、２５００、３４００、４４００    無線通信システム
【図１】
2017011679.tif 000004
【図２】
2017011679.tif 000005
【図３】
2017011679.tif 000006
【図４】
2017011679.tif 000007
【図５】
2017011679.tif 000008
【図６】
2017011679.tif 000009
【図７】
2017011679.tif 000010
【図８】
2017011679.tif 000011
【図９】
2017011679.tif 000012
【図１０】
2017011679.tif 000013
【図１１】
2017011679.tif 000014
【図１２】
2017011679.tif 000015
【図１３】
2017011679.tif 000016
【図１４】
2017011679.tif 000017
【図１５】
2017011679.tif 000018
【図１６】
2017011679.tif 000019
【図１７】
2017011679.tif 000020
【図１８】
2017011679.tif 000021
【図１９】
2017011679.tif 000022
【図２０】
2017011679.tif 000023
【図２１】
2017011679.tif 000024
【図２２】
2017011679.tif 000025
【図２３】
2017011679.tif 000026
【図２４】
2017011679.tif 000027
【図２５】
2017011679.tif 000028
【図２６】
2017011679.tif 000029
【図２７】
2017011679.tif 000030
【図２８】
2017011679.tif 000031
【図２９】
2017011679.tif 000032
【図３０】
2017011679.tif 000033
【図３１】
2017011679.tif 000034
【図３２】
2017011679.tif 000035
【図３３】
2017011679.tif 000036
【図３４】
2017011679.tif 000037
【図３５】
2017011679.tif 000038
【図３６】
2017011679.tif 000039
【図３７】
2017011679.tif 000040
【図３８】
2017011679.tif 000041
【図３９】
2017011679.tif 000042
【図４０】
2017011679.tif 000043
【図４１】
2017011679.tif 000044
【図４２】
2017011679.tif 000045
【図４３】
2017011679.tif 000046
【図４４】
2017011679.tif 000047
【図４５】
2017011679.tif 000048
【図４６】
2017011679.tif 000049
【図４７】
2017011679.tif 000050
【図４８】
2017011679.tif 000051
【図４９】
2017011679.tif 000052